(57)【要約】【解決手段】移植または他の組織送達用の射出成形される装置およびシステム、インプラント送達に際し、それらを１回使用するための方法、および、実施者へそれらを無菌的に送達するためのキットがここに開示される。射出成型可能なインプラント本体および挿入装置を含むインプラント送達用システムは：適所にインプラント本体を固定し、被処置者内で配置されるとそれを解放する固定機構を形成する内部および外部シャフトを含む。システムは射出成形によって、コスト効率良く製造可能であり、再滅菌および洗浄と関連づけられるコストおよび危険性を回避するために１回使用の後に廃棄されるように製造されるよう構成されるが、しかし、ある場合には随意的に、再滅菌および再使用されるために機械加工によって製造することも可能である。【選択図】  図１ｂ
2016538086.tif 000002
【特許請求の範囲】
【請求項１】
インプラント送達システムであって、
ａ）外面部；外面部へ凹ませて形成される主スロット；主スロットから凹ませて形成され、主スロットの奥に形成されるチャンバ；主スロットに近接する外面部の２つのサイドスロット；およびインプラント本体の底部を通って頂部まで通ずる中空内部空間；を含むインプラント本体：
および
ｂ）インプラント挿入装置であって、
ｉ）内部シャフト本体；内部シャフト本体の基部のノブであって、カム形状を含むノブ；内部シャフト本体の挿入端部の内部シャフト先端部であって、実質的に柱状の円形ではなく、内部シャフト先端部の回転面に垂直な少なくとも１寸法でそれに直接的に隣接する内部シャフト本体より広い内部シャフト先端部；を含む内部シャフト：と
ｉｉ）内部シャフト本体をその内部に保持するように構成された外部シャフトであって：中空の外部シャフト本体；外面部；外部シャフトの外面部の外部シャフト開口部であて、内部シャフト先端部の通過を可能にするように構成されている外部シャフト開口部；インプラント本体の２つのサイドスロットを合致させるための外面部の２つの外部シャフト先端部；第１の位置でノブのカム形状を受け入れるように構成された外部シャフトの基部の第１の表面部；第２の位置でノブのカム形状を受け入れるように構成された外部シャフトの基部の第２の表面部；第１または第２の位置でカム形状を停止させるように構成された外部シャフトの基部のストッパ；外部シャフトの基部の傾斜部であって、第１の表面部を第２の表面部に接続する傾斜部を含む外部シャフト：とを含むインプラント挿入装置、
を含むことを特徴とするインプラント送達システム。
【請求項２】
インプラント送達システムであって、
ｉ）内部シャフト本体；内部シャフト本体の基部のノブであって、第１のインターフェースを含むノブ；内部シャフト本体の挿入端部の内部シャフト先端部であって、実質的に、円筒状に円形でない内部シャフト先端部；を含む内部シャフト：と
ｉｉ）その内部に内部シャフト本体を保持するように構成された外部シャフトであって、
中空の外部シャフト本体であって、内部シャフト本体をその内部に収容するように構成された中空の外部シャフト本体；外面部；外部シャフトの外面部の外部シャフト開口部；内部シャフトの第１のインターフェースを受け入れるように構成された外部シャフトの基部の第１の相補的インターフェース；インプラント本体の第２のインターフェースを受け入れるための、外面部の第２の相補的インターフェース；を含む外部シャフト：とを含むインプラント挿入装置を含み：
内部シャフトの回転は、第１の位置で第１の相補的インターフェースを第１のインターフェースへ関連づけるように構成され、
内部シャフト先端部は、インプラント本体の主スロットを通じて合致し、インプラント本体を内部シャフトに固定するようにインプラント本体のチャンバ内で回転するように構成されることを特徴とするインプラント送達システム。
【請求項３】
インプラント送達システムが；
外面部；外面部へ凹ませて形成される主スロット；主スロットから凹ませて形成され、主スロットの奥に位置するチャンバ；および主スロットに近接する外面部の第２のインターフェース；を含むサポート構造と、
少なくとも移植材料を内包するように構成される内部空間と、
を含むインプラント本体を含む請求項２に記載のシステム。
【請求項４】
インプラント本体の第２のインターフェースは、インプラント本体を外部シャフトに取り付けるように外部シャフトの外面部で第２の相補的インターフェースに合致するように構成される、請求項２または３のいずれか１つに記載のシステム。
【請求項５】
インプラント挿入装置が射出成形される、請求項２−４のいずれか１つに記載のシステム。
【請求項６】
インプラント送達システムは１回限りの使用向けである、請求項２−５のいずれか１つに記載のシステム。
【請求項７】
インプラント本体の内部空間は、少なくとも１つの移植材料によって少なくとも部分的に充填される、請求項２−６のいずれか１つに記載のシステム。
【請求項８】
内部シャフトは、炭素繊維強化ポリマー、炭素繊維強化プラスチック、炭素繊維強化熱可塑性プラスチック、ガラス繊維強化ポリマー、ガラス繊維強化プラスチック、およびポリアリルアミドから選ばれる少なくとも１つの材料を含む、請求項２−７のいずれか１つに記載のシステム。
【請求項９】
内部シャフト本体は、湾曲した外部シャフト本体に合致するような可撓性を有する、請求項２−８のいずれか１つに記載のシステム。
【請求項１０】
内部シャフト先端部は実質的に直方体または柱状の楕円体である、請求項２−９のいずれか１つに記載のシステム。
【請求項１１】
第１のインターフェースはカム形状を含む、請求項２−１０のいずれか１つに記載のシステム。
【請求項１２】
内部シャフト先端部がインプラント本体のチャンバに合致し回転するように構成される、請求項２−１１のいずれか１つに記載のシステム。
【請求項１３】
内部シャフト先端部が外部シャフト開口部を通過するように構成される、請求項２−１２のいずれか１つに記載のシステム。
【請求項１４】
第１または第２のインターフェースは、第１の表面部および第２の表面部を含み、第１の表面部および第２の表面部が傾斜部によって接続される、請求項２−１３のいずれか１つに記載のシステム。
【請求項１５】
第１および第２の表面部が、内部シャフト先端部が、外部シャフトに対して移動可能な距離を移動させられる、請求項１４のいずれか１つに記載のシステム。
【請求項１６】
外部シャフト本体が湾曲している、請求項２−１５のいずれか１つに記載のシステム。
【請求項１７】
外部シャフトは、炭素繊維強化ポリマー、炭素繊維強化プラスチック、炭素繊維強化熱可塑性プラスチック、ガラス繊維強化ポリマー、ガラス繊維強化プラスチック、およびポリアリ−ルアミドからなるリストから選ばれる少なくとも１つの材料を含む、請求項２−１６のいずれか１つに記載のシステム。
【請求項１８】
外部シャフトは射出成型可能である、請求項２−１７のいずれか１つに記載のシステム。
【請求項１９】
外部シャフト開口部は内部シャフト先端部の通過を可能にするように構成される、請求項２−１８のいずれか１つに記載のシステム。
【請求項２０】
内部シャフト本体の直線移動が、インターフェースまたは相補的インターフェースの高さとカム形状がノブの周面に沿って所定位置から回転する回転角度とによって決定される、請求項２−１９のいずれか１つに記載のシステム。
【請求項２１】
インプラント本体を椎間腔に送達する方法であって：
ａ）インプラント本体をインプラント挿入装置へ固定する工程であって、
ノブの回転が、
ｉ）主スロットの主軸と内部シャフト先端部の主軸とが実質的に平行にならないように、インプラント本体のチャンバ内で内部シャフト先端部を回転させ、
ｉｉ）外部シャフトの挿入端部に対しインプラント本体を固定するために、インプラント本体をインプラント挿入装置の外部シャフトの挿入端部へ直線移動させるような態様で、インプラント挿入装置の内部シャフトのノブを回転させる工程、
ｂ）インプラント挿入装置を使用して、インプラント本体を被処置者へ送達する工程；および
ｃ）インプラント挿入装置の内部シャフトのノブを逆回転させる工程であって、
ｉ）主スロットの主軸と内部シャフト先端部の主軸とが実質的に平行となるように、インプラント本体の主スロット内で内部シャフト先端部を回転させ、
ｉｉ）第２の位置でノブの第１のインターフェースを外部シャフトの第１の相補的インターフェースに関連づけるような態様で、ノブを逆回転させる工程、
を含むことを特徴とする、インプラント本体を椎間腔に送達する方法。
【請求項２２】
使用に先立って無菌のパッケージから挿入装置を取り出す工程を含む、請求項２１に記載の方法。
【請求項２３】
インプラント本体が実質的に挿入装置に固定されるように、インプラント本体の少なくとも１つのサイドスロットを、外部シャフトの挿入端部の少なくとも１つの外部シャフト先端部に合致させる工程を含む、請求項２１または２２のいずれか１つに記載の方法。
【請求項２４】
１回使用後にインプラント挿入装置を処分する工程を含む、請求項２１−２３のいずれか１つに記載の方法。
【請求項２５】
第１および第２の表面部が、内部シャフト先端部が外部シャフトに対して移動可能な距離を移動させられる、請求項２１−２４のいずれか１つに記載の方法。
【請求項２６】
第１および第２の表面部は、傾斜部の長さおよび立ち上がり角度で決定された距離を移動させられる、請求項２１−２５のいずれか１つに記載の方法。
【請求項２７】
ノブの回転がインプラント本体をインプラント挿入装置の外部シャフトの挿入端部から直線的に移動させるような態様で、インプラント挿入装置の内部シャフトのノブを回転させる工程を含む、請求項２１−２６のいずれか１つに記載の方法。
【請求項２８】
１回使用のインプラント本体挿入装置および１回使用インプラントを含む無菌キットであって、
ａ）少なくとも１つの装置トレー、少なくとも１つのインプラント本体、および少なくとも１つのインプラント挿入装置をその内部において囲むための密閉される無菌キットカバーであって、少なくとも１つのインプラント本体および少なくとも１つのインプラント挿入装置は、単一使用のために構成される無菌キットカバー；
ｂ）少なくとも１つのインプラント挿入装置および少なくとも１つのインプラント本体を固定するように構成された少なくとも１つの装置トレー；
ｃ）シャフト；先端部；少なくとも１つのインプラント本体を固定するための第１のインターフェース；少なくとも１つのインプラント本体を固定するための第２のインターフェース；第１の位置；第２の位置；を含む少なくとも１つのインプラント挿入装置：および
ｄ）内部空間、第１の位置で少なくとも１つのインプラント挿入装置に対する少なくとも１つのインプラント本体を固定するためのスロット；第１の位置または第２の位置で少なくとも１つのインプラント挿入装置のインターフェースを受け入れるための第１の相補的インターフェース；第１の位置で少なくとも１つのインプラント挿入装置の第２のインターフェースを受け入れるための第２の相補的インターフェースを含む少なくとも１つのインプラント本体：
を含むことを特徴とする無菌キット。
【請求項２９】
無菌のキットカバーを囲むために密閉される第２の無菌のキットカバーを含む、請求項２８に記載のキット。
【請求項３０】
装置トレーは、少なくとも１つの移植材料のインプラント本体の内部空間への装填を容易にするための、少なくとも１つのインプラント本体を固定するための区画を含む、請求項２８または２９のいずれか１つに記載のキット。
【発明の詳細な説明】
【技術分野】
【０００１】
相互参照
本出願は、２０１３年１１月２６日に出願された米国仮出願第６１／９０８，７３３に基づく優先権を主張し、これが参照によってその全体が明示的にここに組入れられる。
【背景技術】
【０００２】
従来、インプラント挿入装置および脊椎インプラントは、異なる患者および異なる外科的処置の要求に応じるために、個別に機械的に製作される。
【発明の概要】
【発明が解決しようとする課題】
【０００３】
機械加工可能なインプラント挿入装置およびインプラントは、患者、医者及び／又は医療処置の要求に個別的に適合させることができる。しかしながら、異なる材質およびサイズを備えたインプラント挿入装置およびインプラント各々を機械加工するコストは、射出成形が可能な等価物を成型するよりも著しく高い。これらの再使用可能な装置およびインプラントのコストは、それらの製造においてだけでなく、専門的な装置洗浄、オートクレーブ処理、滅菌、輸送およびメンテナンスの費用においても、明白である。汚染の危険性が、使用の間における装置およびインプラントの洗浄および輸送のための複合処置によって生じる。洗浄および滅菌をしないことによって引起される汚染への対処と関連づけられるコストおよび危険性が存在する。
【０００４】
射出成型可能なインプラント挿入装置およびインプラント本体は、それらの機械加工可能な等価物よりも低価格な１つ以上の耐久性素材を使用して、成型することができる。
加えて、射出成型可能なインプラント挿入装置およびインプラント本体は、容易に製造でき、１回使用限りとして配置され得る。それによって、機械加工された等価物の洗浄、オートクレーブ処理、滅菌、輸送またはメンテナンスと関連する汚染が、著しく低減されるか、または完全に除去される。したがって、１使用当たりのインプラント挿入装置およびインプラント本体のコストは、装置が１回使用後に廃棄されるとしても、再使用可能な機械加工された等価物よりも、著しく低い。さらに、射出成型可能なインプラント挿入装置およびインプラントは、汚染を防ぎ、異なる医療処置における外科的要求に応じやすくするために、無菌的で剥離可能な密閉キットにパックされ得る。
【０００５】
いくつかの局面において、以下を含むインプラント送達システムが本明細書で開示される：サポート構造と内部空間とを含むインプラント本体であって、サポート構造は：外面部；外面部に凹ませて形成された主スロット；主スロットから凹ませて形成され、主スロットより奥にあるチャンバ；主スロットに近接する外面部の２つのサイドスロット；を含み、インプラント本体は、実質的に環状であり、内部空間は、その頂部側の木口面および底部側の木口面において、サポート構造によって被覆されず、内部空間は、少なくとも１の移植材料をその内部に受け入れるように構成される；インプラント挿入装置は：内部シャフトを含み、内部シャフトは：内部シャフト本体；内部シャフト本体の基部のノブであって、カム形状を含むノブ；内部シャフト本体の挿入端部の内部シャフト先端部を含み、内部シャフト先端部は実質的に、柱状の円形（ｃｙｌｉｎｄｒｉｃａｌｌｙ  ｃｉｒｃｕｌａｒ）では形状であり、内部シャフト先端部は、内部シャフト先端部の回転面に垂直な少なくとも１つの寸法において、これに対し直接的に隣接する内部シャフト本体よりも幅が広い；内部シャフト本体をその内部に保持するように構成された外部シャフトは；中空の外部シャフト本体であって、内部シャフト本体をその中に収容するように構成される外部シャフト本体；外面部；外部シャフトの外面部の外部シャフト開口部であって、内部シャフト先端部の通過を可能にするように構成されている外部シャフト開口部；インプラント本体の２つのサイドスロットに合致する外面部の２つの外部シャフト先端部；第１の位置でノブのカム形状を受け入れるように構成された外部シャフトの基部の第１の表面部；第２の位置でノブのカム形状を受け入れるように構成された外部シャフトの基部の第２の表面部；第１または第２の位置でカム形状を停止させるように構成された外部シャフトの基部のストッパ；外部シャフトの基部の傾斜部であって、第１の表面部を第２の表面部に接続する傾斜部を含む。内部シャフトは、外部シャフト内で回転し、それによってカム形状が外部シャフトの基部において第１の位置または第２の位置に移動するように構成され、内部シャフトの回転が、内部シャフト先端部の回転平面に垂直な方向に沿った内部シャフトの直線移動に変換されるように構成され、内部シャフト先端部は、インプラント本体の主スロットを通って合致し、かつ内部シャフトに対しインプラント本体を固定または解放するために、インプラント本体のチャンバ内で回転するように構成され、インプラント本体の２つのサイドスロットは、外部シャフトにインプラント本体を取り付けるために、外部シャフトの外面部の２つの外部シャフト先端部に合致するように構成され、および、内部シャフトは、第１の位置で外部シャフトから解放され、内部シャフトは、第２の位置で外部シャフトに固定される。
【０００６】
いくつかの局面において、以下を含むインプラント送達システムが本明細書で開示される：下記を含むインプラント挿入装置：内部シャフトであって：内部シャフト本体；内部シャフト本体の基部のノブであって、第１のインターフェースを含むノブ；内部シャフト本体の挿入端部の内部シャフト先端部であって、実質的に柱状の円形ではない内部シャフト先端部；を含む。内部シャフト本体がその内部に保持されるように構成された外部シャフトは：中空の外部シャフト本体であって、内部シャフト本体をその内部に収容するように構成される外部シャフト本体；外面部；外部シャフトの外面部の外部シャフト開口部；内部シャフトの第１のインターフェースを受け入れるように構成された、外部シャフトの基部の第１の相補的インターフェース；インプラント本体の第２のインターフェースを受け入れるための、外面部の第２の相補的なインターフェース；を含み、内部シャフトの回転が、第１の位置または第２の位置において、第１の相補的インターフェースを第１のインターフェースに関連づけるように構成され、内部シャフト先端部は、インプラント本体の主スロットを通って合致し、インプラント本体を内部シャフトに固定するために、インプラント本体のチャンバ内で回転するように構成される。
【０００７】
いくつかの場合において、以下を含むインプラント送達システムが本明細書で開示される：下記を含むインプラント挿入装置：内部シャフトであって：内部シャフト本体；内部シャフト本体の基部のノブであって、第１のインターフェースを含むノブ；内部シャフト本体の挿入端部の内部シャフト先端部であって、実質的に柱状でない円形の内部シャフト先端部；を含む。内部シャフト本体をその内部に保持するように構成された外部シャフトは：中空の外部シャフト本体であって、内部シャフト本体をその内部において収容するように構成される外部シャフト本体；外面部；外部シャフトの外面部の外部シャフト開口部；ノブの第１インターフェースを受け入れるように構成される、外部シャフトの基部の第１の相補的インターフェース；外面部の第２の相補的インターフェース；含む。インプラント本体はサポート構造および内部空間を含み、サポート構造は：外面部；外面部へ凹ませて形成された主スロット；主スロットから凹ませて形成され、主スロットの奥に位置するチャンバ；外面部で第２の相補的インターフェースと合致するための、主スロットに近接する外面部の第２のインターフェース；を含み、インプラント本体は実質的に環状であり、内部空間は、それらの頂部側木口面、底部側木口面、または、頂部及び底部側の木口面において、サポート構造によって被覆されないとともに、内部空間は少なくとも１つの移植材料を受け入れるように構成され、内部シャフトの回転が、第１の位置または第２の位置において、第１の相補的インターフェースを第１のインターフェースに関連づけるように構成され、内部シャフト先端部が、インプラント本体の主スロットを通って合致し、かつインプラント本体を内部シャフトへ固定するために、インプラント本体のチャンバ内で回転するように構成される。
【０００８】
いくつかの局面において、インプラント挿入装置を使用して、インプラント本体を送達するための以下を含む方法が本明細書で開示される：インプラント挿入装置の内部シャフトのノブを回転させることによって、ノブの回転が：主スロットの主軸と内部シャフト先端部の主軸とが実質的に平行とはならないようにインプラント本体のチャンバ内で内部シャフト先端部を回転させ、外部シャフトの挿入端部に対してインプラント本体を固定するために、インプラント挿入装置の外部シャフトの挿入端部へ向かって、インプラント本体を直線移動させるという方法で、インプラント本体をインプラント挿入装置に固定する工程、挿入装置を使用して、インプラント本体を被処置者へ送達する工程；インプラント挿入装置の内部シャフトのノブを逆回転させる工程であって、ノブの逆回転が、主スロットの主軸および内部シャフト先端部の主軸が実質的に平行になるように、インプラント本体の主スロット内で内部シャフト先端部を回転させ、ノブの第１インターフェースを第２の位置の外部シャフトの第１の相補的インターフェースに関連づけるようになされる工程。
いくつかの局面において、方法は椎間腔にインプラントを挿入することを含む。
いくつかの局面において、椎間腔は腰部である。
いくつかの局面において、椎間腔は頚部である。
いくつかの局面において、椎間板材質がインプラントを挿入する前に、椎間腔から取り除かれる。
いくつかの局面において、インプラントは椎間板の内部へ挿入される。
【０００９】
いくつかの場合において、インプラント挿入装置を使用して、被処置者の椎間腔へインプラント本体を提供することを含む、以下を含むインプラント本体を送達する方法が本明細書で開示される：インプラント挿入装置の内部シャフトのノブを回転させる工程であって、ノブの回転が、主スロットの主軸および内部シャフト先端部の主軸が実質的に平行となるように実質的に冠状面においてインプラント本体の主スロット内で内部シャフト先端部を回転させるとともに、  ノブの第１のインターフェースを、固定されていない位置の外部シャフトの第１の相補的インターフェースに関連付ける工程；および、被処置者の椎間腔にインプラント本体を配置する工程。
いくつかの局面において、方法は椎間腔にインプラントを挿入する工程を含む。
いくつかの局面において、椎間腔は腰部である。
いくつかの局面において、椎間腔は頚部である。
いくつかの局面において、椎間板材質が、インプラントを挿入する前に椎間腔から取り外される。
いくつかの局面において、インプラントは椎間板の内部へ挿入される。
【００１０】
いくつかの局面において、１回使用のインプラント本体挿入装置および１回使用インプラント本体を含む、無菌キットが本明細書に開示され、無菌キットは、以下を含む：少なくとも１つの装置トレー、少なくとも１つのインプラント本体、および少なくとも１つのインプラント挿入装置をその内部に収容するために密閉される無菌キットカバーを含み、少なくとも１つのインプラント本体および少なくとも１つのインプラント挿入装置が一回使用のために構成され；少なくとも１つの装置トレーは少なくとも１つのインプラント挿入装置；少なくとも１つのインプラント本体；を固定するように構成され：少なくとも１つのインプラント挿入装置は以下を含む：シャフト；先端部；少なくとも１つのインプラント本体を固定するための第１のインターフェース；少なくとも１つのインプラント本体を固定するための第２のインターフェース；第１の位置；第２の位置；および、少なくとも１つのインプラント本体は以下を含む：内部空間；第１位置で少なくとも１つのインプラント挿入装置に対し少なくとも１つのインプラント本体を固定するためのスロット；第１位置または第２の位置で少なくとも１つのインプラント挿入装置のインターフェースを受け入れるための第１の相補的インターフェース；第１位置で少なくとも１つのインプラント挿入装置の第２のインターフェースを受け入れるための第２の相補的インターフェース。
いくつかの局面において、無菌キットは、インプラントの移植窓内のあらかじめ組立てられた移植材料を含んでもよい。
移植材料は、パックされた同種移植骨（脱ミネラル化され又はされない）、移植物の容積形状と見なせるパックされた生体適合性セラミックス粒状物（βリン酸三カルシウム、ハイドロキシアパタイト、硫酸カルシウム、および等価物）、生体ガラスを備えまたは備えない、および、ヒアルロン酸を備えまたは備えないコラーゲンのような生体適合性マトリックスによって保持される生体適合性セラミック粒状物であってもよい。
【図面の簡単な説明】
【００１１】
【図１ａ】インプラント挿入装置、およびインプラント挿入装置に取り付けられたインプラント本体の実施形態を示す。
【００１２】
【図１ｂ】インプラント挿入装置の実施形態を示す。
【００１３】
【図２】インプラント挿入装置の実施形態を示す。
【００１４】
【図３】インプラント本体の実施形態を示す。
【００１５】
【図４】インプラント本体の実施形態を示す。
【００１６】
【図５】図３に示される実施形態を成型するために使用される３分割型を示す。
【００１７】
【図６】インプラント本体の実施形態を示す。
【００１８】
【図７】図２のインプラント挿入装置の内部シャフトおよび外部シャフトの実施形態を示す。
【００１９】
【図８】内部シャフト先端部の実施形態を示す。
【００２０】
【図９】外部シャフトの基部の実施形態を示す。
【００２１】
【図１０】内部シャフトと外部シャフトの固定インターフェースの実施形態を示す。
【００２２】
【図１１】内部シャフトが外部シャフトから誤って取り外されるのを防ぐ実施形態を示す。
【００２３】
【図１２】インプラント挿入装置の実施形態を示す。
【００２４】
【図１３】図１２のインプラント挿入装置を成型するための型を示す。
【００２５】
【図１４】内部シャフトのノブおよび外部シャフトの基部の実施形態を示す。
【００２６】
【図１５】内部シャフトのノブの実施形態を示す。
【００２７】
【図１６】インプラント本体をインプラント挿入装置へ固定するための、外部シャフトに対する内部シャフトの回転および内部シャフトの直線移動の実施形態を示す。
【発明を実施するための形態】
【００２８】
慢性の脊椎痛は、世界中の多くの人々の間での共通の問題であり、健康および生活の質の主たる関心事である。背部痛は、人の仕事に対する能力、集中力、及び運動を害し、従って、生活の質に本質的な影響を与える。頚部または背部のいずれかにおける脊椎痛は、多くの場合、１つ以上の椎間板に対する損傷と関連づけられる。椎間板ヘルニアは、円板領域の外側に、その軟質な内部保護物質（髄核）を滲み出させる可能性がある。この滲み出た物質が、背骨に沿って走る神経の上を圧迫すると、その結果、可動域を損ない、鋭い局所的疼痛、及び／又は、１箇所以上の末端部に対する鈍い放散痛をもたらす。脊椎痛の副次的効果には、うつ病、作業効率の低下、および、早期の認知退行が含まれ得る。
【００２９】
脊椎痛を処理する有効な１つの手法は、隣接脊椎の融合である。隣接椎骨の融合は、例えば、ヘルニアを生じた椎間板内や、ヘルニアを生じた椎間板の除去によって形成された空間内のように、椎骨間に移植組織を導入することによって達成することができる、本明細書で使用されるような移植組織は、例えば、処置の間に被処置者のどこか他の部分から採取した骨組織のような、自己由来の被処置者の組織を含んでもよい。移植組織は、死体由来でも、被処置者または他の者に由来する分化した又は未分化の細胞集団から培養され、または合成的に産生されるものでもよい。移植組織は、適切に挿入され保護されるならば、隣接椎骨の融合を誘導することができる。
【００３０】
移植組織の安定化は、重要な課題である。脊柱、特に腰椎および頸椎は、実質的に圧力を支持しなければならず、また、これらの圧力は、不安定な移植物を容易に粉砕させる可能性がある。移植材料は、周囲の組織に対する損傷を最小限にして、椎間腔へ送達されなければならない。
【００３１】
加えて、処置の間の移植材料または挿入部位の汚染または感染は、重要な危険事項である。移植材料の挿入のための現在の手法および装置は、使用の間に滅菌されなくてはなたない再使用可能な機械加工された材料を含んでいる。しかし、この方法は、装置の再使用を可能にするが、滅菌処理法はコスト高価であるとともに、危険性がなくなるわけではない。何故なら、滅菌が不完全か不衛生な材料は、主要な合併症を導く可能性があるからである。
【００３２】
射出成型される装置は、１回使用の材料の耐久性を損なうことなく、実質的に生産コストがより低い材料から製作することが可能である。これらの射出成型された装置は、無菌的に製造および梱包することができ、そのため、汚染の危険性なしに、手術室へそれらを運ぶことが可能である。一旦使用されたならば、それらは、洗浄され滅菌されるのではなく処分される。この１回使用の局面は、医学的および経済的な利益を両方有する：多数回使用の装置に関連する危険性に比べて、感染の危険性が大幅に低減される；および、射出成形される装置の製造コストは、再使用のために装置を滅菌するコストに比べて大幅に低い。
【００３３】
従って、本明細書に開示される１回使用の、射出成型可能な装置および方法は、被処置者の健康を増進し、感染の危険性を低減し、医療コストを低減することが可能である。
【００３４】
本明細書で、ある実施形態において、以下を含むインプラント送達システムが開示される：サポート構造および内部空間を含むインプラント本体であって、サポート構造は：外面部；外面部に凹ませて形成された主スロット；主スロットから凹ませて形成され、主スロットよりも奥にあるチャンバ；主スロットに近接する外面部の２つのサイドスロット；を含み、
インプラント本体は実質的に環状であり、内部空間は、頂部側の木口面および底部側の木口面がサポート構造によって被覆されず、内部空間は、少なくとも１つの移植材料をその内部に受け入れるように構成され；
インプラント挿入装置は：内部シャフト本体；内部シャフト本体の基部のノブであって、カム形状を含むノブ；内部シャフト本体の挿入端部の内部シャフト先端部、を含む内部シャフト：を含み、内部シャフト先端部は、実質的に柱状でない円形であるとともに、内部シャフト先端部は、内部シャフト先端部の回転面に垂直な少なくとも１つの寸法において、それと直接的に隣接する内部シャフト本体よりも幅が広くなされ；
内部シャフト本体をその内部に保持するように構成された外部シャフトを含み、外部シャフトは：中空の外部シャフト本体であって、内部シャフト本体をその内部において収容するように構成される外部シャフト本体；外面部；外部シャフトの外面部の外部シャフト開口部であって、内部シャフト先端部の通過を可能にするように構成されている外部シャフト開口部；インプラント本体の２つのサイドスロットに合致するための外面部の２つの外部シャフト先端部；第１の位置でノブのカム形状を受け入れるように構成された外部シャフトの基部の第１の表面部；第２の位置でノブのカム形状を受け入れるように構成された外部シャフトの基部の第２の表面部；第１または第２の位置でカム形状を停止させるように構成された外部シャフトの基部でのストッパ；外部シャフトの基部の傾斜部であって、第１の表面部を第２の表面部に接続する傾斜部を含み、
内部シャフトは、カム形状が外部シャフトの基部で第１の位置または第２の位置へ移動するように、外部シャフト内で回転するように構成され、
内部シャフトの回転が、内部シャフト先端部の回転面に垂直な方向に沿った内部シャフトの直線移動に変換されるように構成され、
内部シャフト先端部は、インプラント本体の主スロットを通じて合致して、内部シャフトに対しインプラント本体を固定または解放するために、インプラント本体のチャンバ内で回転するように構成され、
インプラント本体の２つのサイドスロットは、インプラント本体を外部シャフトに取り付けるために、外部シャフトの外面部で２つの外部シャフト先端部に合致するように構成され、
内部シャフトは、第１の位置で外部シャフトから解放され、
および、内部シャフトは、第２の位置で外部シャフトに固定される。
【００３５】
同様に本明細書で、ある実施形態において、以下を含むインプラント送達システムが開示される：
以下を含むインプラント挿入装置：
内部シャフト本体；内部シャフト本体の基部のノブであって、第１のインターフェースを含むノブ；内部シャフト本体の挿入端部の内部シャフト先端部であって、実質的に柱状でない円形の内部シャフト先端部；を含む内部シャフト：と
内部シャフト本体をその内部に保持するように構成された外部シャフトであって：中空の外部シャフト本体であって、内部シャフト本体をその内部において収容するように構成される外部シャフト本体；外面部；外部シャフトの外面部の外部シャフト開口部；内部シャフトの第１のインターフェースを受け入れるように構成された外部シャフトの基部の第１の相補的インターフェース；インプラント本体の第２のインターフェースを受け入れるための、外面部の第２の相補的インターフェース；を含む外部シャフト。
内部シャフトの回転が、第１の相補的インターフェースを、第１の位置または第２の位置の第１インターフェースに関連づけるように構成され、
そこでは、内部シャフト先端部は、インプラント本体の主スロットを通じて合致して、インプラント本体を内部シャフトへ固定するためにインプラント本体のチャンバ内で回転するように構成される。
いくつかの場合において、インプラント送達システムは、サポート構造および内部空間を含むインプラント本体を含み、サポート構造は：外面部；外面部へ凹ませて形成された主スロット；主スロットから凹ませて形成されたチャンバであって、主スロットの奥に位置するチャンバ；主スロットに近接する外面部の第２のインターフェース；を含む。
インプラント本体は実質的に環状であり、および、内部空間は、それらの頂部側の木口面、底部側の木口面、または頂部側および底部側の木口面が、サポート構造によって被覆されず、内部空間は、少なくとも１つの移植材料を受け入れるように構成され；内部空間は、少なくとも１つの移植材料を含むように構成される。
いくつかの場合において、インプラント本体の第２のインターフェースは、インプラント本体を外部シャフトに取り付けるために、外部シャフトの外面部で第２の相補的インターフェースと合致するように構成される。いくつかの場合において、インプラント挿入装置は、使い捨てである。いくつかの場合において、インプラント挿入装置は、１回限りの使用向けである。いくつかの場合において、インプラント挿入装置は、射出成型可能である。いくつかの場合において、インプラント送達システムは、使い捨てである。いくつかの場合において、インプラント送達システムは、１回限りの使用向けである。いくつかの場合において、第２のインターフェースは、主スロットに近接してインプラント本体へ凹ませて形成された少なくとも１つのサイドスロットを含み、各サイドスロットは、外部シャフト先端部を受け入れるように構成される。いくつかの場合において、少なくとも１つのサイドスロットは、主スロットの周辺に近接する。いくつかの場合において、少なくとも１つのサイドスロットは、主スロットより浅い。いくつかの場合において、主スロットおよび少なくとも１つのサイドスロットは、サポート構造に凹ませて形成される。いくつかの場合において、主スロットは、挿通方向に沿った２つのサイドスロットよりも、インプラント本体の壁により深く凹ませて形成される。いくつかの場合において、インプラント本体の内部空間は、少なくとも１つの移植材料によって少なくとも一部が充填される。いくつかの場合において、インプラント本体は、実質的に環状である。いくつかの場合において、環状の形状は、連続的に積重ねられた複数の木口面を有する形状であり、各木口面は、壁によって囲まれた任意の２次元的中空領域を有している。いくつかの場合において、インプラント本体の高さは、インプラント本体が適切に挿入されるときに脊髄の脊柱前湾角度に適応するために、前後方向に沿って均一でない。いくつかの場合において、環状の形状は、任意の三次元的容積の全体にわたる開孔を含む形状である。いくつかの場合において、内部空間は、それらの頂部側の木口面、底部側の木口面、頂部側および底部側の木口面が、インプラント本体によって被覆されない。いくつかの場合において、内部空間を囲むインプラント本体は、壁厚が、少なくとも１ミリメートルで、３センチメートル以下である。いくつかの場合において、インプラント本体は、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選択される少なくとも１つを含む。いくつかの場合において、インプラント本体は、射出成型可能である。いくつかの場合において、インプラント本体は、機械加工可能である。いくつかの場合において、インプラント本体は、インプラント本体の外面部上に、被処置者への一方向の挿入を可能にするように構成された鋸状歯を含む。いくつかの場合において、鋸状歯は、インプラント本体の長手方向の平面上にさらに配置される。
いくつかの場合において、鋸状歯は、挿入後に、インプラント本体が滑り出るのを防ぐように構成される。
いくつかの場合において、インプラント本体は、少なくとも１つの検知可能なタグを収容するための少なくとも１つの空間を含む。
いくつかの場合において、少なくとも１つの検知可能タグは、無線電波検知可能タグを含む。
いくつかの場合において、少なくとも１つの空間は、インプラント本体の壁に存在する。
いくつかの場合において、インプラント本体は、検知可能タグのための２つの空間を含み、２つの空間は、それらの最も広い寸法において５ｍｍ以下である。
いくつかの場合において、インプラント本体は、検知可能タグのための２つの空間を含み、２つの空間は、互いから空間的に分離している。
いくつかの場合において、インプラント本体は、検知可能タグのための４つの空間を含み、４つの空間は、互いから空間的に分離している。
いくつかの場合において、長手方向の平面に沿ったインプラント本体の木口面は、インプラント本体によって形成される閉じた輪郭線を含む。
いくつかの場合において、閉じた輪郭線は、その内部に領域を囲む。
いくつかの場合において、内部空間は、複数の隣接する長手方向の平面における閉じた輪郭線によって囲まれる。
いくつかの場合において、長手方向の平面に沿ったインプラント本体の木口面は、正方形、長方形、円、楕円、菱形、台形、五角形、または、閉じた輪郭線の中空の２次元的領域を壁によって囲む任意の２次元的形状である。
いくつかの場合において、長手方向の平面に沿ったインプラント本体の木口面は、そこへ挿入させるための椎間腔の木口面に類似する二次元的形状である。
いくつかの場合において、長手方向の平面に沿ったインプラント本体の木口面は、閉じた輪郭線に沿った非均一の厚みを備える閉じた輪郭線を含む。
いくつかの場合において、閉じた輪郭線に沿った非同一の厚みは、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選択される少なくとも１で充填される。
いくつかの場合において、インプラント本体のチャンバは、長手方向に沿った外面部の最上部の領域または最低部の領域から凹ませて形成されたスロットに接続される。
いくつかの場合において、サポート構造の最上部の領域または最低部の領域のスロットは、チャンバの射出成形を容易にするように構成される。
いくつかの場合において、サポート構造の最上部の領域または最低部の領域のスロットは、内部シャフト先端部の可視化を可能にするように構成される。
いくつかの場合において、内部シャフトは使い捨てである。
いくつかの場合において、内部シャフトは１回限りの使用向けである。
いくつかの場合において、内部シャフトは、から選択される少なくとも１つを含む。
炭素繊維強化ポリマー、炭素繊維強化プラスチック、炭素繊維強化熱可塑性プラスチック、ガラス繊維強化ポリマー、ガラス繊維強化プラスチック、およびポリアリールアミド。
いくつかの場合において、内部シャフトは約５０％のガラスを含む。
いくつかの場合において、内部シャフトは、ガラス含有率が、少なくとも１０％から７０％以下までである。
いくつかの場合において、内部シャフト先端部は、少なくとも１つの金属を含む。
いくつかの場合において、内部シャフト本体は、少なくとも１つの金属を含む。
いくつかの場合において、内部シャフトは、射出成型可能である。
いくつかの場合において、内部シャフト先端部は、射出成型可能である。
いくつかの場合において、内部シャフト本体は、射出成型可能である。
いくつかの場合において、ノブは、射出成型可能である。
いくつかの場合において、内部シャフトは、射出成型可能かつ機械加工可能である。
いくつかの場合において、内部シャフト本体は、実質的に円柱状である。
いくつかの場合において、内部シャフト本体は、湾曲した外部シャフト本体に合致するような可撓性を有する。
いくつかの場合において、内部シャフト本体は円筒状である。
いくつかの場合において、内部シャフトのノブは、外部シャフトで囲まれない。
いくつかの場合において、内部シャフト先端部は、外部シャフトで囲まれない。
いくつかの場合において、内部シャフト先端部は、内部シャフト本体が回転すると、内部シャフト先端部が同心的に回転するような態様で、内部シャフト本体に接続される。
いくつかの場合において、内部シャフト先端部は、内部シャフト本体の木口面の中心と、内部シャフト先端部の２つの頂点の中間点とが重なるように、内部シャフト本体に取り付けられる。
いくつかの場合において、直線移動は、内部シャフト先端部を、２つの外部シャフト先端部の方へ引っ張る。
いくつかの場合において、内部シャフト先端部は実質的に、直方体か、または円柱状の楕円体である。
いくつかの場合において、内部シャフトは、内部シャフト先端部に近接する少なくとも２つの突部を含む。
いくつかの場合において、少なくとも２つの突部は、外部シャフト内での、内部シャフトの同心的回転を保証するように構成される。
いくつかの場合において、少なくとも２つの突部は、外部シャフトの内表面と接触する。
いくつかの場合において、第１または第２のインターフェースはカムを含む（ｃａｍｐｉｎｇ）。いくつかの場合において、カム形状は半円形である。
いくつかの場合において、カム形状は、実質的に扇形、三角形、四角形または五角形である。
いくつかの場合において、カム形状は実質的に、中心角が少なくとも１５度から２７５度までの扇形である。
いくつかの場合において、カム形状は実質的に、角度が少なくとも１５度から１５０度までの三角形、四角形または五角形である。
いくつかの場合において、カム形状は、内部シャフトのノブに取り付けられている。
いくつかの場合において、ノブは、実質的に円柱状である。
いくつかの場合において、ノブの木口面は、内部シャフト本体の木口面より大きい。
いくつかの場合において、内部シャフトのノブは、外部シャフトの基部で、外部シャフトに嵌合しないように構成される。
いくつかの場合において、ノブは、少なくとも１つの隆起を含む。
いくつかの場合において、隆起は、内部シャフトが外部シャフトに対し回転しないように、内部シャフトを外部シャフトに第２の位置で固定するように構成される。
いくつかの場合において、内部シャフト先端部は実質的に、直方体または柱状の楕円体である。
いくつかの場合において、内部シャフト先端部は、インプラント本体のチャンバ内で、合致し回転するように構成される。
いくつかの場合において、内部シャフト先端部は、外部シャフト開口部を通過するように構成される。
いくつかの場合において、内部シャフト先端部は、内部シャフト先端部の主軸と外部シャフト開口部の主軸とが実質的に平行であるときのみ、外部シャフト開口部を通過するように構成される。
いくつかの場合において、第１または第２の相補的インターフェースは、カム形状を含む。
いくつかの場合において、第１または第２のインターフェースは、第１の表面部および第２の表面部を含み、第１の表面部と第２の表面部とが傾斜部によって接続される。
いくつかの場合において、第１および第２の表面部は、内部シャフト先端部が外部シャフトに対し移動可能である距離を、移動させられる。
いくつかの場合において、第１および第２の表面部は、傾斜部の長さと立ち上がり角度とで決定される距離を移動する。
いくつかの場合において、第１または第２のインターフェースは、少なくとも１つのスロットを含む。
いくつかの場合において、第１または第２の相補的インターフェースは、少なくともスロットを含む。
いくつかの場合において、第１または第２のインターフェースは、少なくとも１つの先端部を含む。
いくつかの場合において、外部シャフト本体は、湾曲している。
いくつかの場合において、外部シャフトは、使い捨てである。
いくつかの場合において、外部シャフトは１回限りの使用向けである。
いくつかの場合において、外部シャフトは、炭素繊維強化ポリマー、炭素繊維強化プラスチック、炭素繊維強化熱可塑性プラスチック、ガラス繊維強化ポリマー、ガラス繊維強化プラスチックおよびポリアリールアミドから成るリストから選ばれる少なくとも１つの材料を含む、
いくつかの場合において、外部シャフトは、約５０％のガラスを含む。
いくつかの場合において、外部シャフトは、少なくとも１０％から７０％以下までのガラス含有率を有する材料を含む。
いくつかの場合において、外部シャフトは、射出成型可能である。
いくつかの場合において、外部シャフトは、射出成型可能かつ機械加工可能である。
いくつかの場合において、外部シャフトの断面積は、外部シャフトの基部から外部シャフトの挿入端部まで、単調に増加しない。
いくつかの場合において、外部シャフト開口部は、実質的に円形である。
いくつかの場合において、外部シャフト開口部は、内部シャフト先端部の通過を可能にするように構成される。
いくつかの場合において、外部シャフトは第３のインターフェースを含み、第３のインターフェースは、第１の位置で隆起に対し解放され、第２の位置で隆起に固定される。
いくつかの場合において、外部シャフトは、被処置者の椎間腔への挿入深さを制限するための、外部シャフト上の少なくとも１つの挿入ストッパを含む。
いくつかの場合において、外部シャフトは、少なくとも外部シャフトに取り付けられた挿入ストッパを含む。
いくつかの場合において、外部シャフトは、少なくとも挿入ストッパを含み、挿入ストッパの高さは、０．２ミリメートル以上、２センチメートル未満である。
いくつかの場合において、外部シャフトは、その内部に内部シャフトが挿入される間に、内部シャフトが滑り出るのを防ぐための少なくとも傾斜された突部を含む。
いくつかの場合において、外部シャフトは、インプラント本体が内部シャフト先端部に固定されないときに、内部シャフトだけが外部シャフトから出て来るようにする、少なくとも傾斜された突部を含む。
いくつかの場合において、外部シャフトは、内部シャフト先端部の主軸とインプラント本体の主スロットの主軸とが実質的に垂直であるときに、内部シャフトだけが外部シャフトから出て来るようにする、少なくとも傾斜された突部を含む。
いくつかの場合において、外部シャフトの挿入端部の外部シャフト開口部はさらに、内部シャフト先端部の主軸と外部シャフト開口部の主軸とが実質的に平行であるときのみ、内部シャフト先端部の通過を可能にするように構成される。
いくつかの場合において、第１の相補的インターフェースは、第１の表面部および第２の表面部を含む。
いくつかの場合において、第１の表面部および第２の表面部は、半円形である。
いくつかの場合において、第１の表面部および第２の表面部は、扇形の一部である。
いくつかの場合において、第１表面部および第２の表面部は、中心角が４５、６０、９０，１２０、または１５０度の扇形の一部である。
いくつかの場合において、第１表面部および第２の表面部は、中心角が少なくとも１５度から２７５度の扇形の一部である。
いくつかの場合において、第１表面部および第２の表面部は、中心角が６５、７５、８５、９０、９５、１０５または１１５度の扇形の一部である。
いくつかの場合において、第１または第２の相補的インターフェースは、少なくとも１つの先端部を含む。
いくつかの場合において、少なくとも１つの先端部は、実質的に半直方体または半柱状の楕円体である。
いくつかの場合において、少なくとも１つの先端部は、外部シャフトの挿入端部の外部シャフト開口部の周辺に近接する。
いくつかの場合において、少なくとも１つの先端部および他の先端部は、外部シャフトの挿入端部の外部シャフト開口部に対し、外部シャフト開口部の主軸の延長線上で、対称的に隣接する。
いくつかの場合において、少なくとも１つの先端部は、外部シャフトの外面部上にある。
いくつかの場合において、各先端部は、実質的に半直方体または半柱状の楕円体である。
いくつかの場合において、各先端部は、インプラント本体が外部シャフトに固定されるときに、インプラント本体の１つのサイドスロットに合致するように構成される。
いくつかの場合において、インプラント本体の内部シャフトへの固定は、主スロットの主軸と内部シャフト先端部の主軸とが実質的に平行ではない状態を含む。
いくつかの場合において、実質的に平行ではない状態は、主スロットの主軸と内部シャフト先端部の主軸との間の角度が約９０度であることを含む。
いくつかの場合において、内部シャフト本体の直線移動は、インターフェースまたは相補的インターフェースの高さと、カム形状がノブの周面に沿って所定の位置から回転する回転角度とによって決定される。
【００３６】
同じく本明細書で、ある実施形態において、以下を含むインプラント送達システムが開示される：
下記を含むインプラント挿入装置：
内部シャフト本体；内部シャフト本体の基部のノブであって、第１のインターフェースを含むノブ；内部シャフト本体の挿入端部の内部シャフト先端部であって、実質的に断面円形ではない柱状である内部シャフト先端部；を含む内部シャフト：
内部シャフト本体をその内部に保持するように構成された外部シャフトであって、
中空の外部シャフト本体であって、内部シャフト本体をその内部において収容するように構成される外部シャフト本体；外面部；外部シャフトの外面部の外部シャフト開口部；ノブの第１インターフェースを受け入れるように構成された、外部シャフトの基部の第１の相補的インターフェース；外面部の第２の相補的インターフェース；を含む外部シャフト：
サポート構造および内部空間を含むインプラント本体であって、サポート構造は、外面部；外面部へ凹ませて形成された主スロット；主スロットから凹ませて形成され、主スロットの奥に位置するチャンバ；外面部で第２の相補的インターフェースに合致するための、主スロットに近接する外面部の第２のインターフェース；を含み：
インプラント本体は実質的に環状であり、
内部空間は、それらの頂部側の木口面、底部側の木口面、または頂部側および底部側の木口面が、サポート構造によって被覆されず、
内部空間は少なくとも１つの移植材料を受け入れるように構成され、
内部シャフトの回転が、第１の位置または第２の位置で、第１の相補的インターフェースを第１のインターフェースへ関連づけるように構成され、
内部シャフト先端部が、インプラント本体の主スロットを通じて合致して、インプラント本体を内部シャフトに固定するために、インプラント本体のチャンバで回転するように構成される。
いくつかの場合において、インプラント送達システムは、サポート構造と内部空間とを含むインプラント本体を含み、
サポート構造は、外面部；外面部へ凹ませて形成された主スロット；主スロットから凹ませて形成されたチャンバであって、主スロットの奥に位置するチャンバ；主スロットに近接する外面部の第２のインターフェース；を含み：
インプラント本体は実質的に環状であり、内部空間は、それらの頂部側の木口面、底部側の木口面、または頂部側および底部側の木口面がサポート構造によって被覆されず、
内部空間は少なくとも１つの移植材料を受け入れるように構成され；
内部空間は少なくとも移植材料を含むように構成される。
いくつかの場合において、インプラント本体の第２のインターフェースは、インプラント本体を外部シャフトに取り付けるために、外部シャフトの外面部で第２の相補的インターフェースと合致するように構成される。
いくつかの場合において、インプラント挿入装置は、使い捨てである。
いくつかの場合において、インプラント挿入装置は、１回限りの使用向けである。
いくつかの場合において、インプラント挿入装置は、射出成型可能である。
いくつかの場合において、インプラント送達システムは、使い捨てである。
いくつかの場合において、インプラント送達システムは、１回限りの使用向けである。
いくつかの場合において、第２のインターフェースは、主スロットに近接してインプラント本体へ凹ませて形成された少なくとも１つのサイドスロットを含み、各サイドスロットは、外部シャフト先端部を受け入れるように構成される。
いくつかの場合において、少なくとも１つのサイドスロットは、主スロットの周辺に近接する。
いくつかの場合において、少なくとも１つのサイドスロットは、主スロットより浅い。
いくつかの場合において、主スロットおよび少なくとも１つのサイドスロットは、サポート構造に凹ませて形成されている。
いくつかの場合において、主スロットは、挿通方向に沿った２つのサイドスロットよりも、インプラント本体の壁へより深く凹ませて形成されている。
いくつかの場合において、インプラント本体の内部空間は、少なくとも１つの移植材料によって、少なくとも部分的に充填される。
いくつかの場合において、インプラント本体は、実質的に環状である。
いくつかの場合において、環状の形状は、連続的に積重ねられた複数の木口面を備える形状であって、各木口面は、壁によって囲まれた任意の２次元的中空領域を囲む。
いくつかの場合において、インプラント本体の高さは、インプラント本体が適切に挿入されたときに、脊髄の脊柱前湾角度を収容するために、前後方向に沿って不均一である。
いくつかの場合において、環状である形状は、任意の三次元的容積の全体にわたる開孔を含む形状である。
いくつかの場合において、内部空間は、それらの頂部側の木口面、底部側の木口面、または頂部側および底部側の木口面が、インプラント本体によって被覆されない。
いくつかの場合において、内部空間を囲むインプラント本体は、壁厚が、少なくとも１ミリメートルであって、３センチメートル以下である。
いくつかの場合において、インプラント本体は、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選択される少なくとも１つを含む。
いくつかの場合において、インプラント本体は、射出成型可能である。
いくつかの場合において、インプラント本体は、機械加工可能である。
いくつかの場合において、インプラント本体は、被処置者への一方向の挿入を可能にするように構成された、インプラント本体の外面部上の鋸状歯を含む。
いくつかの場合において、鋸状歯はさらに、インプラント本体の長手方向の平面に配置される。
いくつかの場合において、鋸状歯は、挿入後に、インプラント本体が滑り出るのを防ぐように構成される。
いくつかの場合において、インプラント本体は、少なくとも１つの検知可能タグを収容する少なくとも１つの空間を含む。
いくつかの場合において、少なくとも１つの検知可能タグは、無線電波検知可能タグを含む。
いくつかの場合において、少なくとも１つの空間は、インプラント本体の壁内に存在する。
いくつかの場合において、インプラント本体は、検知可能タグのための２つの空間を含み、２つの空間は、最も広い寸法が５ｍｍ以下である。
いくつかの場合において、インプラント本体は、検知可能タグのための２つの空間を含み、２つの空間は、空間的に互いに分離している。
いくつかの場合において、インプラント本体は、検知可能タグのための４つの空間を含み、４つの空間は、空間的に互いに分離している。
いくつかの場合において、長手方向の平面に沿ったインプラント本体の木口面は、インプラント本体によって形成される閉じた輪郭線を含む。
いくつかの場合において、閉じた輪郭線は、その内部に領域を囲む。
いくつかの場合において、内部空間は、複数の隣接する長手方向の平面において、閉じた輪郭線によって囲まれる。
いくつかの場合において、長手方向の平面に沿ったインプラント本体の木口面は、正方形、長方形、円、楕円、菱形、台形、五角形、または、閉じた輪郭線内の中空の２次元的領域を壁で囲む任意の２次元的の形状である。
いくつかの場合において、長手方向の平面に沿うインプラント本体の木口面は、そこに挿入するための椎間腔の木口面に類似する二次元的形状である。
いくつかの場合において、長手方向の平面に沿うインプラント本体の木口面は、閉じた輪郭線に沿った不均一厚みを備える閉じた輪郭線を含む。
いくつかの場合において、閉じた輪郭線に沿う不均一厚みは、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選択される少なくとも１つで充填される。
いくつかの場合において、インプラント本体のチャンバは、長手方向に沿って、外面部の最上部領域または最低部領域から凹ませて形成されるスロットに接続される。
いくつかの場合において、サポート構造の最上部領域または最低部領域のスロットは、チャンバの射出成形を容易にするように構成される。
いくつかの場合において、サポート構造の最上部領域または最低部領域のスロットは、内部シャフト先端部の可視化を可能にするように構成される。
いくつかの場合において、内部シャフトは、使い捨てである。
いくつかの場合において、内部シャフトは、１回限りの使用向けである。
いくつかの場合において、内部シャフトは、炭素繊維強化ポリマー、炭素繊維強化プラスチック、炭素繊維強化熱可塑性プラスチック、ガラス繊維強化ポリマー、ガラス繊維強化プラスチック、およびポリアリールアミドから選択される少なくとも１つを含む。
いくつかの場合において、内部シャフトは、約５０％のガラスを含む。
いくつかの場合において、内部シャフトは、ガラス含有量が、少なくとも１０％から７０％以下までである。
いくつかの場合において、内部シャフト先端部は、少なくとも１つの金属を含む。
いくつかの場合において、内部シャフト本体は、少なくとも１つの金属を含む。
いくつかの場合において、内部シャフトは、射出成型可能である。
いくつかの場合において、内部シャフト先端部は、射出成型可能である。
いくつかの場合において、内部シャフト本体は射出成型可能である。
いくつかの場合において、ノブは射出成型可能である。
いくつかの場合において、内部シャフトは射出成型可能かつ機械加工可能である。
いくつかの場合において、内部シャフト本体は実質的に円柱状である。
いくつかの場合において、内部シャフト本体は、湾曲した外部シャフト本体に合致するような可撓性を有する。
いくつかの場合において、内部シャフト本体は円柱である。
いくつかの場合において、内部シャフトのノブは外部シャフトに囲まれない。
いくつかの場合において、内部シャフト先端部は外部シャフトに囲まれない。
いくつかの場合において、内部シャフト先端部は、内部シャフト本体が回転するときに内部シャフト先端部が同心的に回転するような態様で、内部シャフト本体に接続される。
いくつかの場合において、内部シャフト先端部は、内部シャフト本体の木口面の中心と内部シャフト先端部の２つの頂点の中間点とが重なるように、内部シャフト本体に取り付けられる。
いくつかの場合において、直線移動は、内部シャフト先端部を、２つの外部シャフト先端部の方へ引っ張る。
いくつかの場合において、内部シャフト先端部は実質的に、直方体または柱状の楕円体である。
いくつかの場合において、内部シャフトは、内部シャフト先端部に近接する少なくとも２つの突出部を含む。
いくつかの場合において、少なくとも２つの突出部は、内部シャフトの外部シャフト内での同心回転を保証するように構成される。
いくつかの場合において、少なくとも２つの突出部は、外部シャフトの内表面と接触する。
いくつかの場合において、第１または第２のインターフェースは、設営されるいくつかのケース（ｃａｍｐｉｎｇ  ｓｏｍｅ  ｃａｓｅｓ）を含み、カム形状は半円形である。
いくつかの場合において、カム形状は実質的に、扇形、三角形、四角形または五角形である。
いくつかの場合において、カム形状は実質的に、中心角が少なくとも１５度から２７５度までの扇形である。
いくつかの場合において、カム形状は実質的に、少なくとも１５度から１５０度までの角度を備える三角形、四角形または五角形である。
いくつかの場合において、カム形状は、内部シャフトのノブに取り付けられる。
いくつかの場合において、ノブは実質的に円柱状である。
いくつかの場合において、ノブの木口面は、内部シャフト本体の木口面より大きい。
いくつかの場合において、内部シャフトのノブは、外部シャフトの基部で外部シャフトとは嵌合しないように構成される。
いくつかの場合において、ノブは少なくとも１つの隆起を含む。
いくつかの場合において、隆起は、内部シャフトが外部シャフトに対して回転しないように、第２の位置で内部シャフトを外部シャフトに固定するように構成される。
いくつかの場合において、内部シャフト先端部は実質的に、直方体または柱状の楕円体である。
いくつかの場合において、内部シャフト先端部は、インプラント本体のチャンバ内に合致して回転するように構成される。
いくつかの場合において、内部シャフト先端部は、外部シャフト開口部を通過するように構成される。
いくつかの場合において、内部シャフト先端部は、内部シャフト先端部の主軸と外部シャフト開口部の主軸とが実質的に平行であるときのみ、外部シャフト開口部を通過するように構成される。
いくつかの場合において、第１または第２の相補的インターフェースはカム形状を含む。
いくつかの場合において、第１または第２のインターフェースは、第１の表面部および第２の表面部を含み、第１の表面部および第２の表面部は傾斜部によって接続される。
いくつかの場合において、第１および第２の表面部は、内部シャフト先端部が外部シャフトに対し移動可能な距離を移動する。
いくつかの場合において、第１および第２の表面部は、ある距離を移動し、その距離は、傾斜部の長さ及び立ち上り角度によって決定される。
いくつかの場合において、第１または第２のインターフェースは、少なくとも１つのスロットを含む。
いくつかの場合において、第１または第２の相補的インターフェースは、少なくともスロットを含む。
いくつかの場合において、第１または第２のインターフェースは少なくとも１つの先端部を含む。
いくつかの場合において、外部シャフト本体は湾曲している。
いくつかの場合において、外部シャフトは使い捨てである。
いくつかの場合において、外部シャフトは１回限りの使用向けである。
いくつかの場合において、外部シャフトは、炭素繊維強化ポリマー、炭素繊維強化プラスチック、炭素繊維強化熱可塑性プラスチック、ガラス繊維強化ポリマー、ガラス繊維強化プラスチック、およびポリアリールアミドから成るリストから選ばれる少なくとも１つの材料を含む。
いくつかの場合において、外部シャフトは約５０％のガラスを含む。
いくつかの場合において、外部シャフトは、ガラス含有率が少なくとも１０％から７０％以下までである材料を含む。
いくつかの場合において、外部シャフトは射出成型可能である。
いくつかの場合において、外部シャフトは射出成型可能かつ機械加工可能である。
いくつかの場合において、外部シャフトの横断面積は、外部シャフトの基部から外部シャフトの挿入端部まで単調に増加しない。
いくつかの場合において、外部シャフト開口部は実質的に円形である。
いくつかの場合において、外部シャフト開口部は内部シャフト先端部の通過を可能にするように構成される。
いくつかの場合において、外部シャフトは第３のインターフェースを含み、第３のインターフェースは、第１の位置で隆起に対し解放され、第２の位置で隆起に対し固定される。
いくつかの場合において、外部シャフトは、被処置者の椎間腔へ挿入深度を制限するための、外部シャフト上の少なくとも１つの挿入ストッパを含む。
いくつかの場合において、外部シャフトは少なくとも外部シャフトに取り付けられた挿入ストッパを含む。
いくつかの場合において、外部シャフトは少なくとも挿入ストッパを含み、
挿入ストッパの高さは、０．２ミリメートル以上で２センチメートル未満である。
いくつかの場合において、外部シャフトは、その内部に内部シャフトが挿入される間、内部シャフトが滑り出るのを防ぐための少なくとも傾斜した突出部を含む。
いくつかの場合において、外部シャフトは、インプラント本体が内部シャフト先端部に固定されないときに、内部シャフトのみが外部シャフトから出て来るようにするための、少なくとも傾斜された突出部を含む。
いくつかの場合において、外部シャフトは、内部シャフト先端部の主軸とインプラント本体の主スロットの主軸とが実質的に垂直のときに、内部シャフトのみが外部シャフトから出て来るようにするための、少なくとも傾斜された突出部を含む。
いくつかの場合において、外部シャフトの挿入端部の外部シャフト開口部はさらに、内部シャフト先端部の主軸と外部シャフト開口部の主軸とが実質的に平行であるときに、内部シャフト先端部のみの通過を可能にするように構成される。
いくつかの場合において、第１の相補的インターフェースは、第１の表面部および第２の表面部を含む。
いくつかの場合において、第１の表面部および第２の表面部は半円形である。
いくつかの場合において、第１の表面部および第２の表面部は扇形の一部である。
いくつかの場合において、第１の表面部および第２の表面部は、中心角が４５、６０、９０，１２０、または１５０度である扇形の一部である。
いくつかの場合において、第１の表面部および第２の表面部は、中心角が少なくとも１５度から２７５度までの扇形の一部である。
いくつかの場合において、第１の表面部および第２の表面部は、中心角が６５、７５、８５、９０、９５または１１５度である扇形の一部である。
いくつかの場合において、第１または第２の相補的インターフェースは、少なくとも１つの先端部を含む。
いくつかの場合において、少なくとも１つの先端部は、実質的に半直方体または半柱状の楕円体である。
いくつかの場合において、少なくとも１つの先端部は、外部シャフトの挿入端部の外部シャフト開口部の周辺に近接する。
いくつかの場合において、少なくとも１つの先端部および他の先端部は、外部シャフトの挿入端部の外部シャフト開口部において、外部シャフト開口部の主軸の延長線上で、対称的に隣接している。
いくつかの場合において、少なくとも１つの先端部は外部シャフトの外面部上にある。
いくつかの場合において、各先端部は、実質的に半直方体または半柱状の楕円体である。
いくつかの場合において、各先端部は、インプラント本体が外部シャフトに固定されるときに、インプラント本体の１つのサイドスロットに合致するように構成される。
いくつかの場合において、インプラント本体の内部シャフトへの固定は、主スロットの主軸と内部シャフト先端部の主軸とが実質的に平行ではない状態を含む。
いくつかの場合において、実質的に平行でない状態は、主スロットの主軸と内部シャフト先端部の主軸との間の角度が約９０度である状態を含む。
いくつかの場合において、内部シャフト本体の直線移動は、インターフェースまたは相補的インターフェースの高さと、カム形状がノブの周面に沿って所定の位置から回転する回転角度によって決定される。
【００３７】
同様に、本明細書で、ある場合において、インプラント挿入装置を使用して、以下を含むインプラント本体を送達する方法が開示される：
インプラント挿入装置の内部シャフトのノブを回転させることにより、インプラント本体をインプラント挿入装置に固定する工程であって、
ノブの回転が、内部シャフト先端部を、インプラント本体のチャンバ内で、主スロットの主軸と内部シャフト先端部の主軸とが実質的に平行とはならように回転させ、インプラント本体を外部シャフトの挿入端部に対し固定するために、インプラント本体をインプラント挿入装置の外部シャフトの挿入端部の方へ直線的に移動させるようになされ、インプラント挿入装置を使用して被処置者へインプラント本体を送達する工程；
インプラント挿入装置の内部シャフトのノブを逆回転させる工程であって、ノブの逆回転が、主スロットの主軸と内部シャフト先端部の主軸とが実質的に平行になるように、内部シャフト先端部をインプラント本体の主スロット内で回転させ、ノブの第１のインターフェースを、第２の位置で外部シャフトの第１の相補的インターフェースに関連づける工程。
いくつかの場合において、方法は、パッケージから挿入装置を取り出す工程を含む。
いくつかの場合において、方法は、第１の位置で、ノブの第１のインターフェースを、外部シャフトの第１の相補的インターフェースに合致させる工程を含む。
いくつかの場合において、パッケージは、第１のキットカバー、または第２のキットカバー、または、第１および第２のキットカバーを含む。
いくつかの場合において、方法は、外部シャフトの挿入端部で、インプラント本体の第２のインターフェースを、インプラント本体が実質的に挿入装置に固定されるように、第２の相補的インターフェースに合致させる工程を含む。
いくつかの場合において、方法は、少なくともインプラント本体の１つのサイドスロットを、インプラント本体が実質的に挿入装置に固定されるように、外部シャフトの挿入端部の少なくとも１つの外部シャフト先端部に合致させる工程を含む。
いくつかの場合において、方法は、インプラント本体の少なくとも１つのサイドスロットを、外部シャフトの挿入端部で少なくとも１つの外部シャフト先端部から解放する工程を含む。
いくつかの場合において、方法は、１回使用後に、インプラント挿入装置を処分する工程を含む。
いくつかの場合において、インプラント挿入装置は使い捨てである。
いくつかの場合において、インプラント挿入装置は１回限りの使用向けである。
いくつかの場合において、インプラント挿入装置は射出成型可能である。
いくつかの場合において、第１のインターフェースは、主スロットに近接するインプラント本体へ凹ませて形成される少なくとも１つのサイドスロットを含み、各サイドスロットは、外部シャフト先端部を受け入れるように構成される。
いくつかの場合において、少なくとも１つのサイドスロットは、主スロットの周辺に近接する。
いくつかの場合において、少なくとも１つのサイドスロットは、主スロットより浅い。
いくつかの場合において、主スロットおよび少なくとも１つのサイドスロットは、サポート構造へ凹ませて形成されている。
いくつかの場合において、主スロットは、挿通方向に沿う２つのサイドスロットよりも、インプラント本体の壁へより深く凹ませて形成されている。
いくつかの場合において、インプラント本体の内部空間は、少なくとも１つの移植材料によって、少なくとも部分的に充填される。
いくつかの場合において、インプラント本体は実質的に環状である。
いくつかの場合において、前後方向に沿うインプラント本体の高さは、インプラント本体が適切に挿入されたときに、脊髄の脊柱前湾角度に適応するように構成される。
いくつかの場合において、環状の形状は、連続的に積重ねられた複数の木口面を備えた形状であり、木口面は、適切に配置されたときに高さが不均一であり、各木口面は、壁によって囲まれた、任意の２次元的中空領域有している。
いくつかの場合において、環状の形状は、任意の三次元的容積おける開孔を含む形状である。
いくつかの場合において、内部空間は、それらの頂部側の木口面、底部側の木口面、または頂部側および底部側の木口面が、インプラント本体によって被覆されない。
いくつかの場合において、内部空間を囲むインプラント本体は、壁厚が、少なくとも１ミリメートルで、３センチメートル以下である。
いくつかの場合において、インプラント本体は、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選択される少なくとも１つを含む。
いくつかの場合において、インプラント本体は射出成型可能である。
いくつかの場合において、インプラント本体は機械加工可能である。
いくつかの場合において、インプラント本体は、被処置者への一方向の挿入を可能にするように構成された鋸状歯を含み、鋸状歯は、インプラント本体の外面部上に位置する。
いくつかの場合において、鋸状歯はさらに、インプラント本体の長手方向の平面に配置される。
いくつかの場合において、鋸状歯は、インプラント挿通方向の挿入後の離脱を防ぐように構成される。
いくつかの場合において、インプラント本体は、少なくとも１つの検知可能タグを収容する少なくとも１つの空間を含む。
いくつかの場合において、検知可能タグは電磁波検知可能タグを含む。
いくつかの場合において、少なくとも１つの空間は、インプラント本体の壁内に位置する。
いくつかの場合において、インプラント本体は、検知可能タグのための少なくとも２つの空間を含み、少なくとも２つの空間は、それらの最も広い寸法が５ｍｍ以下である。
いくつかの場合において、インプラント本体は、検知可能タグのための少なくとも２つの空間を含み、少なくとも２つの空間は、互いに空間的に分離している。
いくつかの場合において、インプラント本体は、検知可能タグのための４つの空間を含み、互いに空間的に分離している。
いくつかの場合において、長手方向の平面に沿ったインプラント本体の木口面は、インプラント本体によって形成された閉じた輪郭線を含む。
いくつかの場合において、閉じた輪郭線は、その内部において領域を囲む。
いくつかの場合において、内部空間は、複数の隣接する長手方向の平面内で、閉じた輪郭線によって囲まれる。
いくつかの場合において、長手方向の平面に沿うインプラント本体の木口面は、正方形、長方形、円、楕円、菱形、台形、五角形、または、閉じた輪郭線内で中空の２次元的領域を囲む任意の２次元的形状である。
いくつかの場合において、長手方向の平面に沿うインプラント本体の木口面は、その内部へ挿入される椎間腔の木口面に類似する二次元形状である。
いくつかの場合において、長手方向の平面に沿ったインプラント本体の木口面は、閉じた輪郭線に沿って不均一な厚みを備える閉じた輪郭線を含む。
いくつかの場合において、閉じた輪郭線に沿った不均一厚みは、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選択される少なくとも１つで充填される。
いくつかの場合において、インプラント本体のチャンバは、長手方向に沿った外面部の最上部領域または最低部領域から凹ませて形成されるスロットに接続される。
いくつかの場合において、外面部の最上部領域または最低部領域にあるスロットは、チャンバの成形をその内部において容易にするように構成される。
いくつかの場合において、外面部の最上部領域または最低部領域のスロットは、内部シャフト先端部の可視化を可能にするように構成される。
いくつかの場合において、内部シャフトは使い捨てである。
いくつかの場合において、内部シャフトは１回限りの使用向けである。
いくつかの場合において、内部シャフトは、炭素繊維強化ポリマー、炭素繊維強化プラスチック、炭素繊維強化熱可塑性プラスチック、ガラス繊維強化ポリマー、ガラス繊維強化プラスチック、およびポリアリールアミドから選択される少なくとも１つを含む。
いくつかの場合において、内部シャフトは約５０％のガラスを含む。
いくつかの場合において、内部シャフトは、少なくとも１０％から７０％以下までのガラス含有率を有する材料を含む。
いくつかの場合において、内部シャフト先端部は少なくとも１つの金属を含む。
いくつかの場合において、内部シャフト本体は少なくとも１つの金属を含む。
いくつかの場合において、内部シャフトは射出成型可能である。
いくつかの場合において、内部シャフト先端部は射出成型可能である。
いくつかの場合において、内部シャフト本体は射出成型可能である。
いくつかの場合において、ノブは射出成型可能である。
いくつかの場合において、内部シャフトは射出成型可能かつ機械加工可能である。
いくつかの場合において、内部シャフト本体は実質的に円柱状である。
いくつかの場合において、内部シャフト本体は、湾曲した外部シャフト本体に合致できるような可撓性を有する。
いくつかの場合において、内部シャフト本体は円柱である。
いくつかの場合において、内部シャフトのノブは、外部シャフトに囲まれない。
いくつかの場合において、内部シャフト先端部は、外部シャフトに囲まれない。
いくつかの場合において、内部シャフト先端部は、内部シャフト本体が回転するときに、内部シャフト先端部が同心的に回転するように、内部シャフト本体に接続される。
いくつかの場合において、内部シャフト先端部は、内部シャフト本体の木口面の中心が内部シャフト先端部の２つの頂点の中間点と重なるように、内部シャフト本体に取り付けられている。
いくつかの場合において、直線移動は、内部シャフト先端部を、２つの外部シャフト先端部の方へ引っ張る。
いくつかの場合において、内部シャフト先端部は実質的に、直方体または柱状の楕円体である。
いくつかの場合において、内部シャフトは、内部シャフトの外部シャフト内での同心回転を保証するために、内部シャフト先端部に近接する少なくとも２つの突出部を含む。
いくつかの場合において、少なくとも２つの突出部は、外部シャフトに囲まれる。
いくつかの場合において、少なくとも２つの突出部は、外部シャフトの内表面と接触する。
いくつかの場合において、第１のインターフェースはカム形状を含む。
いくつかの場合において、カム形状は半円形である。
いくつかの場合において、カム形状は実質的に、扇形、三角形、四角形または五角形である。
いくつかの場合において、カム形状は実質的に、中心角が４５、６０、９０，１２０、または１５０度の扇形である。
いくつかの場合において、カム形状は実質的に、中心角が少なくとも１５度から２７５度までの扇形である。
いくつかの場合において、カム形状は、角度が少なくとも１５度から１５０度までの三角形、四角形または五角形である。
いくつかの場合において、カム形状は実質的に、角度が６５、７５、８５、９５、１０５、または１１５度である三角形、四角形または五角形である。
いくつかの場合において、カム形状は、内部シャフトのノブに取り付けられている。
いくつかの場合において、ノブは実質的に円柱状である。
いくつかの場合において、ノブの木口面は、内部シャフト本体の木口面より大きい。
いくつかの場合において、内部シャフトのノブは、外部シャフトの基部で、外部シャフトに嵌合しないように構成される。
いくつかの場合において、ノブは隆起を含む。
いくつかの場合において、隆起は、第１の位置で外部シャフトから内部シャフトを解放し、第２の位置で内部シャフトを外部シャフトに固定するように構成される。
いくつかの場合において、内部シャフト先端部は実質的に、直方体または柱状の楕円体である。
いくつかの場合において、内部シャフト先端部は、インプラント本体のチャンバ内に合致して回転するように構成される。
いくつかの場合において、内部シャフト先端部は、外部シャフト開口部を通過するように構成される。
いくつかの場合において、内部シャフト先端部の主軸と外部シャフト開口部の主軸とが実質的に平行であるときのみ、内部シャフト先端部が外部シャフト開口部を通過するように構成される。
いくつかの場合において、第１または第２の相補的インターフェースは、カム形状を含む。
いくつかの場合において、第１または第２のインターフェースは、第１の表面部および第２の表面部を含む。
いくつかの場合において、第１および第２の表面部は、内部シャフト先端部が外部シャフトに対して移動可能である距離を移動する。
いくつかの場合において、第１および第２の表面部は、傾斜部の長さおよび立ち上がり角度によって決定される距離を移動する。
いくつかの場合において、第１または第２のインターフェースは、少なくとも１つのスロットを含む。
いくつかの場合において、第１または第２の相補的インターフェースは、少なくともスロットを含む。
いくつかの場合において、第１または第２のインターフェースは少なくとも１つの先端部または少なくとも２つの先端部を含む。
いくつかの場合において、外部シャフトは使い捨てである。
いくつかの場合において、外部シャフトは１回限りの使用向けである。
いくつかの場合において、外部シャフトは、炭素繊維強化ポリマー、炭素繊維強化プラスチック、炭素繊維強化熱可塑性プラスチック、ガラス繊維強化ポリマー、ガラス繊維強化プラスチックおよびポリアリールアミドから選択される少なくとも１つを含む。
いくつかの場合において、外部シャフトは約５０％のガラスを含む。
いくつかの場合において、外部シャフトは、ガラス含有量が、少なくとも１０％から７０％以下までである。
いくつかの場合において、外部シャフトは射出成型可能である。
いくつかの場合において、外部シャフトは射出成型可能かつ機械加工可能である。
いくつかの場合において、外部シャフトの横断面積は、外部シャフトの基部から外部シャフトの挿入端部まで単調に増加しない。
いくつかの場合において、外部シャフト開口部は実質的に円形である。
いくつかの場合において、外部シャフト開口部は、内部シャフト先端部の通過を可能にするように構成される。
いくつかの場合において、外部シャフトは第３のインターフェースを含み、第３のインターフェースは、第１の位置で隆起に対し解放し、第２の位置での隆起に対し固定される。
いくつかの場合において、外部シャフトは、被処置者の脊椎骨間の空間への挿入深度を制限するための、外部シャフト上の少なくとも１つの挿入ストッパを含む。
いくつかの場合において、外部シャフトは、少なくとも外部シャフトに取り付けられた挿入ストッパを含む。
いくつかの場合において、外部シャフトは少なくとも挿入ストッパを含み、挿入ストッパの高さは０．２ミリメートル以上であり、２センチメートル未満である。
いくつかの場合において、外部シャフトは、その内部へ内部シャフトが挿入される間に、内部シャフトが滑り出るのを防ぐための少なくとも傾斜した突出部を含む。
いくつかの場合において、外部シャフトは、インプラント本体が内部シャフト先端部に固定されていないときに、内部シャフトのみが外部シャフトから出て来るようにするための、少なくとも傾斜した突出部を含む。
いくつかの場合において、外部シャフトは、内部シャフト先端部の主軸とインプラント本体の主スロットの主軸とが実質的に垂直であるときに、内部シャフトのみが外部シャフトから出て来るようにするための、少なくとも傾斜した突出部を含む。
いくつかの場合において、外部シャフトの挿入端部の外部シャフト開口部はさらに、内部シャフト先端部の主軸と外部シャフト開口部の主軸とが実質的に平行なときに、内部シャフト先端部のみの通過を可能にするように構成される。
いくつかの場合において、第１または第２の相補的インターフェースは、第１の表面部および第２の表面部を含む。
いくつかの場合において、第１の表面部および第２の表面部は半円形である。
いくつかの場合において、第１の表面部および第２の表面部は扇形の一部である。
いくつかの場合において、第１の表面部および第２の表面部は、中心角が少なくとも１５度から２７５度までである扇形の一部である。
いくつかの場合において、第１または第２の相補的インターフェースは、少なくとも１つ、または少なくとも２つの先端部を含む。
いくつかの場合において、各先端部は実質的に、半直方体または半柱状の楕円体である。
いくつかの場合において、各先端部は、外部シャフトの挿入端部の外部シャフト開口部の周辺に近接する。
いくつかの場合において、少なくとも２つの先端部は、外部シャフトの挿入端部の外部シャフト開口部に対称的に隣接し、外部シャフト開口部の主軸の延長線上に位置する。
いくつかの場合において、各先端部は、外部シャフトの外面部上に位置する。
いくつかの場合において、各先端部は実質的に、半直方体または半柱状の楕円体である。
いくつかの場合において、各先端部は、インプラント本体が外部シャフトに固定されるときに、インプラント本体の１つのサイドスロットに合致するように構成される。
いくつかの場合において、インプラント本体の内部シャフトへの固定は、主スロットの主軸と内部シャフト先端部の主軸とが実質的に平行ではない状態を含む。
いくつかの場合において、実質的に平行でない状態は、主スロットの主軸と内部シャフト先端部の主軸との間の角度が約９０度である状態を含む。
いくつかの場合において、内部シャフト本体の直線移動は、インターフェースまたは相補的インターフェースの高さと、カム形状がノブの周面に沿って所定の位置から回転する回転角とによって決定される。
いくつかの場合において、方法は、ノブの回転が、インプラント本体を、インプラント挿入装置の外部シャフトの挿入端部から直線的に移動させる様な態様で、インプラント挿入装置の内部シャフトのノブを回転させる工程を含む。
いくつかの局面において、方法は、脊椎骨間の空間にインプラントを挿入する工程を含む。
いくつかの局面において、脊椎骨間の空間は腰部である。
いくつかの局面において、脊椎骨間の空間は頚部である。
いくつかの局面において、椎間板物質が、インプラントを挿入する前に、脊椎骨間の空間から取り出される。
いくつかの局面において、インプラントは椎間板の内部へ挿入される。
【００３８】
同様に、本明細書で、ある実施形態において、被処置者の脊椎骨間の空間へインプラント本体を挿入する工程を含む、インプラント挿入装置を用いた、以下を含むインプラント本体を送達する方法が開示される：
インプラント挿入装置の内部シャフトのノブを回転させる工程であって、ノブの回転が、実質的に冠状面において、インプラント本体の主スロット内で内部シャフト先端部を、主スロットの主軸と内部シャフト先端部の主軸とが実質的に平行になるように回転させると共に、固定されていない位置で、ノブの第１のインターフェースを外部シャフトの第１の相補的インターフェースに関連づける工程；および、インプラント本体を被処置者の脊椎骨間の空間に配置する工程。
いくつかの場合において、方法は、インプラント挿入装置の内部シャフトのノブの回転によって、インプラント本体をインプラント挿入装置に固定する工程であって、ノブの回転が、実質的に冠状面において、内部シャフト先端部を、主スロットの主軸と内部シャフト先端部の主軸とが実質的に平行となるようにインプラント本体のチャンバ内で回転させ、外部シャフトの挿入端部に対しインプラント本体を固定させるために、インプラント本体をインプラント挿入装置の外部シャフトの挿入端部の方へ直線移動させるとともに、ノブの第１のインターフェースを、第１の位置で、外部シャフトの第１の相補的インターフェースに関連づける工程を含む。
いくつかの場合において、方法は、パッケージから挿入装置を取り出す工程を含む。
いくつかの場合において、方法は、ノブの第１のインターフェースを、第１の位置で、外部シャフトの第１の相補的インターフェースに合致させる工程を含む。
いくつかの場合において、パッケージは、第１のキットカバー、または第２のキットカバー、または第１および第２のキットカバーを含む。
いくつかの場合において、方法は、インプラント本体の第２のインターフェースを、インプラント本体が実質的に挿入装置に固定されるように、外部シャフトの挿入端部の第２の相補的インターフェースに合致させる工程を含む。
いくつかの場合において、方法は、インプラント本体の少なくとも１つのサイドスロットを、インプラント本体が挿入装置に実質的に固定されるように、外部シャフトの挿入端部の少なくとも１つの外部シャフト先端部に合致させる工程を含む。
いくつかの場合において、方法は、外部シャフトの挿入端部の少なくとも１つの外部シャフト先端部から、インプラント本体の少なくとも１つのサイドスロットを解放する工程を含む。
いくつかの場合において、方法は、１回使用後にインプラント挿入装置を処分する工程を含む。
いくつかの場合において、インプラント挿入装置は使い捨てである。
いくつかの場合において、インプラント挿入装置は１回限りの使用向けである。
いくつかの場合において、インプラント挿入装置は射出成型可能である。
いくつかの場合において、第１のインターフェースは、主スロットに近接するインプラント本体へ凹ませて形成される少なくとも１つのサイドスロットを含み、各サイドスロットは、外部シャフト先端部を受け入れるように構成される。
いくつかの場合において、少なくとも１つのサイドスロットは、主スロットの周辺に近接する。
いくつかの場合において、少なくとも１つのサイドスロットは、主スロットより浅い。
いくつかの場合において、主スロットおよび少なくとも１つのサイドスロットは、サポート構造へ凹ませて形成される。
いくつかの場合において、主スロットは、挿通方向に沿う２つのサイドスロットよりも、インプラント本体の壁へより深く凹ませて形成される。
いくつかの場合において、インプラント本体の内部空間は、少なくとも１つの移植材料によって、少なくとも部分的に充填される。
いくつかの場合において、インプラント本体は実質的に環状である。
いくつかの場合において、前後方向に沿うインプラント本体の高さは、インプラント本体が適切に挿入されるときに、脊髄の脊柱前湾角を適応するように構成される。
いくつかの場合において、環状の形状は、ともに連続的に積み重ねられた複数の木口面を備える形状であり、木口面は、適切に配置されたときに高さが不均一であり、各木口面は、壁によって囲まれた任意の２次元的中空領域を有する。
いくつかの場合において、環状の形状は、任意の三次元容積内の開孔を含む形状である。
いくつかの場合において、内部空間は、それらの頂部側の木口面、底部側の木口面、または頂部側および底部側の木口面が、インプラント本体によって被覆されない。
いくつかの場合において、内部空間を囲むインプラント本体は、壁厚が、少なくとも１ミリメートルで、３センチメートル以下である。
いくつかの場合において、インプラント本体は、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチックおよびポリアリールエーテルケトン（ＰＥＡＫ）から選択される少なくとも１つを含む。
いくつかの場合において、インプラント本体は射出成型可能である。
いくつかの場合において、インプラント本体は機械加工可能である。
いくつかの場合において、インプラント本体は、被処置者への一方向の挿入を可能にするように構成された鋸状歯を含み、鋸状歯は、インプラント本体の外面部上に位置する。
いくつかの場合において、鋸状歯はさらに、インプラント本体の長手方向の平面上に配置される。
いくつかの場合において、鋸状歯は、インプラント挿通方向の挿入後の離脱を防ぐように構成される。
いくつかの場合において、インプラント本体は、少なくとも１つの検知可能タグを収容するための少なくとも１つの空間を含む。
いくつかの場合において、検知可能タグは、電磁波検知可能タグを含む。
いくつかの場合において、少なくとも１つの空間は、インプラント本体の壁内に位置する。
いくつかの場合において、インプラント本体は、検知可能タグのための少なくとも２つの空間を含み、少なくとも２つの空間は、それらの最も広い寸法が、５ｍｍ以下である。
いくつかの場合において、インプラント本体は、検知可能タグのための少なくとも２つの空間を含み、少なくとも２つの空間は、互いに空間的に分離している。
いくつかの場合において、インプラント本体は、検知可能タグのための４つの空間を含み、互いに空間的に分離している。
いくつかの場合において、長手方向の平面に沿うインプラント本体の木口面は、インプラント本体によって形成される閉じた輪郭線を含む。
いくつかの場合において、閉じた輪郭線は、その内部に領域を囲む。
いくつかの場合において、内部空間は、複数の隣接した長手方向の平面内において、閉じた輪郭線によって囲まれる。
いくつかの場合において、長手方向の平面に沿うインプラント本体の木口面は、正方形、長方形、円、楕円、菱形、台形、五角形、または閉じた輪郭線内の中空の２次元的領域を囲む、任意の２次元的形状である。
いくつかの場合において、長手方向の平面に沿ったインプラント本体の木口面は、その内部へ挿入される脊椎骨間の空間の木口面に類似する２次元的形状である。
いくつかの場合において、長手方向の平面に沿ったインプラント本体の木口面は、閉じた輪郭線に沿って不均一な厚みを備える閉じた輪郭線を含む。
いくつかの場合において、閉じた輪郭線に沿った不均一な厚みは、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチックおよびポリアリールエーテルケトン（ＰＥＡＫ）から選択される少なくとも１つで充填される。
いくつかの場合において、インプラント本体のチャンバは、長手方向に沿った外面部の最上部領域または最低部領域から凹ませて形成されるスロットに接続される。
いくつかの場合において、外面部の最上部領域または最低部領域から凹ませて形成されるスロットは、その内部におけるチャンバの成型を容易にするように構成される。
いくつかの場合において、スロットは、内部シャフト先端部の可視化を可能にするように構成される。
いくつかの場合において、内部シャフトは使い捨てである。
いくつかの場合において、内部シャフトは１回限りの使用向けである。
いくつかの場合において、内部シャフトは、炭素繊維強化ポリマー、炭素繊維強化プラスチック、炭素繊維強化熱可塑性プラスチック、ガラス繊維強化ポリマー、ガラス繊維強化プラスチックおよびポリアリールアミドから選ばれる少なくとも１つを含む。
いくつかの場合において、内部シャフトは約５０％のガラスを含む。
いくつかの場合において、内部シャフトは、ガラス含有率が少なくとも１０％から７０％以下までの材料を含む。
いくつかの場合において、内部シャフト先端部は少なくとも１つの金属を含む。
いくつかの場合において、内部シャフト本体は少なくとも１つの金属を含む。
いくつかの場合において、内部シャフトは射出成型可能である。
いくつかの場合において、内部シャフト先端部は射出成型可能である。
いくつかの場合において、内部シャフト本体は射出成型可能である。
いくつかの場合において、ノブは射出成型可能である。
いくつかの場合において、内部シャフトは射出成型可能かつ機械加工可能である。
いくつかの場合において、内部シャフト本体は実質的に円柱状である。
いくつかの場合において、内部シャフト本体は、湾曲した外部シャフト本体に合致するような可撓性を有する。
いくつかの場合において、内部シャフト本体は円柱である。
いくつかの場合において、内部シャフトのノブは外部シャフトに囲まれない。
いくつかの場合において、内部シャフト先端部は外部シャフトに囲まれない。
いくつかの場合において、内部シャフト本体が回転するときに、内部シャフト先端部が同心的に回転するように、内部シャフト先端部は内部シャフト本体に接続される。
いくつかの場合において、内部シャフト本体の木口面の中心と内部シャフト先端部の２つの頂点の中間点とが重なるように、内部シャフト先端部は内部シャフト本体に取り付けられる。
いくつかの場合において、直線移動は、内部シャフト先端部を、２つの外部シャフト先端部の方へ引っ張る。
いくつかの場合において、内部シャフト先端部は実質的に、直方体または柱状の楕円体である。
いくつかの場合において、内部シャフトは、外部シャフト内での内部シャフトの同心回転を保証するための、内部シャフト先端部に近接する少なくとも２つの突出部を含む。
いくつかの場合において、少なくとも２つの突出部は、外部シャフトに囲まれる。
いくつかの場合において、少なくとも２つの突出部は、外部シャフトの内表面と接触する。
いくつかの場合において、第１のインターフェースはカム形状を含む。
いくつかの場合において、カム形状は半円形である。
いくつかの場合において、カム形状は、実質的に扇形、三角形、四角形または五角形である。
いくつかの場合において、カム形状は実質的に、中心角が４５、６０、９０，１２０、または１５０度の扇形である。
いくつかの場合において、カム形状は実質的に、中心角が少なくとも１５度から２７５度までの扇形である。
いくつかの場合において、カム形状は実質的に、少なくとも１５度から１５０度までの角度を有する三角形、四角形または五角形である。
いくつかの場合において、カム形状は実質的に、６５、７５、８５、９５、１０５、または１１５度の角度を有する三角形、四角形または五角形である。
いくつかの場合において、カム形状は内部シャフトのノブに取り付けられる。
いくつかの場合において、ノブは実質的に円柱状である。
いくつかの場合において、ノブの木口面は、内部シャフト本体の木口面より大きい。
いくつかの場合において、内部シャフトのノブは、外部シャフトの基部で外部シャフトに合致しないように構成される。
いくつかの場合において、ノブは隆起を含む。
いくつかの場合において、隆起は、第１の位置で内部シャフトを外部シャフトから解放し、第２の位置で内部シャフトを外部シャフトに固定するように構成される。
いくつかの場合において、内部シャフト先端部は実質的に、直方体または柱状の楕円体である。
いくつかの場合において、内部シャフト先端部、はインプラント本体のチャンバに合致して回転するように構成される。
いくつかの場合において、内部シャフト先端部は、外部シャフト開口部を通過するように構成される。
いくつかの場合において、内部シャフト先端部は、内部シャフト先端部の主軸と外部シャフト開口部の主軸とが実質的に平行であるときのみ、外部シャフト開口部を通過するように構成される。
いくつかの場合において、第１または第２の相補的インターフェースは、カム形状を含む。
いくつかの場合において、第１または第２のインターフェースは、第１の表面部および第２の表面部を含む。
いくつかの場合において、第１および第２の表面部は、内部シャフト先端部が外部シャフトに対し移動可能な距離を移動する。
いくつかの場合において、第１および第２の表面部は、傾斜部の長さ及び立ち上がり角度で決定される距離を移動する。
いくつかの場合において、第１または第２のインターフェースは少なくとも１つのスロットを含む。
いくつかの場合において、第１または第２の相補的インターフェースは少なくともスロットを含む。
いくつかの場合において、第１または第２のインターフェースは、少なくとも１つの先端部、または少なくとも２つの先端部を含む。
いくつかの場合において、外部シャフトは使い捨てである。
いくつかの場合において、外部シャフトは１回限りの使用向けである。
いくつかの場合において、外部シャフトは、炭素繊維強化ポリマー、炭素繊維強化プラスチック、炭素繊維強化熱可塑性プラスチック、ガラス繊維強化ポリマー、ガラス繊維強化プラスチックおよびポリアリールアミドから選ばれる少なくとも１つを含む。
いくつかの場合において、外部シャフトは約５０％のガラスを含む。
いくつかの場合において、外部シャフトは、ガラス含有率が少なくとも１０％から７０％以下までである。
いくつかの場合において、外部シャフトは射出成型可能である。
いくつかの場合において、外部シャフトは射出成型可能かつ機械加工可能である。
いくつかの場合において、外部シャフトの横断面積は、外部シャフトの基部から外部シャフトの挿入端部まで単調に増加しない。
いくつかの場合において、外部シャフト開口部は実質的に円形である。
いくつかの場合において、外部シャフト開口部は、内部シャフト先端部の通過を可能にするように構成される。
いくつかの場合において、外部シャフトは第３のインターフェースを含み、第３のインターフェースは、第１の位置で隆起に対し解放され、第２の位置で隆起に対し固定される。
いくつかの場合において、外部シャフトは、被処置者の脊椎骨間の空間への挿入深度を制限するための、外部シャフト上の少なくとも１つの挿入ストッパを含む。
いくつかの場合において、外部シャフトは、外部シャフトに取り付けられる挿入ストッパを少なくとも含む。
いくつかの場合において、外部シャフトは少なくとも挿入ストッパを含み、挿入ストッパの高さは０．２ミリメートル以上で、２センチメートル未満である。
いくつかの場合において、外部シャフトは、内部シャフトがその内部に挿入される間に、内部シャフトが滑り出るのを防ぐための、少なくとも傾斜した突出部を含む。
いくつかの場合において、外部シャフトは少なくとも、インプラント本体が内部シャフト先端部に固定されないときに、内部シャフトのみが外部シャフトから出て来るようにする傾斜された突出部を含む。
いくつかの場合において、外部シャフトは少なくとも、内部シャフト先端部の主軸とインプラント本体の主スロットの主軸と実質的に垂直であるときに、内部シャフトのみが外部シャフトから出て来るようにする傾斜された突出部を含む。
いくつかの場合において、外部シャフトの挿入端部の外部シャフト開口部はさらに、内部シャフト先端部の主軸と外部シャフト開口部の主軸とが実質的に平行であるときのみ、内部シャフト先端部の通過を可能にするように構成される。
いくつかの場合において、第１または第２の相補的インターフェースは、第１の表面部および第２の表面部を含む。
いくつかの場合において、第１の表面部および第２の表面部は半円形である。
いくつかの場合において、第１の表面部および第２の表面部は扇形の一部である。
いくつかの場合において、第１の表面部および第２の表面部は、中心角が少なくとも１５度から２７５度までである扇形の一部である。
いくつかの場合において、第１または第２の相補的インターフェースは、少なくとも１つ、または少なくとも２つの先端部を含む。
いくつかの場合において、各先端部は実質的に半直方体または半柱状の楕円体である。
いくつかの場合において、各先端部は、外部シャフトの挿入端部の外部シャフト開口部の周辺に近接する。
いくつかの場合において、少なくとも２つの先端部は、外部シャフトの挿入端部の外部シャフト開口部に対称的に隣接するとともに、外部シャフト開口部の主軸の延長線上に位置する。
いくつかの場合において、各先端部は、外部シャフトの外面部上に位置する。
いくつかの場合において、各先端部は実質的に、半直方体または半柱状の楕円体である。
いくつかの場合において、各先端部は、インプラント本体が外部シャフトに固定されるときに、インプラント本体の１つのサイドスロットに合致するように構成される。
いくつかの場合において、インプラント本体の内部シャフトへの固定は、主スロットの主軸と内部シャフト先端部の主軸とが実質的に平行ではない状態を含む。
いくつかの場合において、実質的に平行でない状態は、主スロットの主軸と内部シャフト先端部の主軸との間の角度が約９０度の状態を含む。
いくつかの場合において、内部シャフト本体の直線移動は、インターフェースまたは相補的インターフェースの高さと、カム形状がノブの周面に沿って所定の位置から回転する回転角度とによって決定される。
いくつかの場合において、方法は、ノブの回転が、インプラント挿入装置の外部シャフトの挿入端部から、インプラント本体を直線的に移動させるような態様で、インプラント挿入装置の内部シャフトのノブを回転させる工程を含む。
いくつかの局面において、方法は、脊椎骨間の空間にインプラントを挿入する工程を含む。
いくつかの局面において、脊椎骨間の空間は腰部である。
いくつかの局面において、脊椎骨間の空間は頚部である。
いくつかの局面において、椎間板物質が、インプラントの挿入前に、脊椎骨間の空間から取り出される。
いくつかの局面において、インプラントが、椎間板の内部へ挿入される。
【００３９】
同様に、本明細書で、ある場合において、１回使用のインプラント本体挿入装置および１回使用インプラントを含む無菌キットが開示され、この無菌キットは以下を含む：
少なくとも１つの装置トレー、少なくとも１つのインプラント本体、および少なくとも１つのインプラント挿入装置をその内部に囲んで密閉される無菌のキットカバーであって、少なくとも１つのインプラント本体および少なくとも１つのインプラント挿入装置が、１回使用のために構成され；少なくとも１つの装置トレーは、次のものを固定するように構成される：
少なくとも１つのインプラント挿入装置；
少なくとも１つのインプラント本体；
少なくとも１つのインプラント挿入装置は、シャフト；先端部；少なくとも１つのインプラント本体を固定するための第１のインターフェース；少なくとも１つのインプラント本体を固定するための第２のインターフェース；第１の位置；第２の位置；を含み：
および、少なくとも１つのインプラント本体は、内部空間；第１の位置で少なくとも１つのインプラント挿入装置に対して少なくとも１つのインプラント本体を固定するためのスロット；第１の位置または第２の位置で少なくとも１つのインプラント挿入装置のインターフェースを受け入れるための第１の相補的インターフェース；第１の位置で少なくとも１つのインプラント挿入装置の第２のインターフェースを受け入れるための第２の相補的インターフェースを含む。
いくつかの場合において、キットは、無菌のキットカバーを囲むための密閉された第２のキットカバーを含む。
いくつかの場合において、第２のキットカバーは無菌状態である。
いくつかの場合において、装置トレーは、少なくとも１つの移植材料をその内部空間へ装填することを容易にするために、少なくとも１つのインプラント本体を固定するためのコンパートメントを含む。
いくつかの場合において、キットは、パッケージからの挿入装置の取り出し手段を含む。
いくつかの場合において、キットは、第１の位置で、ノブの第１のインターフェースを、外部シャフトの第１の相補的インターフェースに合致させる手段を含む。
いくつかの場合において、パッケージは、第１のキットカバー、または第２のキットカバー、または第１および第２のキットカバーを含む。
いくつかの場合において、キットは、インプラント本体が実質的に挿入装置に固定されるようにインプラント本体の第２のインターフェースを、外部シャフトの挿入端部の第２の相補的インターフェースに合致させる手段を含む。
いくつかの場合において、キットは、インプラント本体が実質的に挿入装置に固定されるように、インプラント本体の少なくとも１つのサイドスロットを、外部シャフトの挿入端部の少なくとも１つの外部シャフト先端部に合致させる手段を含む。
いくつかの場合において、キットは、外部シャフトの挿入端部ので少なくとも１つの外部シャフト先端部からインプラント本体の少なくとも１つのサイドスロットを解放する手段を含む。
いくつかの場合において、キットは、１回使用の後に、インプラント挿入装置を処分する手段を含む。
いくつかの場合において、インプラント挿入装置は使い捨てである。
いくつかの場合において、インプラント挿入装置は１回限りの使用向けである。
いくつかの場合において、インプラント挿入装置は射出成型可能である。
いくつかの場合において、第１のインターフェースは、主スロットに近接するインプラント本体へ凹ませて形成される少なくとも１つのサイドスロットを含み、各サイドスロットは、外部シャフト先端部を受け入れるように構成される。
いくつかの場合において、少なくとも１つのサイドスロットは、主スロットの周辺に近接する。
いくつかの場合において、少なくとも１つのサイドスロットは主スロットより浅い。
いくつかの場合において、主スロットおよび少なくとも１つのサイドスロットは、サポート構造へ凹ませて形成されている。
いくつかの場合において、主スロットは、挿通方向に沿った２つのサイドスロットよりも、インプラント本体の壁へより深く凹ませて形成されている。
いくつかの場合において、インプラント本体の内部空間は、少なくとも１つの移植材料によって少なくとも部分的に充填される。
いくつかの場合において、インプラント本体は実質的に環状である。
いくつかの場合において、前後方向に沿うインプラント本体の高さは、インプラント本体が適切に挿入されたときに、脊髄の脊柱前湾角に適応するように構成される。
いくつかの場合において、環状の形状は、ともに連続的に積み重ねられた複数の木口面と、適切に配置された時に高さが不均一な木口面と、および、壁によって囲まれた任意の２次元的中空領域を有する木口面とを備える形状である。
いくつかの場合において、環状の形状は、任意の三次元容積の開孔を含む形状である。
いくつかの場合において、内部空間は、それらの頂部側の木口面、底部側の木口面、または頂部側および底部側の木口面が、インプラント本体によって被覆されない。
いくつかの場合において、内部空間を囲むインプラント本体は、壁厚が、少なくとも１ミリメートルで、３センチメートル以下である。
いくつかの場合において、インプラント本体は、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選ばれる少なくとも１つを含む。
いくつかの場合において、インプラント本体は射出成型可能である。
いくつかの場合において、インプラント本体は機械加工可能である。
いくつかの場合において、インプラント本体は、被処置者へ一方向の挿入を可能にするように構成された鋸状歯を含み、鋸状歯は、インプラント本体の外面部上に位置する。
いくつかの場合において、鋸状歯はさらに、インプラント本体の長手方向の平面上に位置する。
いくつかの場合において、鋸状歯は、インプラント挿通方向の挿入後の離脱を防ぐように構成される。
いくつかの場合において、インプラント本体は、少なくとも１つの検知可能タグを収容する少なくとも１つの空間を含む。
いくつかの場合において、検知可能タグは電磁波検知可能タグを含む。
いくつかの場合において、少なくとも１つの空間は、インプラント本体の壁内に位置する。
いくつかの場合において、インプラント本体は、検知可能タグのための少なくとも２つの空間を含み、少なくとも２つの空間は、それらの最も広い寸法が５ｍｍ以下である。
いくつかの場合において、インプラント本体は、検知可能タグのための少なくとも２つの空間を含み、少なくとも２つの空間は、空間的に互いに分離している。
いくつかの場合において、インプラント本体は、検知可能タグのための、互いに空間的に分離している４つの空間を含む。
いくつかの場合において、長手方向の平面に沿ったインプラント本体の木口面は、インプラント本体によって形成された閉じた輪郭線を含む。
いくつかの場合において、閉じた輪郭線は、その内部において領域を囲む。
いくつかの場合において、内部空間は、複数の隣接した長手方向の平面において、閉じた輪郭線によって囲まれる。
いくつかの場合において、長手方向の平面に沿ったインプラント本体の木口面は、正方形、長方形、円、楕円、菱形、台形、五角形、または閉じた輪郭線内の中空の２次元的領域を囲む任意の２次元的形状である。
いくつかの場合において、長手方向の平面に沿ったインプラント本体の木口面は、その内部に挿入される脊椎骨間の空間の木口面に類似する２次元的形状である。
いくつかの場合において、長手方向の平面に沿ったインプラント本体の木口面は、閉じた輪郭線に沿った不均一厚みを備える閉じた輪郭線を含む。
いくつかの場合において、閉じた輪郭線に沿う不均一厚みが、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選ばれる少なくとも１つで充填される。
いくつかの場合において、インプラント本体のチャンバは、長手方向に沿った外面部の最上部領域または最低部領域から凹ませて形成されるスロットに接続される。
いくつかの場合において、外面部の最上部領域または最低部領域から凹ませて形成されるスロットは、その内部でのチャンバの成型を容易にするように構成される。
いくつかの場合において、スロットは、内部シャフト先端部の可視化を可能にするように構成される。
いくつかの場合において、内部シャフトは使い捨てである。
いくつかの場合において、内部シャフトは１回限りの使用向けである。
いくつかの場合において、内部シャフトは、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選ばれる少なくとも１つ含む。
いくつかの場合において、内部シャフトは約５０％のガラスを含む。
いくつかの場合において、内部シャフトは、ガラス含有率が、少なくとも１０％から７０％以下である。
いくつかの場合において、内部シャフト先端部は少なくとも１つの金属を含む。
いくつかの場合において、内部シャフト本体は少なくとも１つの金属を含む。
いくつかの場合において、内部シャフトは射出成型可能である。
いくつかの場合において、内部シャフト先端部は射出成型可能である。
いくつかの場合において、内部シャフト本体は射出成型可能である。
いくつかの場合において、ノブは射出成型可能である。
いくつかの場合において、内部シャフトは射出成型可能かつ機械加工可能である。
いくつかの場合において、内部シャフト本体は実質的に円柱状である。
いくつかの場合において、内部シャフト本体は、湾曲した外部シャフト本体に合致するような可撓性を有する。
いくつかの場合において、内部シャフト本体は円柱である。
いくつかの場合において、内部シャフトのノブは外部シャフトで囲まれない。
いくつかの場合において、内部シャフト先端部は外部シャフトで囲まれない。
いくつかの場合において、内部シャフト本体が回転するときに、内部シャフト先端部が同心的に回転するように、内部シャフト先端部は内部シャフト本体に接続される。
いくつかの場合において、内部シャフト本体の木口面の中心が、内部シャフト先端部の２つの頂点の中間点と重なるように、内部シャフト先端部は内部シャフト本体に取り付けられる。
いくつかの場合において、直線移動が、２つの外部シャフト先端部の方へ、内部シャフト先端部を引っ張る。
いくつかの場合において、内部シャフト先端部は実質的に直方体または柱状の楕円体である。
いくつかの場合において、内部シャフトは、外部シャフト内での内部シャフトの同心の回転を保証するために、内部シャフト先端部に近接する少なくとも２つの突出部を含む。
いくつかの場合において、少なくとも２つの突出部は外部シャフトで囲まれる。
いくつかの場合において、少なくとも２つの突出部は、外部シャフトの内表面と接触する。
いくつかの場合において、第１のインターフェースはカム形状を含む。
いくつかの場合において、カム形状は半円形である。
いくつかの場合において、カム形状は、実質的に扇形、三角形、四角形または五角形である。
いくつかの場合において、カム形状は実質的に、中心角が４５、６０、９０，１２０、または１５０度の扇形である。
いくつかの場合において、カム形状は実質的に、中心角が少なくとも１５度から２７５度までの扇形である。
いくつかの場合において、カム形状は実質的に、少なくとも１５度から１５０度までの角度を備える三角形、四角形または五角形である。
いくつかの場合において、カム形状は実質的に、６５、７５、８５、９５、１０５、または１１５度の角を備えた三角形、四角形または五角形である。
いくつかの場合において、カム形状は内部シャフトのノブに取り付けられている。
いくつかの場合において、ノブは実質的に円柱状である。
いくつかの場合において、ノブの木口面は、内部シャフト本体の木口面より大きい。
いくつかの場合において、内部シャフトのノブは、外部シャフトの基部で外部シャフトに嵌合しないように構成される。
いくつかの場合において、ノブは隆起を含む。
いくつかの場合において、隆起は、第１の位置で内部シャフトを外部シャフトから解放し、第２の位置で内部シャフトを外部シャフトに固定するように構成される。
いくつかの場合において、内部シャフト先端部は実質的に直方体または柱状の楕円体である。
いくつかの場合において、内部シャフト先端部は、インプラント本体のチャンバに合致して回転するように構成される。
いくつかの場合において、内部シャフト先端部は外部シャフト開口部を通過するように構成される。
いくつかの場合において、内部シャフト先端部は、内部シャフト先端部の主軸と外部シャフト開口部の主軸とが実質的に平行のときのみ、外部シャフト開口部を通過するように構成される。
いくつかの場合において、第１または第２の相補的インターフェースはカム形状を含む。
いくつかの場合において、第１または第２のインターフェースは第１の表面部および第２の表面部を含む。
いくつかの場合において、第１および第２の表面部は、内部シャフト先端部が外部シャフトに対して移動可能な距離を移動する。
いくつかの場合において、第１および第２の表面部は、傾斜部の長さおよび立ち上がり角度で決定される距離を移動する。
いくつかの場合において、第１または第２のインターフェースは少なくとも１つのスロットを含む。
いくつかの場合において、第１または第２の相補的インターフェースは少なくともスロットを含む。
いくつかの場合において、第１または第２のインターフェースは少なくとも１つの先端部を含む。
いくつかの場合において、外部シャフトは使い捨てである。
いくつかの場合において、外部シャフトは１回限りの使用向けである。
いくつかの場合において、外部シャフトは、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選ばれる少なくとも１つの材料含む。
いくつかの場合において、外部シャフトは約５０％のガラスまたは５０％のガラスを含む。
いくつかの場合において、外部シャフトは、ガラス含有率が少なくとも１０％から７０％までである。
いくつかの場合において、外部シャフトは射出成型可能である。
いくつかの場合において、外部シャフトは射出成型可能かつ機械加工可能である。
いくつかの場合において、外部シャフトの横断面積は、外部シャフトの基部から外部シャフトの挿入端部まで単調に増加しない。
いくつかの場合において、外部シャフト開口部は実質的に円形である。
いくつかの場合において、外部シャフト開口部は、内部シャフト先端部の通過を可能にする。
いくつかの場合において、外部シャフトは第３のインターフェースを含み、第３のインターフェースは、第１の位置で隆起を解放し、第２の位置で隆起へ固定する。
いくつかの場合において、外部シャフトは、被処置者の脊椎骨間の空間への挿入深度を制限するための、外部シャフト上の少なくとも１つの挿入ストッパを含む。
いくつかの場合において、外部シャフトは少なくとも外部シャフトに取り付けられた挿入ストッパを含む。
いくつかの場合において、外部シャフトは少なくとも挿入ストッパを含み、挿入ストッパの高さは、０．２ミリメートル以上、２センチメートル未満である。
いくつかの場合において、外部シャフトは、内部シャフトがその内部に挿入される間、内部シャフトが滑り出るのを防ぐための、少なくとも傾斜された突出部を含む。
いくつかの場合において、インプラント本体が内部シャフト先端部に固定されないときに内部シャフトだけが外部シャフトから出て来るようにするため、外部シャフトは少なくとも傾斜した突出部を含む。
いくつかの場合において、内部シャフト先端部の主軸とインプラント本体の主スロットの主軸とが実質的に垂直でえあるとき、内部シャフトのみが外部シャフトから出て来るようにするため、外部シャフトは少なくとも傾斜した突出部を含む。
いくつかの場合において、外部シャフトの挿入端部の外部シャフト開口部はさらに、内部シャフト先端部の主軸と外部シャフト開口部の主軸とが実質的に平行であるときに、内部シャフト先端部のみの通過を可能にするように構成される。
いくつかの場合において、第１または第２の相補的インターフェースは第１の表面部および第２の表面部を含む。
いくつかの場合において、第１の表面部および第２の表面部は半円形である。
いくつかの場合において、第１の表面部および第２の表面部は扇形の一部である。
いくつかの場合において、第１の表面部および第２の表面部は、中心角が少なくとも１５度から２７５度までの扇形の一部である。
いくつかの場合において、第１または第２の相補的インターフェースは少なくとも１つまたは少なくとも２つの先端部を含む。
いくつかの場合において、各先端部は実質的に、半直方体または半柱状の楕円体である。
いくつかの場合において、各先端部は、外部シャフトの挿入端部の外部シャフト開口部の周辺に近接する。
いくつかの場合において、少なくとも２つの先端部は、外部シャフトの挿入端部の外部シャフト開口部に対称的に隣接し、外部シャフト開口部の主軸の延長線上に位置する。
いくつかの場合において、各先端部は外部シャフトの外面部上に位置する。
いくつかの場合において、各先端部は実質的に半直方体または半柱状の楕円体である。
いくつかの場合において、各先端部は、インプラント本体が外部シャフトに固定されるときに、インプラント本体の１つのサイドスロットに合致するように構成される。
いくつかの場合において、インプラント本体の内部シャフトへの固定は、主スロットの主軸と内部シャフト先端部の主軸とが実質的に平行ではない状態を含む。
いくつかの場合において、実質的に平行でない状態は、主スロットの主軸と内部シャフト先端部の主軸との間の角度が約９０度の状態を含む。
いくつかの場合において、内部シャフト本体の直線移動は、インターフェースまたは相補的インターフェースの高さと、カム形状がノブの周面に沿って所定位置から回転する回転角とによって決定される。
いくつかの場合において、方法は、ノブの回転がインプラント本体をインプラント挿入装置の外部シャフトの挿入端部から直線的に移動させるとういう態様で、インプラント挿入装置の内部シャフトのノブを回転させること含む。
【００４０】
特定用語：
他の限定がなされない限り、本明細書で使用されるすべての技術的用語は、本発明が属する技術における当業者によって一般に理解されるのと同じ意味を持つ。本明細書および添付の特許請求の範囲で使用されるように、文脈によって明白に別のように規定されない限り、単数形（「ａ」，「ａｎ」  ａｎｄ「ｔｈｅ」）は、複数の言及を含む。本明細書における「または」という任意の言及は、別の記述がない限り、「及び／又は」を包含することを意図する。
【００４１】
概観：
本明細書に開示されるシステム、方法、装置およびキットは、射出成型可能なインプラント挿入装置を含み、インプラント本体は、それらの機械加工可能な等価物よりも低価格な１以上の耐久性材料を使用して、射出成型が可能である。
加えて、射出成型可能なインプラント挿入装置およびインプラント本体は容易に製作できると共に、１回使用のみのために配備されることができ、それによって、機械加工された等価物の洗浄、オートクレーブ処理、滅菌処理、輸送またはメンテナンスと関連する汚染を著しく低減するか完全に除去する。
１回使用当たりのインプラント挿入装置およびインプラント本体のコストは、機械加工される等価物よりも、著しく低い。
さらに、射出成型可能なインプラント挿入装置およびインプラントは、汚染を防ぎ、異なる医学的処置における外科的要求を容易にするため、無菌で剥離可能に密閉されたキット内に梱包することができる。
さらに、本明細書で開示されるシステム、方法、装置およびキットは、インプラント本体を、インプラント送達装置の内部シャフトおよび外部シャフトの両方へ固定する、少なくとも１つの安全な固定機構を含む。
そのような固定機構は、インプラント本体が挿入装置から不要に解放され、または破損するのを大幅に低減する。
インプラント本体上の付加的な鋸歯状構造は、インプラントの送達の間の一方向挿入の支援もする。
さらに、インプラント本体は、耐久性を有し、かつ生体物質の被処置者への送達および固定に適合するサポート構造を有している。
【００４２】
図１ａは、その上に適切に固定されるインプラント本体を備えるインプラント挿入装置の限定的でない典型的な実施形態を示す。
インプラント本体は、外部シャフト２０と、挿入装置の基部のノブを備える内部シャフト３０とを有している。
外部シャフト２０は、装置の挿入端部に近接する挿入ストッパ２１を有する。
インプラント本体１０は内部シャフト３０に固定され、外部シャフト２０に取り付けられる。
内部シャフトは、内部空間１１と、内部空間を囲むサポート構造１２とを有する。
いくつかの場合において、外部シャフト２０は、その最長の方向に沿って、不均一の横断面積を備えた棒状形状である。
いくつかの場合において、外部シャフトは湾曲しているか曲がっているシャフトである。
いくつかの場合において、外部シャフトは可撓性を有する。
いくつかの場合において、外部シャフトは変形可能で、曲率をユーザが定義するように形成することが可能である。
いくつかの場合において、内部シャフト３０は、外部シャフト２０内で部分的に囲まれる。
いくつかの場合において、ノブおよび内部シャフト先端部は外部シャフト２０で囲まれない。
いくつかの場合において、内部シャフトは可撓性を有する。
いくつかの場合において、内部シャフト本体は、外部シャフトの中で同心的に、または非同心的に回転する。
いくつかの場合において、インプラント本体１０は、被処置者の脊椎骨間の空間に嵌合する任意の３次元的形状を含む。
いくつかの場合において、インプラント挿入装置へのインプラント本体１０のインターフェースは、サポート構造１２の外面部のどこかの部分上に位置し、
インターフェースは、インプラント本体を、内部シャフト３０及び／又は外部シャフト２０に、固定及び／又は取り付けるように構成される。
挿入ストッパ２１は、外部シャフト２０の選択的特徴である。
いくつかの場合において、挿入ストッパ２１は、インプラントを、被処置者の脊髄に対し、特定の挿入角で挿入するのを容易にする。
【００４３】
図１ｂは、その上に適切に固定されるインプラント本体を持たない、インプラント挿入装置の限定的でない典型的な実施形態を示す。
インプラント本体は、外部シャフト２０と、挿入装置の基部のノブ３６を備える内部シャフト３０とを有している。
内部シャフト３０は、外部シャフトで部分的に囲まれ、内部シャフト先端部３１は、その内部に適切に挿入されるときに、外部シャフト２０で囲まれない。
内部シャフト先端部３１は、その上に装填可能なインプラント本体に対する開放位置にある。
外部シャフトは、その外面部上に複数の窓部２１３を含む。
いくつかの場合において、外部シャフト２０は、その最長の方向に沿って、不均一な横断面積を備えた棒状形状である。
いくつかの場合において、外部シャフトは湾曲しているか曲がっているシャフトである。
いくつかの場合において、外部シャフトは可撓性を有する。
いくつかの場合において、外部シャフトは変形可能で、その曲率をユーザが定義するように形成することが可能である。
いくつかの場合において、内部シャフト３０は、外部シャフト２０で部分的に囲まれる。
いくつかの場合において、ノブおよび内部シャフト先端部は外部シャフト２０で囲まれない。
いくつかの場合において、内部シャフト３０は可撓性を有する。
いくつかの場合において、内部シャフト本体は、外部シャフト２０に同心的に、または非同心的に回転する。
【００４４】
図２を参照すると、特定の実施形態において、インプラント挿入装置が、その上にインプラント本体が取り付けられない状態で示される。
外部シャフト２０は、装置の挿入端部に近接して、挿入ストッパ２１を有する。
内部シャフトは、外部シャフトの中空空間を通って合致し、
内部シャフト先端部３１、および内部シャフト３０の基部のノブは、外部シャフト２０で囲まれない。
【００４５】
インプラント形状：
いくつかの実施形態において、インプラント本体は、円柱形状を有する。
いくつかの場合において、インプラント本体は、台形の木口面を備える柱状である。
他の実施形態において、インプラント本体は立方体形状である。
他の実施形態において、インプラント本体は直方体形状である。
いくつかの場合において、インプラント本体は柱状の楕円体形状である。
いくつかの場合において、インプラント本体は、所定期間の挿入後に、外力、圧力、または摩耗に対し耐久性を持つように適切に形成される。
いくつかの場合において、インプラント本体は、それが脊椎骨間の空間に嵌合するように、３次元空間的に適切に形成される。
いくつかの場合において、インプラント本体は環状の形状を有する。
いくつかの場合において、サポート構造は環状の形状を有する。
環状の形状は、開孔を有する任意の三次元容積、または、それを通過する３次元的中空空間である。
いくつかの場合において、環状の形状は、そこを通過する開孔または中空の通路を有する、任意の三次元容積である。
いくつかの場合において、環状の形状は、任意の２次元的形状で置換されたいくつかの円形のリングを備える、３次元的リングである。
いくつかの場合において、環状の形状は、ともに連続的に積み重ねられた複数の２次元的木口面を備え、木口面は高さが不均一であり、各木口面は、壁によって囲まれた任意の２次元的中空領域を有している形状である。
いくつかの場合において、壁は、閉じた輪郭線と、その輪郭に沿って不均一な径方向の厚みを有する。
【００４６】
いくつかの実施形態において、インプラント本体の高さは均一である。
他の場合において、インプラント本体の高さは不均一である。
いくつかの場合において、インプラント本体の高さは、インプラント本体が適切に挿入されるときに、前後方向に沿って不均一である。
いくつかの場合において、インプラント本体の不均一高さは、脊柱の脊柱前湾角または円背角によって引き起こされる脊椎骨間の空間内での高さの相違を吸収するように構成される。
いくつかの場合において、インプラント本体が適切に挿入されるときに、インプラント本体の高さは、インプラント本体の前方側部において、インプラント本体の後方側部よりも小さい。
いくつかの場合において、適切に配置された時、高さは、インプラント本体の後方側部から前方側部まで徐々に減少する。
他の場合において、適切に配置された時、高さは、インプラント本体の後方側部から前方側部まで徐々に増加する。
いくつかの場合において、インプラント本体の高さは、少なくとも１つの鋸歯の高さを含む。
いくつかの場合において、インプラント本体の高さは、すべての鋸歯の高さを除外する。
いくつかの場合において、鋸歯は、インプラント本体が離脱するのを防ぐ。
いくつかの場合において、鋸歯は、適切に挿入されるか配置された後、インプラント本体が摺動または移動するのを防ぐ。
いくつかの場合において、鋸歯は、サポート構造の最上部表面及び／又はサポート構造の最低部表面に配置される。
典型的な場合において、開孔または中空通路は、そこに挿入される移植組織を収容するように構成される。
【００４７】
図３を参照すると、特定の実施形態において、インプラント本体１０が示される。
左側の図は、インプラント本体の上面側から見た図である。
右側の図は、インプラント本体の底面側から見た図である。
インプラント本体は、上面および底面の鋸歯１６を含む。
インプラント本体は、サポート構造の側部から凹ませて形成された主スロット１３を有する。
２つのサイドスロット１４が、主スロット１３に近接して対称的に配置され、インプラント本体１０の側壁上の主スロット１３よりも浅い。
インプラント本体は、移植材料によって充填され得る内部空間１１を有する。
空間的に分離している中空空間１５は、その内部に、例えばＲＦタグのような検知可能タグを囲むために、サポート構造内に配置される。
上部スロット１７は、主スロット１３から連絡可能なチャンバに接続する。
インプラント本体は、不均一高さを有する。
いくつかの場合において、サイドスロット１４は、主スロット１３に直接的に隣接する。
いくつかの場合において、サイドスロット３１４は、主スロット１３から空間的に分離している。
いくつかの場合において、インプラント本体１０は、リング形状を有する。
いくつかの場合において、インプラント本体１０は、ドーナツ形状を有する。
いくつかの場合において、インプラント本体は環状である。
いくつかの場合において、インプラント本体１０は、容積内に囲まれた内部空間を備える三次元容積を有しており、内部空間は、容積の外面部から連絡可能である。
いくつかの場合において、インプラント本体の主スロット１３は円柱形状である。
いくつかの場合において、主スロット１３の木口面は楕円である。
いくつかの場合において、主スロットの木口面は長方形である。
いくつかの場合において、主スロットの木口面は菱形である。
いくつかの場合において、主スロットの木口面は三角形である。
いくつかの場合において、主スロットの木口面は平行四辺形である。
いくつかの場合において、主スロットの木口面は十字形である。
いくつかの場合において、インプラント本体の主スロットは、インプラント本体の外面部から凹ませて形成されている。
いくつかの場合において、主スロットは、適切なインプラント挿入方向と平行な方向に、インプラント本体の外面部から内表面へ向かって、凹ませて形成されている。
いくつかの場合において、インプラント本体は、中空空間１５を持たない。
いくつかの場合において、インプラント本体は、少なくとも１つの中空空間１５を有する。
【００４８】
図４を参照すると、特定の実施形態において、インプラント本体が示される。
インプラント本体は、移植材料によって充填され得る内部空間１１を囲むサポート構造１２を有する。
インプラント本体は、サポート構造の側部から凹ませて形成された主スロット１３を有する。
２つのサイドスロット１４が、インプラント本体１０の側壁の主スロット１３に近接して対称的に配置される。
上部スロット１７は、主スロット１３から連絡可能なチャンバに接続する。
インプラント本体１０は、上面および底面の鋸歯１６を含む。
インプラント本体は、不均一な高さを有する。
サポート構造の壁厚は、人間の背骨の脊柱前湾角を収容するため、均一ではない。
【００４９】
射出成型：
本明細書で使用されるように、「射出成型される」とは、非固体材料を型によって形成されたキャビティ内へ射出または加圧導入することを含み、その結果、凝固した時に材料が、型のキャビティによって規定されるような形状を成すことが想定される工程によって、製造されることを指す。
同様に、「射出成型可能」とは、そのような工程によって製造することが可能であることを意味する。
いくつかの場合において、用語は交換可能に使用される。
様々な場合において、本明細書で開示されるインプラント挿入装置およびインプラント本体は、射出成型される。
いくつかの場合において、インプラント挿入装置は別々に射出成形される。
いくつかの場合において、インプラント挿入装置の内部シャフトおよびインプラント挿入装置の外部シャフトは、別々に射出成形される。
いくつかの場合において、インプラント挿入装置の内部シャフトの部分は、別々に成型され、部分は、内部シャフト本体と、内部シャフトノブと、内部シャフト先端部とを含む。
いくつかの場合において、インプラント挿入装置の外部シャフトの部分は、別々に成型され、部分は、２つの外部シャフト先端部と、外部シャフト先端部以外の外部シャフト本体とを含む。
【００５０】
図５を参照すると、特定の実施形態において、部分４０、４１および４２を備える３分割型は、図３のインプラント本体を成型するのに使用される。
型部分４２は摺動して、スロットキャビティを形成するために、型部分４０および４１から分離する。
型部分４０は、チャンバのキャビティを形成するための、Ｕ字形の突出形状４７を含む。
型部分４０は、少なくとも検知可能タグを装填するための中空空間を形成するための円柱状の突出構造４５を含む。
型部分４０および４１は、インプラント本体の上面及び底面の鋸歯を形成するための形状４６を含む。
【００５１】
１回使用：
本明細書において、「１回使用」とは、１回限りの、または単一の被処置者への単一の処置における、または単一の手術における使用を指す。
「１回使用」とは、対象物が、その使用前に滅菌が必要とされる２回目の処置に使用されるよりも、むしろ廃棄されるので、再滅菌または再使用される必要がないことを意味する。
１回使用とは、単一のインプラントの送達のための使用、または、例えば一つの脊椎骨間の空間内の移植材料を含むインサートのようなインサートの送達における使用、またはまれに、１回の手術における１個人の、第１の脊椎骨間の空間への第１の移植物を含む第１のインサートの送達、および第２の脊椎骨間の空間内への第２の移植物を含む第２のインサートの送達における使用を意味する。
いくつかの場合において、本明細書に開示されるインプラント挿入装置およびインプラント本体は使い捨てである。
いくつかの場合において、本明細書に開示されるインプラント挿入装置およびインプラント本体は１回限りの使用向けである。
いくつかの場合において、本明細書に開示されるインプラント挿入装置およびインプラント本体は再使用向けではない。
いくつかの場合において、本明細書に開示されるインプラント挿入装置およびインプラント本体はオートクレーブ滅菌されない。
いくつかの場合において、本明細書に開示されるインプラント挿入装置およびインプラント本体は滅菌向けではない。
どちらかと言えば、本明細書に開示される装置は、いくつかの場合においてそれらは、再使用されるよりもむしろ一回使用して処分されてもいいように、十分に安価に製作され得る。
いくつかの場合において、本明細書の装置を製造するコストは、機械製造される装置の滅菌コストよりも低い。
多くの場合において、型に材料を射出することにより装置を作ることができるように、材料は射出成型可能である。
【００５２】
材料：
いくつかの実施形態において、インプラント挿入装置またはインプラント本体は少なくとも１つの非金属材料で製作される。
いくつかの場合において、インプラント挿入装置またはインプラント本体は少なくとも１つの金属材料で製作される。
いくつかの場合において、インプラント挿入装置またはインプラント本体は少なくとも１つのプラスチック材料で製作される。
いくつかの場合において、インプラント挿入装置またはインプラント本体は少なくとも１つの耐久性材料で製作される。
いくつかの場合において、インプラント本体は、インプラント本体が少なくとも１年、１．５年または２年間は機能的に耐えるように、１つ以上の耐久性材料で製作される。
いくつかの場合において、インプラント挿入装置またはインプラント本体は、１つ以上の医学用画像診断療法と適合する少なくとも１つの材料で製作される。
いくつかの場合において、１つ以上の医学用画像診断療法は、次のものを含む：
ＭＲＩ、Ｘ線、ＣＴ、ＰＥＴ、ＳＰＥＣＴおよび超音波。
いくつかの場合において、内部シャフト本体および内部シャフト先端部は少なくとも１つの金属で製作される。
いくつかの場合において、少なくとも１つの金属は、インプラント挿入の間の内部シャフトの不要な破損を低減させる。
【００５３】
いくつかの実施形態において、インプラント本体は、ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選ばれる少なくとも１つで製作される。
【００５４】
いくつかの実施形態において、内部シャフト、外部シャフト、または内部シャフトおよび外部シャフトは、次のものから選ばれるもので製作される：ポリエーテルエーテルケトン（ＰＥＥＫ）、炭素繊維強化ポリマー、炭素繊維強化プラスチック、炭素繊維強化熱可塑性プラスチック、ガラス繊維強化ポリマー、ガラス繊維強化プラスチック、およびポリアリールエーテルケトン（ＰＥＡＫ）から選ばれる少なくとも１つ、または同様の性質を持つ任意の市販のポリマー。
いくつかの場合において、内部シャフトまたは外部シャフトは、その材料中に約５０％のガラスを含む。
いくつかの場合において、内部シャフトまたは外部シャフトは、ガラス含有率が少なくとも１０％から７０％以下までの材料を含む。
他の場合において、内部シャフトまたは外部シャフトは、ガラス含有率が５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％  ５６％  ５７％  ５８％、５９％、６０％、６１％、６２％、６３％、６４％、６５％、６６％、６７％、６８％、６９％または７０％から選択される少なくとも１つである材料を含む。
【００５５】
いくつかの場合において、インプラントはチタンで製作される。
いくつかの場合において、内部シャフト本体、内部シャフトまたは外部シャフトは、ニチノール、ステンレススチール、チタンまたは他の同様の金属で製作される。
【００５６】
いくつかの実施形態において、内部シャフトは、もし横へ曲げられても無傷である材料のような、可撓性材料で製作される。
いくつかの場合において、内部シャフトは、湾曲した外部シャフト内へ挿通することができるような可撓性を有する。
【００５７】
本明細書に開示されるインプラント装置およびシステムは、移植材料を多くの被処置者の場所に送達するために使用される。
典型的な位置は、例えば腰部の脊椎骨間の空間、頚部の脊椎骨間の空間、または他の脊椎骨間の脊柱の空間のような、脊椎骨間の空間を含む。
いくつかの場合において、本明細書に開示される装置および方法は、移植物またはインサートを、骨外部または内部、または軟繊維のような、被処置者の非脊椎の空間へ送達するのに使用される。
【００５８】
サイズ：
いくつかの場合において、インプラント本体は、それが挿入されることを必要とする脊椎骨間の空間と嵌合するような、３次元空間内における適切なサイズに合わせられる。
いくつかの場合において、インプラント本体は、挿入後の所定期間、外力、圧力または摩耗に耐えるような適切なサイズに合わせられる。
【００５９】
いくつかの場合において、高さ、長さまたは幅が均一でないとき、この高さ、長さおよび幅は、最小の高さ、長さ、または幅を示す。
他の場合に、高さ、長さまたは幅が均一でないとき、この高さ、長さおよび幅は、平均の高さ、長さ、または幅を示す。
【００６０】
いくつかの実施形態において、インプラント本体の高さは、１ｍｍ以上、３ｃｍ以下である。
いくつかの場合において、適切に挿入されるときに、インプラント本体の高さは、頭からつま先方向に位置する。
いくつかの場合において、インプラント本体の幅は、５ｍｍ以上、８ｃｍ以下である。
いくつかの場合において、適切に挿入されるときに、インプラント本体の幅は、左右方向に位置する。
いくつかの場合において、インプラント本体の長さは、５ｍｍ以上、８ｃｍ以下である。
いくつかの場合において、適切に挿入されるときに、インプラント本体の長さは、前後方向に位置する。
いくつかの場合において、内部空間の高さは、１ｍｍ以上、３ｃｍ以下である。
いくつかの場合において、適切に挿入されるときに、内部空間の高さは、上下方向に位置する。
いくつかの場合において、内部空間の幅は、５ｍｍ以上、８ｃｍ以下である。
いくつかの場合において、適切に挿入されるときに、内部空間の幅は、左右方向に位置する。
いくつかの場合において、内部空間の長さは、５ｍｍ以上、８ｃｍ以下である。
いくつかの場合において、適切に挿入されるときに、内部空間の長さは、前後方向に位置する。
いくつかの場合において、サポート構造の壁厚は、１ｍｍ以上、３ｃｍ以下である。
【００６１】
いくつかの実施形態において、インプラント本体の主スロットの高さは、２ｍｍ以上、５ｃｍ以下である。
いくつかの場合において、主スロットは、幅および長さが２ｍｍ以上、５ｃｍ以下である。
いくつかの場合において、主スロットは、以下から選択される少なくとも１つの高さ、幅または長さを有する：
１ｍｍ、１．５ｍｍ、２ｍｍ、３ｍｍ、４ｍｍ、５ｍｍ、６ｍｍ、７ｍｍ、８ｍｍ、９ｍｍ、１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、１０ｍｍ、２１ｍｍ、２２ｍｍ、２３ｍｍ、２４ｍｍ、２５ｍｍ、２６ｍｍ、２７ｍｍ、２８ｍｍ、２９ｍｍ、３０ｍｍ、３１ｍｍ、３２ｍｍ、３３ｍｍ、３４ｍｍ、３５ｍｍ、３６ｍｍ、３７ｍｍ、３８ｍｍ、３９ｍｍ、４０ｍｍ、４１ｍｍ、４２ｍｍ、４３ｍｍ、４４ｍｍ、または４５ｍｍ。
【００６２】
いくつかの場合において、インプラント本体のチャンバはＵ字形である。
いくつかの場合において、Ｕ字形の底部は半円である。
いくつかの場合において、半円の直径は、チャンバの長さまたは幅である。
いくつかの場合において、直径は、次のものから選択される１つである：
５ｍｍ、６ｍｍ、７ｍｍ、８ｍｍ、９ｍｍ、１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、１０ｍｍ、２１ｍｍ、２２ｍｍ、２３ｍｍ、２４ｍｍ、２５ｍｍ、２６ｍｍ、２７ｍｍ、２８ｍｍ、２９ｍｍ、３０ｍｍ、３１ｍｍ、３２ｍｍ、３３ｍｍ、３４ｍｍ、３５ｍｍ、３６ｍｍ、３７ｍｍ、３８ｍｍ、３９ｍｍ、４０ｍｍ、４１ｍｍ、４２ｍｍ、４３ｍｍ、４４ｍｍ、４５ｍｍ、４６ｍｍ、４７ｍｍ、４８ｍｍ、４９ｍｍ、および５０ｍｍ。
【００６３】
いくつかの場合において、チャンバの深さ、すなわち、主スロットの端からチャンバの反対側面までの凹ませた深さは、内部シャフト先端部がチャンバで完全に囲まれ、その内部において回転可能なように、内部シャフト先端部の深さよりも、わずかに大きい。
チャンバの深さは、１ｍｍ以上、２ｃｍ以下である。
いくつかの場合において、チャンバまたは内部シャフト先端部の深さは、１ｍｍ、１．２ｍｍ、１．５ｍｍ、１．８ｍｍ、２ｍｍ、２．２ｍｍ、２．５ｍｍ、２．８ｍｍ、３ｍｍ、５ｍｍ、６ｍｍ、７ｍｍ、８ｍｍ、９ｍｍ、１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、２０ｍｍ、２１ｍｍ、２２ｍｍ、２３ｍｍ、２４ｍｍ、および２５ｍｍから選択される。
いくつかの場合において、内部シャフト先端部の深さは、内部シャフトの回転平面に垂直である。
【００６４】
いくつかの場合において、各サイドスロットは、任意の３次元形状を有する。
いくつかの場合において、各サイドスロットは、主スロットより小さな３次元容積を有している。
いくつかの場合において、各外部シャフト先端部は、対応するサイドスロットに合致する任意の３次元形状を有する。
【００６５】
いくつかの場合において、内部シャフト先端部は、内部シャフト先端部の主軸と主スロットの主軸とを実質的に平行に保つことによって、それが主スロットを通過することができるように、主スロットに実質的に類似し、かつ、わずかに小さい形状を有する。
【００６６】
いくつかの場合において、内部シャフト本体は、約４．５インチ、約５インチ、約５．５インチ、約６インチ、約６．５インチ、約７インチ、約７．５インチ、約８インチ、約８．５インチ、約９インチ、約９．５インチ、約１０インチ、約１０．５インチ、約１１インチ、約１１．５インチ、約１２インチ、または約１２．５インチから選択される長さまたは最長寸法のサイズを有する。
いくつかの場合において、外部シャフトは、約４．５インチ、約５インチ、約５．５インチ、約６インチ、約６．５インチ、約７インチ、約７．５インチ、約８インチ、約８．５インチ、約９インチ、約９．５インチ、約１０インチ、約１０．５インチ、約１１インチ、約１１．５インチ、約１２インチ、または約１２．５インチから選択される長さまたは最長寸法のサイズを有する。
いくつかの場合において、インプラント挿入装置は、約４．５インチ、約５インチ、約５．５インチ、約６インチ、約６．５インチ、約７インチ、約７．５インチ、約８インチ、約８．５インチ、約９インチ、約９．５インチ、約１０インチ、約１０．５インチ、約１１インチ、約１１．５インチ、約１２インチ、または約１２．５インチから選択される最長寸法を有する。
【００６７】
いくつかの実施形態において、外部シャフトの最長寸法に沿った木口面は、単調に基部から挿入装置の挿入端部まで減少する。
外部シャフトの最長寸法に垂直である、インプラント挿入装置または外部シャフトの最も大きな木口面、すなわち最低部木口面は、幅または長さが５ｍｍ以上で、８ｃｍ以下である。
内部シャフト本体または外部シャフトの最上部木口面は、幅または長さが、２ｍｍ以上、２ｃｍ以下である。
【００６８】
いくつかの実施形態において、内部シャフトのノブの一部は外部シャフトと嵌合する。
いくつかの場合において、ノブの一部は外部シャフトと嵌合しない。
少なくとも１つの隆起は、外部シャフトと嵌合する。
隆起のサイズは、１ｍｍ２以上、１ｃｍ２以下の面積を有する。
【００６９】
いくつかの実施形態において、外部シャフトの外面部は、平坦な２次元的表面である。
他の場合において、外面部は凹曲面または凸曲面である。
いくつかの場合において、外面部は円形開口を含む。
他の場合において、外面部は、内部シャフト先端部の通過を可能にする任意の２次元形状の開口部を含む。
【００７０】
いくつかの場合において、内部シャフトは内部シャフトの基部のカム形状を含む。
いくつかの場合において、カム形状は、高さが０．２ｍｍ以上、１ｃｍ以下である。
いくつかの場合において、挿入ストッパの高さは、０．２ｍｍ以上、２ｃｍ以下である。
【００７１】
移植組織は、本明細書で使用されるように、処置の間に被処置者のどこか別の部位から採取した骨組織のような、被処置者の自己の組織を含んでもよい。
移植組織は同様に、死体由来でもよく、または、被処置者または別の他のところから由来する、培養された分化または未分化の細胞集団から培養されるか合成的に生産されてもよい。
移植材料は、パックされた同種移植骨（脱ミネラル化され又はされない）、移植物の容積形状と想定されるパックされた生体適合性セラミックス粒状物（βリン酸三カルシウム、ハイドロキシアパタイト、硫酸カルシウム、および等価物）、生体ガラスを備えまたは備えない、および、ヒアルロン酸を備えまたは備えないコラーゲンのような生体適合性マトリックスによって保持される生体適合性セラミック粒状物であってもよい。
【００７２】
挿入体、すなわちインプラント本体は、本明細書に開示されるように、ある場合に、被処置者の椎間腔に移植組織を送達するために使用される。
挿入体は、例えば被処置者の内部空間に人工構造物を送達するように、移植組織がない状態で使用されてもよい。
いくつかの場合において、挿入装置は、例えば関節、骨移植位置、または骨再構成位置のような、背骨とは異なる被処置者の内部にインサートを送達するために使用される。
いくつかの場合において、挿入装置は、内部空間を含まないか、または、２つの椎骨間の移植物を安定させる以外の使用のために構成されるインサートを送達する。
従って、脊柱のインターベンションおよび非脊柱のインターベンションの両方は本明細書で熟考され、また、各それぞれのインターベンションと一致するインプラント本体が同様に熟考される。
【００７３】
柱状形状：
いくつかの実施形態において、請求項に記載の装置、方法またはキットは、柱状形状、実質的な柱状形状、または同じものの使用を含む。
いくつかの場合において、柱状形状は、三次元（３Ｄ）形状である。
いくつかの場合において、柱状形状は、閉じた輪郭線によって形成された任意の２次元（２Ｄ）形状の木口面を有し、柱状形状は、互いに隣接して位置する同一の任意の２次元的形状の有限個の木口面の積重ねによって形成される。
【００７４】
いくつかの場合において、柱状形状は、閉じた輪郭線によって形成される台形の木口面を有し、柱状形状は、互いに隣接して位置する同一の台形の積重ねによって形成される。
いくつかの場合において、柱状形状は、閉じた輪郭線によって形成される楕円形の木口面を有し、柱状形状は、互いに隣接して位置する同一の楕円形の積重ねによって形成される。
いくつかの場合において、柱状形状は、閉じた輪郭線によって形成される長方形の木口面を有し、柱状形状は、互いに隣接して位置する同一の長方形の積重ねによって形成される。
【００７５】
いくつかの実施形態において、柱状形状は、互いに連続的隣接して配置された平行線の群である。
いくつかの場合において、この平行線の群は、均一高さである。
他の実施形態において、これらの平行線は、異なる高さを有する
【００７６】
いくつかの柱状形状において、すべての平行の木口面は等しい面積であり、他の実施形態では、例えば、「テーパ状の柱状形状」において単調に増加または減少するように、平行の木口面は表面積が異なる。
【００７７】
直方体：
いくつかの実施形態において、請求項に記載の装置、方法またはキットは、直方体、直平行六面体、または同じものの使用を含む。
いくつかの場合において、直方体は、３次元形状である。
いくつかの場合において、直方体は、閉じた輪郭線によって形成された２次元長方形の木口面を有し、直方体は、互いに隣接して配置された同じ２次元長方形の木口面の有限個の積重ねによって形成される。
同様に、いくつかの場合において、平行六面体は、閉じた輪郭線によって形成された２次元長方形の木口面を有し、平行六面体は、互いに隣接して配置された同じ２次元長方形木口面の有限個の積重ねによって形成される。
【００７８】
柱状の楕円体：
いくつかの場合において、柱状の楕円体の形状は、閉じた輪郭線によって形成された楕円の木口面を有し、柱状の楕円体形状は、互いに隣接して配置された同一の楕円の積重ねによって形成される。
【００７９】
内部空間：
いくつかの実施形態において、インプラント本体の内部空間は、３次元空間内で、インプラント本体によって部分的に囲まれる。
いくつかの場合において、内部空間は、その最上部木口面が被覆されない。
いくつかの場合において、内部空間は、その最低部木口面が被覆されない。
いくつかの場合において、内部空間は、その最上部木口面および最低部木口面が被覆されない。
いくつかの場合において、内部空間は、その上面及び底面が被覆されない。
いくつかの場合において、内部空間は、サポート構造の１方向の全体にわたる３次元の開孔である。
いくつかの場合において、内部空間は、サポート構造の１方向の全体にわたる３次元の開孔であり、他の方向においてサポート構造の壁によって被覆される。
【００８０】
スロット：
いくつかの実施形態において、インプラント本体は、インプラント本体の壁内へ凹ませて形成された主スロットを有する。
いくつかの場合において、主スロットの主軸と内部シャフト先端部の主軸とが実質的に平行であるときに、内部シャフト先端部が、主スロットを通過して合致する。
いくつかの場合において、実質的に平行とは、主スロットの主軸と内部シャフト先端部の主軸とのごく浅い交差角度を含み、この交差角度は１０度未満である。
いくつかの場合において、実質的に平行とは、主スロットの主軸と内部シャフト先端部の主軸とのごく浅い交差角度を含み、この交差角度は５度未満である。
いくつかの場合において、実質的に平行とは、主スロットの主軸と内部シャフト先端部の主軸とのごく浅い交差角度を含み、この交差角度は１５度未満である。
いくつかの場合において、内部シャフト先端部は、内部シャフトが第２の位置へ回転するときに、主スロットを通過して合致し、インプラント本体の最上部または最低部の外面部は、主スロットの主軸と実質的に平行である。
いくつかの場合において、内部シャフト先端部は、内部シャフトが第２の位置へ回転するときに、主スロットを通過して合致し、インプラント本体の最上部または最低部の外面部は、主スロットの木口面の主軸と実質的に平行である。
いくつかの場合において、木口面は、インプラント本体の最上部または最低部の外面部に対し、実質的に垂直である。
【００８１】
いくつかの実施形態において、スロットは、第３の寸法において無視できるサイズを備える閉じた輪郭線を備えた２次元的形状である。
いくつかの場合において、無視できるサイズとは、他の２つの寸法の少なくとも１０分の１以下である。
いくつかの場合において、無視できるサイズとは、他の２つの寸法の少なくとも５０分の１以下である。
いくつかの場合において、無視できるサイズとは、他の２つの寸法の少なくとも１００分の１以下である。
いくつかの場合において、無視できるサイズとは、他の２つの寸法の少なくとも２００分の１以下である。
【００８２】
いくつかの実施形態において、インプラント本体の主スロットは、その内部での内部シャフト先端部の回転を可能にする。
いくつかの場合において、主スロットは、その内部における内部シャフト先端部の少なくとも６０度の回転を可能にする。
いくつかの場合において、主スロットは、その内部における内部シャフト先端部の少なくとも７０度の回転を可能にする。
いくつかの場合において、主スロットは、その内部における内部シャフト先端部の少なくとも８０度の回転を可能にする。
いくつかの場合において、主スロットは、その内部における内部シャフト先端部の少なくとも９０度の回転を可能にする。
いくつかの場合において、内部シャフト先端部がインプラント本体に固定されるように、主スロットは、その内部における内部シャフト先端部の回転を可能にする。
いくつかの場合において、内部シャフトがインプラント本体に固定されるように、主スロットは、その内部における内部シャフト先端部の回転を可能にする。
いくつかの場合において、インプラント本体が内部シャフトに固定されるような態様で、主スロットは、その内部における内部シャフト先端部の回転を可能にする。
いくつかの場合において、インプラント本体が直線移動によって内部シャフトから分離しないような態様で、主スロットは、その内部における内部シャフト先端部の回転を可能にする。
【００８３】
いくつかの実施形態において、インプラント本体の主スロットは柱状形状である。
いくつかの場合において、主スロットの木口面は楕円である。
いくつかの場合において、主スロットの木口面は長方形である。
いくつかの場合において、主スロットの木口面は菱形形状である。
いくつかの場合において、主スロットの木口面は三角形である。
いくつかの場合において、主スロットの木口面は平行四辺形である。
【００８４】
いくつかの実施形態において、インプラント本体の主スロットは、インプラント本体の外面部から凹ませて形成されている。
いくつかの場合において、主スロットは、適切なインプラント挿入方向と平行な方向に、インプラント本体の内表面への外面部から凹ませて形成されている。
いくつかの場合において、主スロットの底部側の木口面は、インプラント本体の外面部に位置する。
【００８５】
いくつかの実施形態において、インプラント本体は、インプラント本体の壁へ凹ませて形成された２つのサイドスロットを有する。
いくつかの場合において、インプラント本体は、インプラント本体の主スロットの同じ壁へ凹ませて形成された２つのサイドスロットを有する。
いくつかの場合において、２つのサイドスロットが、インプラント本体の外面部から凹ませて形成される。
いくつかの場合において、２つのサイドスロットが、適切なインプラント挿入方向と平行な方角に、インプラント本体の外面部から内表面へ凹ませて形成されている。
いくつかの場合において、２つのサイドスロットの底部側の木口面は、インプラント本体の外面部に位置する。
いくつかの場合において、２つのサイドスロットの底部側の木口面は、主スロットの底部側の木口面に対称的に隣接している。
いくつかの場合において、２つのサイドスロットの底部側の木口面は、主スロットの底部側木口面の中間点または中心に対し対称である。
いくつかの場合において、２つのサイドスロットの底部側の木口面は、主スロットの底部側の木口面の短軸に対し対称である。
いくつかの場合において、２つのサイドスロットの底部側の木口面は、主スロットの底部側の木口面の主軸に対し対称である。
いくつかの場合において、２つのサイドスロットの底部側の木口面は、主スロットの底部側の木口面の最長の軸線に対し対称である。
いくつかの場合において、２つのサイドスロットの底部側の木口面は、主スロットの底部側の木口面の対角線に対し対称である。
いくつかの場合において、２つのサイドスロットの底部側の木口面は、主スロットの底部側の木口面の幅に対し対称である。
いくつかの場合において、インプラント本体が外部シャフトに適切に固定されるときに、２つのサイドスロットの各々が、２つの外部シャフト先端部のうちの１つに合致する。
いくつかの場合において、インプラント本体が外部シャフトに適切に固定されるときに、２つのサイドスロットの各々が２つの外部シャフト先端部のうちの１つに合致するとは、インプラント挿入装置に対しインプラント本体を保持するように構成されることである。
いくつかの場合において、インプラント本体を外部シャフトへ適切に固定するとは、サイドスロットを先端部に取り付けるように構成されることである。
いくつかの場合において、インプラント本体の外部シャフトへの適切な取り付けは、インプラント挿入の間に、インプラント本体が偶然に回転するのを防止する。
いくつかの場合において、インプラント本体の外部シャフトへの適切な取り付けは、インプラント挿入の間に、インプラント本体が偶然に内部シャフト本体の周りを回転するのを防止する。
いくつかの場合において、インプラント本体の外部シャフトへの適切な取り付けは、インプラント挿入の間に、インプラント本体が偶然に挿入方向の周りを回転するのを防止する。
いくつかの場合において、インプラント本体の外部シャフトへの適切な固定は、挿入の間にインプラント本体に対する圧力の低減するように構成される。
いくつかの場合において、インプラント本体の外部シャフトへの適切な固定は、挿入の間におけるインプラントのインプラント挿入装置からの不要な解放を低減するように構成される。
いくつかの場合において、インプラント本体の外部シャフトへの適切な固定は、インプラント本体とインプラント挿入装置との間の相互作用領域を増加させるように構成される。
いくつかの場合において、インプラント本体の外部シャフトへの適切な固定は、インプラント本体とのインタラクションの領域を増加させるように構成され、それによって、インプラント本体への外力がインプラント挿入装置へ部分的に転送される。
いくつかの場合において、インプラント本体の外部シャフトへの適切な固定は、インプラントの破損の危険性を減少させるように構成される。
いくつかの場合において、インプラント本体の外部シャフトへの適切な固定は、インプラントのインプラント挿入装置からの不要な離脱の危険性を減少させるように構成される。
いくつかの場合において、適切な固定は、インプラント本体を、被処置者の椎間腔にそれをより正確に入れることができるように、適所に保持する。
【００８６】
いくつかの実施形態において、２つのサイドスロットは、半柱状形状のそれぞれである。
いくつかの場合において、２つのサイドスロットのそれぞれの木口面は、半楕円である。
いくつかの場合において、２つのサイドスロットのそれぞれの木口面は、長方形である。
いくつかの場合において、２つのサイドスロットのそれぞれの木口面は、半長方形である。
いくつかの場合において、２つのサイドスロットのそれぞれの木口面は、三角形である。
いくつかの場合において、２つのサイドスロットのそれぞれの木口面は、扇形である。
いくつかの場合において、２つのサイドスロットのそれぞれの木口面は、円である。
いくつかの場合において、２つのサイドスロットのそれぞれの木口面は、台形である。
いくつかの場合において、２つのサイドスロットのそれぞれの木口面は、五角形または菱形である。
いくつかの場合において、２つのサイドスロットのそれぞれの木口面は、平行四辺形である。
いくつかの場合において、２つのサイドスロットのそれぞれの木口面は、任意の２次元的形状である。
【００８７】
いくつかの場合において、インプラント本体は、インプラント本体の頂部または底部の木口面のスロットを含む。
いくつかの場合において、スロットは、長手方向に沿った外面部の最上部領域または最低部領域から凹ませて形成されている。
いくつかの場合において、このスロットは、インプラント本体のチャンバに接続される。
いくつかの場合において、このスロットは、チャンバの成型を容易にする。
いくつかの場合において、スロットは、チャンバ内の内部シャフト先端部の可視化を可能にする。
いくつかの実施形態において、スロットは、チャンバの幅と実質的に同一の幅を持っている。
他の実施形態において、スロットは、チャンバの直径と実質的に同一の幅を持っている。
【００８８】
いくつかの実施形態において、主スロットは、インプラント本体が被処置者の中にで適切に配置されるときに、被処置者の前方、後方、左側、右側、頭部側、または爪先側に面する。
いくつかの場合において、スロットの存在は、挿入装置へのインプラント本体の固定に影響しない。
【００８９】
図６を参照すると、特定の実施形態において、インプラント本体が示される。
インプラント本体１０は、移植材料によって充填され得る内部空間１１を囲むサポート構造１２を有する。
インプラント本体は、サポート構造の側面から凹ませて形成された主スロット１３を有する。
２つのサイドスロット１４が、インプラント本体１０の側壁上の主スロット１３に近接して対称的に配置される。
上部スロット１７は、主スロット１３から到達可能なチャンバと接続する。
いくつかの実施形態において、サイドスロット１４のサイズは、主スロット１３より小さい。
いくつかの実施形態において、各サイドスロット３１４は任意である。
いくつかの実施形態において、主スロットは、ねじが形成された内部シャフトをその内部で螺合させることによって取り付けるように、ねじが形成される。
【００９０】
サポート構造：
いくつかの実施形態において、インプラント本体はサポート構造を含んでいる。
いくつかの実施形態において、サポート構造は少なくとも１つの射出成型可能である材料で製作される。
いくつかの実施形態において、サポート構造はインプラント本体と等価である。
いくつかの実施形態において、インプラント本体は、サポート構造、少なくとも１つの移植材料を保持するための内部空間、および、少なくとも１つの医療用画像タグを保持するための少なくとも１つの空間を含む。
いくつかの実施形態において、少なくとも１つの医療用画像タグを保持する少なくとも１つの空間は、サポート構造の端部に位置する。
いくつかの実施形態において、少なくとも１つの医療用画像タグを保持する少なくとも１つの空間は、少なくとも１つの医療用画像機器を用いて、インプラント本体の認識を容易にするために配置される。
いくつかの実施形態において、少なくとも１つの医療用画像機器は、次から選択される１つ以上を含む：
ＭＲＩ、ＣＴ、Ｘ線、ＰＥＴ、ｍｉｃｒｏＰＥＴ、ｍｉｃｒｏＳＰＥＣＴ、ＯＣＴ、および超音波。
【００９１】
チャンバ：
いくつかの実施形態において、インプラント本体はチャンバを含む。
いくつかの実施形態において、チャンバは、内部シャフト先端部が少なくとも２つの位置を想定するためにチャンバ内で回転することができるような大きさに成される。
いくつかの実施形態において、チャンバの第１の位置は、内部シャフト先端部の冠状面または矢状面内で第２の位置へ回転させずに、内部シャフト先端部をチャンバから引き出すことができないような固定位置である。
いくつかの実施形態において、チャンバの第２の位置は、内部シャフト先端部の直線移動のみで、内部シャフト先端部をチャンバから引き出すことができるような解放位置である。
いくつかの実施形態において、直線移動は、インプラント挿入装置の基部へ向かって挿入方向に沿う。
【００９２】
いくつかの実施形態において、インプラント本体は、主スロットを通過する動作により、チャンバにアクセスだけする。
いくつかの場合において、チャンバは、主スロットよりも、インプラント本体の壁に、より深く凹ませて形成されている。
いくつかの実施形態において、チャンバは少なくとも１つのスロットに接続される。
いくつかの場合において、チャンバは、インプラント本体のサポート構造の少なくとも１つの穴に接続される。
【００９３】
主軸：
いくつかの実施形態において、主軸は、２次元楕円の最長径である。
いくつかの実施形態において、主軸は、柱状形状の木口面の最長径であり、木口面は、柱状形状の基部または頂部と平行である。
いくつかの実施形態において、長方形の主軸は長方形の長さである。
いくつかの実施形態において、平行六面体の主軸は平行六面体の木口面の最長径であり、木口面は平行六面体の基部または頂部と平行である。
いくつかの実施形態において、直方体の主軸は、直方体の木口面の最長径であり、木口面は直方体の基部または頂部と平行である。
【００９４】
いくつかの実施形態において、主スロットの主軸と内部シャフト先端部の主軸とは、もし主スロットの主軸と内部シャフト先端部の主軸との間で９度以上の鋭角が形成されるならば、実質的に平行ではない。
いくつかの実施形態において、主スロットの主軸と内部シャフト先端部の主軸とは、もし主スロットの主軸と内部シャフト先端部の主軸との間で４度以上の鋭角が形成されるならば、実質的に平行ではない。
いくつかの実施形態において、主スロットの主軸と内部シャフト先端部の主軸とは、もし主スロットの主軸と内部シャフト先端部の主軸との間で７度以上の鋭角が形成されるならば、実質的に平行ではない。
いくつかの実施形態において、主スロットの主軸と内部シャフト先端部の主軸とは、もし主スロットの主軸と内部シャフト先端部の主軸との間で１４度以上の鋭角が形成されるならば、実質的に平行ではない。
【００９５】
いくつかの実施形態において、スロットの主軸と内部シャフト先端部の主軸とは、もし約９０度の角度が形成されたならば、実質的に平行ではない。
いくつかの実施形態において、主スロットの主軸と内部シャフト先端部の主軸とは、もし２つの長軸間の間に少なくとも１５度の鋭角が形成されたならば、実質的に平行ではない。
【００９６】
木口面：
いくつかの実施形態において、木口面は、３次元体の平面との交差である。
いくつかの実施形態において、木口面は、３次元体の基部または頂部と平行である。
いくつかの実施形態において、木口面は、３次元体の基部または頂部と平行な平面との、３次元体の交差である。
いくつかの実施形態において、３次元体の木口面は輪郭線を含む。
【００９７】
内部シャフト先端部：
いくつかの場合において、請求項に記載の装置、方法またはキットは、内部シャフト先端部または同じものの使用を含む。
いくつかの実施形態において、内部シャフト先端部は、内部シャフトの挿入端部の内部シャフト本体に取り付けられている。
いくつかの実施形態において、内部シャフト先端部はインプラント本体と接触する。
いくつかの実施形態において、内部シャフト先端部はインプラント本体の主スロットに合致する。
いくつかの実施形態において、内部シャフト先端部は、内部シャフト先端部の主軸がインプラント本体の主スロットの主軸と実質的に平行なときに、インプラント本体の主スロットに合致する。
いくつかの実施形態において、実質的に平行は、１０度未満の鋭角の交差角度を含む。
いくつかの場合において、実質的に平行は、５度未満の鋭角の交差角度を含む。
いくつかの実施形態において、実質的に平行は、１５度未満の鋭角の交差角度を含む。
【００９８】
いくつかの実施形態において、インプラント本体を内部シャフトに固定するために、内部シャフト先端部はインプラント本体の主スロット内で回転する。
いくつかの実施形態では、内部シャフト先端部は柱状である。
いくつかの実施形態では、内部シャフト先端部の木口面は楕円である。
いくつかの実施形態では、内部シャフト先端部の木口面は長方形である。
いくつかの実施形態では、内部シャフト先端部の木口面は菱形である。
いくつかの実施形態では、内部シャフト先端部の木口面は三角形である。
いくつかの実施形態では、内部シャフト先端部の木口面は平行四辺形である。
【００９９】
いくつかの場合において、内部シャフト先端部は、最低部木口面で内部シャフト本体に取り付けられている。
いくつかの場合において、内部シャフト先端部の最低部木口面は、内部シャフト本体の最上部木口面に取り付けられている。
いくつかの場合において、最低部木口面は楕円である。
いくつかの実施形態において、内部シャフト先端部の最低部木口面の主軸の中間点は、内部シャフト本体の最上部木口面の中心と重なる。
いくつかの場合において、内部シャフト本体が外部シャフト内で回転するときに、内部シャフト先端部は同心的に回転する。
【０１００】
いくつかの実施形態において、内部シャフトが適切に配置されるときに、内部シャフト先端部は外部シャフトで囲まれない。
いくつかの実施形態において、内部シャフトが適切に配置されるときに、内部シャフト本体は外部シャフトで実質的に囲まれる。
いくつかの実施形態において、実質的に囲まれるとは、内部シャフト本体の容積の少なくとも９５％が囲まれることを示す。
いくつかの実施形態において、実質的に囲まれるとは、内部シャフト本体の容積の少なくとも９８％が囲まれることを示す。
いくつかの実施形態において、実質的に囲まれるとは、内部シャフト本体の容積の少なくとも９９％が囲まれることを示す。
いくつかの実施形態において、実質的に囲まれるとは、内部シャフト本体の容積の少なくとも９２％が囲まれることを示す。
【０１０１】
図７を参照すると、特定の場合において、インプラント本体を、内部シャフト及び外部シャフトへ固定する機構が示される。
この実施形態において、内部シャフトは、外部シャフト２０に適切に挿入される。
内部シャフト先端部３１は、外部シャフト開口部２１５を通じて合致する。
内部シャフト３０のノブは、内部シャフト先端部３１を約９０度回転させるために、インプラント挿入装置の基部で回転可能である。
外部シャフト先端部２１６は、外部シャフト開口部の近くに対称的に配置され、インプラント本体の２つのサイドスロットに取り付けられるように構成される。
内部シャフト先端部は実質的に柱状楕円である。
楕円形の木口面がインプラント本体の楕円形木口面と実質的に位置合わせされたときに（平面視）、インプラント本体が内部シャフト先端部３１に容易に装填される。
楕円形の木口面がインプラント本体の楕円形木口面から約９０度回転したときに（底面視）、インプラント本体が内部シャフト先端部３１に固定される。
インプラント本体はさらに、外部シャフト開口部２１５に近接して対称的に配置された外部シャフト先端部２２に対するアタッチメントを通じて、外部シャフトに取り付けられる。
いくつかの実施形態において、挿入ストッパ２１は任意である。
いくつかの実施形態において、挿入ストッパ２１は、インプラント挿入システムのある作動角度でのみ存在する。
いくつかの実施形態において、外部シャフト開口部２１５は円形である。
いくつかの実施形態において、外部シャフト開口部２１５は、内部シャフト先端部３１が外部シャフトの基部から挿入端部の方へ向かって通過することが可能な程度に十分に大きい２次元的領域である。
【０１０２】
図８を参照すると、特定の実施形態において、内部シャフト３０は、棒状形の内部シャフト本体３２と、先端部が直接的に隣接する部分よりも広い、実質的に柱状の楕円形の内部シャフト先端部３１とを備えることが示される。
いくつかの場合において、内部シャフト先端部３１は柱状の平行六面体である。
いくつかの場合において、内部シャフト先端部は立方体である。
いくつかの実施形態において、内部シャフト先端部は柱状三角形である。
いくつかの実施形態において、内部シャフト先端部は柱状平行四辺形である。
いくつかの実施形態において、内部シャフト先端部は柱状台形である。
いくつかの実施形態において、内部シャフト先端部は、柱体または球体以外の任意の３次元形状である。
いくつかの実施形態において、内部シャフト先端部３１は、直接的にそれに隣接する内部シャフト本体よりも、内部シャフト先端部の回転面に垂直な少なくとも１寸法において広い。
いくつかの実施形態において、内部シャフト本体３２は、湾曲し又は曲っている外部シャフトに合致して、その内部で回転することができるような。可撓性を有する。
【０１０３】
ノブ：
いくつかの実施形態において、内部シャフトが適切に配置されるときに、ノブは外部シャフトで囲まれない。
いくつかの実施形態において、ノブは内部シャフト本体の基部へ取り付けられる。
いくつかの実施形態において、ノブは、その最上部木口面上で内部シャフト本体に取り付けられる。
いくつかの実施形態において、内部シャフト先端部の最上部木口面は、内部シャフト本体の基部で、内部シャフト本体の最低部木口面に取り付けられる。
いくつかの実施形態において、内部シャフトのノブは、内部シャフト本体の基部へ取り付けられたノブを含む。
いくつかの実施形態において、ノブは内部シャフト本体の最低部木口面に取り付けられる。
いくつかの実施形態において、ノブは、内部シャフト本体の最低部木口面の横断面積よりも大きい、断面積を有する。
いくつかの実施形態において、ノブの中心と、内部シャフト本体の最低部木口面の中心とが、内部シャフトの最長の軸芯に沿って位置合わせされる。
いくつかの実施形態において、最上部木口面は実質的に正方形である。
いくつかの実施形態において、最上部木口面は実質的に楕円である。
いくつかの実施形態において、ノブの最上部木口面の中心は、内部シャフト本体の最低部木口面の中心と重なる。
いくつかの実施形態において、ノブが回転するときに、内部シャフト本体は外部シャフト内で同心的に回転する。
いくつかの実施形態において、ノブの上部木口面の面積は、外部シャフトの最低部木口面の面積と比べて、実質的に同じか、またはより大きい。
いくつかの実施形態において、内部シャフトが適切に配置されるときに、ノブは外部シャフトへ挿入されない。
いくつかの実施形態において、内部シャフトが適切に配置されるときに、ノブは外部シャフトによって囲まれない。
【０１０４】
インターフェース：
いくつかの実施形態において、インプラント挿入装置およびインプラント本体は、少なくとも１つ、２つ、３つ、またはそれ以上のインターフェースを含む。
いくつかの実施形態において、インプラント挿入装置およびインプラント本体は、少なくとも１つ、２つ、または３つの相補的インターフェースを含む。
【０１０５】
いくつかの実施形態において、インターフェースおよび相補的インターフェースは、互いに相補性機能を発揮する要素または構造物である。
いくつかの実施形態において、インターフェースは、少なくとも１つの外部シャフト先端部または少なくとも１つのサイドスロットとの等価構造を含む。
いくつかの場合において、インターフェースは、カム形状、または、カム形状がその上を摺動可能な２つの異なる表面との等価構造を含む。
ある実施形態において、２つの異なる表面部は所定距離を移動させられる。
ある実施形態において、所定距離は、内部シャフト先端部が外部シャフトに対し一方向に移動可能な最大の距離である。
【０１０６】
いくつかの実施形態において、相補的インターフェースは、少なくとも１つの外部シャフト先端部または少なくとも１つのサイドスロットとの等価構造である。
いくつかの場合において、相補的インターフェースは、カム形状、またはカム形状がその上を摺動可能な２つの異なる表面部との等価構造である。
ある場合において、２つの異なる表面部は所定距離を移動させられる。
ある実施形態において、所定距離は、内部シャフトがインプラント本体を適所に固定するために回転されるときに、内部シャフト先端部が外部シャフトに対し一方向に移動可能な最大の距離である。  
【０１０７】
いくつかの実施形態において、インターフェースは少なくとも１つの先端部を含む。
いくつかの実施形態において、インターフェースは、先端部に合致するための少なくとも１つのスロットを含む。
いくつかの実施形態において、インターフェースは少なくともカム形状を含む。
いくつかの実施形態において、インターフェースは、その上をカム形状が摺動可能な２つの異なる表面部を含む。
いくつかの実施形態において、所定距離は、内部シャフト先端部が、外部シャフトに対し一方向に移動可能な最大の距離である。
【０１０８】
いくつかの実施形態において、相補的インターフェースは少なくとも１つの先端部である。
いくつかの実施形態において、相補的インターフェースは、先端部に合致するための少なくとも１つのスロットである。
いくつかの実施形態において、相補的インターフェースは少なくともカム形状である。
いくつかの実施形態において、相補的インターフェースは、その上をカム形状が摺動可能な２つの異なる表面部である。
ある実施形態において、２つの異なる表面部は所定距離を移動させられる。
いくつかの実施形態において、所定距離は、内部シャフト先端部が、外部シャフトに対し一方向に移動可能な最大の距離である。
【０１０９】
いくつかの実施形態において、第１または第２のインターフェースはカム形状を含む。
いくつかの場合において、第１または第２のインターフェースは、その上をカム形状が摺動可能な２つの異なる表面部を含む。
いくつかの場合において、第１または第２のインターフェースは少なくとも２つの先端部を含む。
いくつかの実施形態において、第１または第２のインターフェースは、少なくとも２つの先端部を個別的に合致させるための少なくとも２つのスロットを含む。
【０１１０】
いくつかの実施形態において、第１または第２の相補的インターフェースはカム形状を含む。
いくつかの実施形態において、第１または第２の相補的インターフェースは、その上をカム形状が摺動可能な２つの異なる表面部を含む。
いくつかの実施形態において、第１または第２の相補的インターフェースは少なくとも２つの先端部を含む。
いくつかの実施形態において、第１または第２の相補的インターフェースは、少なくとも２つの先端部を個別的に合致させるための少なくとも２つのスロットを含む。
【０１１１】
ある実施形態において、第１のインターフェースはカム形状を含む。
いくつかの実施形態において、カム形状は内部シャフトのノブに取り付けられている。
他の実施形態において、カム形状は外部シャフトに取り付けられている。
いくつかの実施形態において、第１の相補的インターフェースは、その上をカム形状が摺動可能な傾斜形状によって接続された２つの異なる表面部を含む。
いくつかの実施形態において、２つの異なる表面部は外部シャフトに位置する。
いくつかの実施形態において、２つの異なる表面部はノブに位置する。
いくつかの実施形態において、第２のインターフェースは少なくとも２つの空間的に分離しているスロットを含む。
いくつかの実施形態において、少なくとも２つの空間的に分離しているスロットはインプラント本体内に位置する。
他の実施形態において、少なくとも２つの空間的に分離しているスロットは外部シャフト内に位置する。
いくつかの実施形態において、第２の相補的インターフェースは、少なくとも２つの空間的に分離しているスロットに合致する少なくとも２つの空間的に分離している先端部を含む。
いくつかの実施形態において、少なくとも２つの空間的に分離している先端部は、外部シャフト上に位置する。
いくつかの実施形態において、少なくとも２つの空間的に分離している先端部は、インプラント本体上に位置する。
【０１１２】
いくつかの実施形態において、第１のインターフェースは、カム形状、または、カム形状がその上を摺動可能な２つの異なる表面部である。
いくつかの実施形態において、第１の相補的インターフェースは、カム形状、またはカム形状がその上を摺動可能な２つの異なる表面部である。
いくつかの実施形態において、第２のインターフェースは、スロット、またはスロットに合致する先端部である。
いくつかの実施形態において、第２の相補的インターフェースは、スロット、またはスロットに合致する先端部である。
いくつかの実施形態において、第２のインターフェースは、サイドスロット、またはサイドスロットに合致する外部シャフト先端部である。
いくつかの実施形態において、第２の相補的インターフェースは、サイドスロット、またはサイドスロットに合致する外部シャフト先端部である。
【０１１３】
いくつかの実施形態において、第１のインターフェース、第２のインターフェース、第１の相補的インターフェースおよび第２の相補的インターフェースはそれぞれ、次のリストから選択される：
カム形状、カム形状がその上を摺動する２つの異なる表面部、スロット、およびスロットに合致する先端部。
【０１１４】
いくつかの実施形態において、第３のインターフェースは隆起である。
いくつかの実施形態において、第３の相補形インターフェースは隆起である。
いくつかの実施形態において、第３のインターフェースはノブに位置する。
いくつかの実施形態において、第３のインターフェースは外部シャフトの内表面に位置する。
他の実施形態において、第３の相補形インターフェースはノブに位置する。
いくつかの実施形態において、第３の相補形インターフェースは外部シャフトの内表面に位置する。
【０１１５】
いくつかの実施形態において、第３のインターフェースは、第１の位置で隆起を解放し、第２の位置で隆起を固定する。
いくつかの実施形態において、第３のインターフェースは、外面部から内表面まで凹ませて形成される窓部である。
いくつかの実施形態において、第３のインターフェースはさらに、内部シャフトが外部シャフトの基部から引き抜かれることを可能にするように構成された第１の位置の溝を含む。
いくつかの実施形態において、溝は外部シャフトの基部から始まり、外部シャフトの窓部に接続するまで、外部シャフトに沿って延びる。
【０１１６】
いくつかの実施形態において、隆起は、それが第２の位置で固定されるときに、外部シャフト内へ挿入される。
いくつかの実施形態において、隆起は、少なくとも固定位置で、外部シャフトの窓部を通じて目視可能である。
他の実施形態において、隆起は、固定位置および解放位置で、外部シャフトの窓部を通じて目視可能である。
隆起は、外部シャフトの基部から挿入装置の挿入端部へ向かって、少なくとも５ｍｍで、５ｃｍ以下離れている。
【０１１７】
いくつかの実施形態において、外部シャフトと内部シャフトは、相互に固定及び解放するために、インターフェースおよび相補的インターフェースを通じ、相互作用する。
いくつかの場合において、インターフェースまたは相補的インターフェースは、外部シャフトと内部シャフトの間の直線移動を生成するようにアクセスするようカムが構成される傾斜部、または２つの移動させられた表面部を含む。
いくつかの場合において、２つの移動させられた表面部は、傾斜部によって接続される。
いくつかの場合において、２つの移動させられた表面部は、段部によって接続される。
いくつかの実施形態において、２つの移動させられた表面部は、曲線、溝、ノッチ、くぼみまたは隆起によって接続される。
いくつかの実施形態において、２つの移動させられた表面部は、少なくとも１つの階段によって接続される。
いくつかの実施形態において、２つの移動させられた表面部の間の切り替えは、次の１つ以上を含む動作要素の補助によって構成可能である：歯車、歯車セット、ラッチ、ボルト、ねじ継手、クリップ、磁気素子、クランプ、フック、ばね、またはスイッチ。
【０１１８】
いくつかの実施形態において、内部シャフトおよびインプラント本体は、一方を他方に対し固定または解放するためのインターフェースおよび相補的インターフェースを通じ、相互作用する。
いくつかの実施形態において、インターフェースまたは相補的インターフェースは、相互に一方を他方に対し固定または解放するために、スロットを通って合致して回転することが可能なスロットおよび端部を含む。
いくつかの実施形態において、インターフェースまたは相補的インターフェースは、ねじが形成された接合要素を含む。
いくつかの実施形態において、インターフェースまたは相補的インターフェースは、ラッチと、ラッチと係合可能な要素とを含む。
いくつかの実施形態において、インターフェースまたは相補的インターフェースは、ねじが形成された接合要素を含む。
いくつかの実施形態において、インターフェースまたは相補的インターフェースは、クリップと、クリップが係止可能な要素を含む。
いくつかの実施形態において、インターフェースまたは相補的インターフェースは、歯車要素を含む。
いくつかの実施形態において、インターフェースまたは相補的インターフェースは、磁気要素を含む。
【０１１９】
図９を参照すると、特定の実施形態において、外部シャフト２０は、ノブの隆起が摺動可能な外部シャフトの内表面の溝２１１を含む。
外部シャフトは同様に、外部シャフトの外面部から内表面まで凹ませて形成された窓部２１０を有する。
窓部の端部は、隆起が溝２１１に沿って窓部２１０内へ摺動可能なように、溝に接続する。
第１の位置では、隆起は、溝２１１と、溝２１１に接続する窓部２１０の端部とに位置合わせされる。
内部シャフトが第２の位置へ約９０度を回転するときに、隆起は窓部２１０の反対側の端部に位置する。
いくつかの実施形態において、窓部２１０と、窓部２１０に対し固定または解放されることが可能な隆起とは、機能的に等価なインターフェースおよび相補的インターフェースによって代替可能である。
【０１２０】
図１０を参照すると、特定の実施形態において、外部シャフト２０は、外部シャフトの外面部から内表面まで凹ませて形成された窓部２１０を含む。
内部シャフト３０のノブ上の隆起３７は、内部シャフトが約９０度を回転するときに、第１の位置（左側面）の窓部の端部から、第２の位置（右側面）の窓部の反対側端部まで摺動する。
外部シャフトは同様に、内部シャフトをその内部に保持するための中空キャビティの成型を容易にするための窓部２１０を含む。
いくつかの実施形態において、窓部２１０と、内部シャフトを外部シャフトに固定または解放するために窓部と相互作用する隆起３７とは、それらと機能的に等価なインターフェースおよび相補的インターフェースによって代替可能である。
いくつかの実施形態において、インターフェースおよび相補的インターフェースはねじ継手を含む。
いくつかの実施形態において、インターフェースおよび相補的インターフェースはばねを含む。
いくつかの実施形態において、インターフェースおよび相補的インターフェースはクランプを含む。
いくつかの実施形態において、インターフェースおよび相補的インターフェースは、ラッチ要素およびラッチが係合可能な要素を含む。
いくつかの実施形態において、インターフェースおよび相補的インターフェースは磁気要素を含む。
いくつかの実施形態において、インターフェースおよび相補的インターフェースは変形可能な要素を含む。
いくつかの実施形態において、隆起３７は使用可能で操作可能な要素であり、例えば、隆起３７は、窓部２１０から解放するためにそれが押し込まれ得るようなばね力によって、支持される。
いくつかの実施形態において、隆起３７は、それが外部シャフトに対し固定または解放するために変形するようにフレキシブルな要素である。
いくつかの実施形態において、内部シャフトは射出成型可能である。
【０１２１】
隆起：
いくつかの実施形態において、ノブは少なくとも１つの隆起を含む。
いくつかの場合において、第２の隆起は、内部シャフトの外部シャフトからの解放を示すように構成される。
いくつかの場合において、第２の隆起は、内部シャフトまたはノブが第１の位置にあるときに、溝の一部内屁へ案内される。
第１の隆起は、窓部および溝の端部に位置し、内部シャフトを引き抜くために摺動可能である。
第１および第２の隆起は、ノブの回転平面に垂直な方向に位置合わせされる。
第１および第２の隆起は、少なくとも５ｍｍかつ５ｃｍ以下で、空間的にオフセットされる。
【０１２２】
いくつかの実施形態において、窓部の幅は、第１の隆起が第１の位置で１つの窓の端部に位置し、かつ第２の位置で第２の窓部の端部が位置することを可能にするように構成される。
【０１２３】
いくつかの実施形態において、第１の位置は、内部シャフトを外部シャフトに対し解放する位置である。
第１の位置は、インプラント本体を内部シャフトに対し固定する位置であり、一方、第２の位置は、インプラント本体を内部シャフトに対し解放する位置である。
第２の位置は、内部シャフトを外部シャフトに対し固定する位置である。
【０１２４】
いくつかの実施形態において、内部シャフト本体は少なくとも１つの隆起を含む。
いくつかの実施形態において、外部シャフト本体は少なくともインターフェース、すなわち隆起と相互作用するための突出部、を含む。
いくつかの実施形態において、隆起とインターフェースとは、外部シャフト内への挿入後、内部シャフトが誤って脱離するのを防ぐために相互作用する。
【０１２５】
図１１を参照すると、特定の実施形態において、内部シャフト３０は、外部シャフト２０へ適切に挿入される。
いくつかの実施形態において、内部シャフトは、外部シャフト内での内部シャフトの同心回転を保証するための、少なくとも２つの対称的に配置される隆起３３を含む。
いくつかの実施形態において、内部シャフト先端部３１は外部シャフト２０によって囲まれない。
挿入ストッパ２１は、外部シャフト２０の挿入端部に接近して配置される。
内部シャフト本体は、インターフェース２１２、すなわち、外部シャフト２０内に内部シャフト本体３０を固定するための傾斜された突出部と、相互作用する隆起３４を含む。
【０１２６】
位置：
いくつかの実施形態において、インプラント挿入装置は少なくとも第１の位置および第２の位置に構成可能である。
いくつかの実施形態において、インプラント挿入装置は、少なくとも２つの異なる位置、すなわち解放位置と固定位置とに構成可能である。
いくつかの実施形態において、第１の位置では、内部シャフトは外部シャフトに対し解放される。
いくつかの実施形態において、インプラント本体が適切に装填されるときに、インプラント本体は第１の位置で内部シャフトに固定される。
さらにインプラント本体は、インターフェースおよび相補的インターフェースを通じて、外部シャフトにも取り付けられる。
いくつかの実施形態において、インプラントは適切に固定され、挿入装置はインプラント挿入のために準備される。
いくつかの実施形態において、ノブの少なくとも１つの隆起が、外部シャフト上の対応する窓部の端部に位置し、
隆起は、内部シャフトを外部シャフトから解放するように、外部シャフトの内表面上の溝を摺動するために準備される。
【０１２７】
いくつかの実施形態において、第２の位置で、内部シャフトが外部シャフトに固定される。
いくつかの実施形態において、インプラント本体は、第２の位置で内部シャフトに対し解放され、従って、挿入装置から解放可能である。
いくつかの実施形態において、インプラント本体はさらに、インターフェースおよび相補的インターフェースを通じて、外部シャフトに取り付けられる。
他の実施形態において、インプラント本体は、インターフェースおよび相補的インターフェースを通じて、外部シャフトからわずかに離れる。
いくつかの実施形態において、インプラント本体は、第２の位置で、インプラント挿入装置から解放されるための準備ができている。
いくつかの実施形態において、ノブの少なくとも１つの隆起は、外部シャフト上の対応する窓部の反対側端部に位置し、隆起は、内部シャフトを外部シャフトに固定する。
いくつかの実施形態において、第２の位置は、第１の位置でインプラント本体を内部シャフトへ適切に固定するために、インプラント本体をインプラント挿入装置上に装填するための装填位置である。
他の実施形態において、インプラント本体は、もし第２の位置への切り替えが、その後の適切な装填工程に入るならば、第１の位置で装填可能である。
いくつかの場合において、第１の位置において、傾斜形状が基部の２つの異なる表面部の「遠位最大」または「より高所」に位置するように内部シャフトが構成されるとき、インプラント本体は、挿入装置に強固に保持されるか又は固定される。
いくつかの場合において、第２の位置において、カムが、２つの異なる表面部の「近位最大」または「より低所」に位置するように内部シャフトが構成されるとき、インプラント本体は、インプラント挿入装置に対して解放されるか又は強固に保持されない。
【０１２８】
外部シャフト先端部：
いくつかの実施形態において、外部シャフトは、外部シャフトの挿入端部の外部シャフト開口部に近接する２つの外部シャフト先端部を含む。
いくつかの実施形態において、インプラント本体が外部シャフトに固定されるときに、２つの外部シャフト先端部の各々は、インプラント本体の２つのサイドスロットの１つのサイドスロットを保持する。
【０１２９】
いくつかの実施形態において、外部シャフト先端部は、外部シャフト開口部に対称的に隣接する。
いくつかの実施形態において、２つの外部シャフト先端部は半柱状形状の各々である。
いくつかの実施形態において、２つの外部シャフト先端部各々の木口面は、半楕円である。
いくつかの実施形態において、２つの外部シャフト先端部各々の木口面は、長方形である。
いくつかの実施形態において、２つの外部シャフト先端部各々の木口面は、半長方形である。
いくつかの実施形態において、２つの外部シャフト先端部各々の木口面は、三角形である。
いくつかの実施形態において、２つの外部シャフト先端部各々の木口面は、扇形である。
いくつかの実施形態において、２つの外部シャフト先端部各々の木口面は、円である。
いくつかの実施形態において、２つの外部シャフト先端部各々の木口面は、台形である。
いくつかの実施形態において、２つの外部シャフト先端部各々の木口面は、五角形または菱形である。
いくつかの実施形態において、２つの外部シャフト先端部各々の木口面は、平行四辺形である。
いくつかの実施形態において、外部シャフト先端部各々の木口面は、任意の２次元的形状である。
【０１３０】
いくつかの実施形態において、外部シャフト先端部は、外部シャフトの外面部上に位置する。
いくつかの実施形態において、外部シャフト先端部は、外部シャフトの外面部上で取り付けられている。
いくつかの実施形態において、外部シャフト先端部は、中間軸の外面部から伸びる突出部である。
いくつかの実施形態において、外部シャフト先端部は、中間軸の外面部からインプラント挿入方向へ伸びる突出部である。
いくつかの実施形態において、外部シャフト先端部は、外部シャフトの挿入端部から外部シャフトの最長の軸芯に沿って伸びる。
【０１３１】
外部シャフト開口部：
いくつかの実施形態において、外部シャフトは、外部シャフトの挿入から外部シャフトの行使までの間、内部シャフト先端部の通過を可能にする開口部を含む。
いくつかの実施形態において、外部シャフト開口部は、内部シャフト先端部の木口面と実質的に同一の木口面を有する。
いくつかの実施形態において、外部シャフト開口部は、内部シャフト先端部の木口面の最長の軸芯と実質的に同一の最長の軸芯を有する。
いくつかの実施形態において、軸芯は、２次元的形状の閉じた輪郭線上の２点をつなぐ直線である。
いくつかの実施形態において、最長の軸芯は、２次元的形状の閉じた輪郭線上の２点を接続する最長の直線である。
【０１３２】
いくつかの実施形態において、外部シャフト開口部は柱状である。
いくつかの実施形態において、外部シャフト開口部の木口面は楕円である。
いくつかの実施形態において、外部シャフト開口部の木口面は長方形である。
いくつかの実施形態において、外部シャフト開口部の木口面は菱形である。
いくつかの実施形態において、外部シャフト開口部の木口面は三角形である。
いくつかの実施形態において、外部シャフト開口部の木口面は平行四辺形である。
いくつかの実施形態において、成型工程に好ましいのは、外部シャフト開口部は円形である。
【０１３３】
外部シャフト本体：
いくつかの実施形態において、外部シャフト本体は、その内部に内部シャフト本体を収容するように、中空である。
いくつかの実施形態において、外部シャフト本体は直線的な棒状形状を有する。
他の実施形態において、外部シャフト本体は湾曲している。
【０１３４】
いくつかの実施形態において、外部シャフト本体は複数の窓部を含む。
いくつかの実施形態において、窓部は、外面部から外部シャフト本体内へ凹ませて形成され、中空キャビティとその内部において接続する。
いくつかの実施形態において、窓部は、外部シャフト内の中空キャビティの射出成形を容易にするように構成される。
いくつかの実施形態において、外面部の２つの対向側部からの窓部は、交互配置された突出部を含む型部分によって形成され、それによって、外部シャフトの内部キャビティが、交互配置された突出部中の連続的な点の接触によって形成される。
いくつかの場合において、窓部は、成型工程において挿入された突出部の使用の人工的な残余である。
いくつかの実施形態において、窓部は、重なる領域が外部シャフト本体の長さと比べて比較的小さいように、交互配置される。
そのような小さい重なり領域は、挿入の間の外部シャフトの外力および圧力の支持および耐久を容易にする。
ある実施形態において、外部シャフトの２つの対向側部からの２つの隣接する窓部の重なり領域は、外部シャフトの２つの対向側部間の貫通孔を形成する。
したがって、貫通孔は、外部シャフトの外力および圧力の支持及び耐久を低減する。
いくつかの実施形態において、湾曲した外部シャフトは、その内部に可撓性を有する内部シャフトを収容する。
いくつかの実施形態において、湾曲した外部シャフトは、被処置者の解剖学的または医学的条件によって決定される狭い角度でのインプラント挿入を容易にするように構成される。
【０１３５】
いくつかの場合において、外部シャフト内に内部キャビティを作成するための挿入用突出部の使用は、成型後に除去する必要がある射出鋳型部分を用いて達成するのが困難である、曲っている又は湾曲する外部シャフトのケーシングを可能にする。
【０１３６】
いくつかの実施形態において、外部シャフト本体は外面部を有する。
いくつかの実施形態において、窓部は外部シャフトの外面部まで延長されない。
いくつかの実施形態において、外面部は閉じた輪郭線を有する。
いくつかの実施形態において、各窓部は、外部シャフトの基部から先端部への方向に沿う幅を有する。
いくつかの実施形態において、各窓部は、その長さより大きな幅を有し、長さは、基部から先端部への方向に対し垂直な方向の長さである。
いくつかの実施形態において、基部から先端部への方向は曲線である。
他の実施形態において、基部から先端部への方向は、基部から先端部まで、外部シャフト本体の湾曲した中心線に合致するスプライン曲線である。
【０１３７】
図１２を参照すると、いくつかの実施形態において、外部シャフト本体は湾曲している。
外部シャフト１２２０は、ノブの隆起に対し固定し解放する窓部２１０を含む。
外部シャフトは湾曲した外面部２１４を有する。
外部シャフトは、内部シャフトをその内部において合致させるための連続的な中空キャビティを生成するように、重なり合う外面部の対向側部から交互配置された窓部２１３を有する。
【０１３８】
図１３を参照すると、特定の実施形態において、外部シャフト本体の内表面を作成するための型が示される。
いくつかの実施形態において、外部シャフト本体２０は、外面部の２つの対向側部から交互配置された型によって生成される内表面を有する。
挿入される型は、実質的に柱状の内部シャフト本体をその内部に保持するための内部空間を作成するための、実質的に柱状２１８である突出容積を含む。
交互配置される型は同様に、外部シャフト２０の外面部から凹ませて形成された窓部２１３を作成するための柱状容積２１８に接続する付加的容積２１７を含む。
凹ませて形成された窓部２１３を生成する型特徴の挿入性質が挿入を行って、内部シャフト本体がその内部において合致することを可能にするための連続的な内部空間を生成する。
【０１３９】
固定および解放機構：
いくつかの実施形態において、２つのサイドスロットの各々が２つの外部シャフト先端部のうちの１つと合致するときに、インプラント本体は外部シャフトに適切に固定される。
いくつかの実施形態において、インプラント本体が外部シャフトに適切に固定されるときの、２つのサイドスロット各々の２つの外部シャフト先端部のうちの１つへ合致は、インプラント本体をインプラント挿入装置に固定されるように保持するように構成される。
いくつかの実施形態において、インプラント本体は、外部シャフトの２つのサイドスロットの各々が２つの外部シャフト先端部のうちの１つに合致するときに、インプラント挿入装置に適切に固定され、
内部シャフトは、インプラント本体に固定される。
いくつかの実施形態において、インプラント本体は、内部シャフトに最初に固定され、次に、外部シャフトに固定される。
他の実施形態において、インプラント本体は、その内部に内部シャフトに適切に挿入された状態で、外部シャフトに最初に固定され、次いで、内部シャフトに固定される。
いくつかの実施形態において、インプラント本体は、内部シャフトが外部シャフト内でへ切に挿入されるときに、内部シャフトおよび外部シャフトに実質的に同時に固定される。
いくつかの実施形態において、インプラントは、ノブの回転によって挿入装置に適切に固定される。
いくつかの実施形態において、ノブの回転は、内部シャフト先端部とインプラント本体との間である程度の係合を存在するように、適時に制御されねばならない。
いくつかの実施形態において、適時に抑制された回転は、内部シャフト先端部がインプラントを外部シャフトの方へ引っ張ることが可能になる前に、移動が内部シャフトをインプラントから引き離さないように、位置決め用ノッチに対して傾斜部を位置決めするように構成される。
【０１４０】
いくつかの実施形態において、インプラント本体の外部シャフトへの適切な固定は、挿入の間の、インプラント本体に対する圧力の低減を容易にするように構成される。
いくつかの実施形態において、インプラント本体の外部シャフトへの適切な固定は、挿入の間の、インプラント挿入装置に対してインプラント本体の回転を除去するように構成される。
いくつかの実施形態において、インプラント本体の外部シャフトへの適切な固定は、インプラント本体の回転を除去するように構成される。
いくつかの実施形態において、インプラント本体の外部シャフトへの適切な固定は、挿入の間の、インプラント挿入装置からの不要なインプラントの解放を低減するように構成される。
いくつかの実施形態において、インプラント本体の外部シャフトへの適切な固定は、インプラント本体とインプラント挿入装置との間の相互作用領域を増大させる。
いくつかの実施形態において、インプラント本体上の外力がインプラント挿入装置に部分的に転送されるように、インプラント本体の外部シャフトへの適切な固定は、インプラント本体との相互作用領域を増大させる。
いくつかの実施形態において、インプラント本体の外部シャフトへの適切な固定は、インプラント本体に対する圧力を下げるように構成される。
いくつかの実施形態において、インプラント本体の外部シャフトへの適切な固定は、インプラントの破損の危険性を低減させるように構成される。
いくつかの実施形態において、インプラント本体の外部シャフトへの適切な固定は、インプラント挿入装置からの不要なインプラント離脱の危険性を低減させるように構成される。
【０１４１】
いくつかの実施形態において、インプラント本体は、２つのサイドスロットの各々が２つの外部シャフト先端部のうちの１つから分離するときに、外部シャフトから適切に解放される。
いくつかの実施形態において、インプラント本体が内部シャフト先端部から適切に解放されるときに、インプラント本体はインプラント挿入装置から適切に解放される。
いくつかの実施形態において、インプラント本体は、外部シャフトの２つのサイドスロットの各々が、あらかじめ合致させた外部シャフト先端部から分離するときに、インプラント挿入装置に対し適切に解放され、内部シャフトは、インプラント本体に対し解放される。
いくつかの実施形態において、インプラント本体は、内部シャフトから最初に解放され、次に、外部シャフトから解放される。
他の実施形態において、インプラント本体は、その内部において内部シャフトが適切に挿入された状態で、外部シャフトから最初に解放され、次いで、内部シャフトに対し解放される。
いくつかの実施形態において、内部シャフトが外部シャフト内に適切に挿入されるときに、インプラント本体は、内部シャフトおよび外部シャフトから実質的に同時に解放される。
いくつかの実施形態において、インプラントは、ノブの回転によって挿入装置に対し適切に解放される。
いくつかの実施形態において、内部シャフト先端部とインプラント本体との間にある程度の分離が存在するように、ノブの回転は適時に制御されねばならない。
いくつかの実施形態において、内部シャフト先端部がインプラント本体を解放することが可能になる前に、移動が外部シャフトをインプラントから引き離すように、適時に制御された回転は、位置決め用ノッチに対し傾斜部を位置決めするように構成される。
【０１４２】
いくつかの実施形態において、インプラント本体のみが、内部シャフトが外部シャフトに固定されるときに、それが内部シャフトに最初に装填されるときに、インプラント挿入装置に対して適切に固定可能である。
いくつかの実施形態において、外部シャフトの外面部は、内部シャフトが外部シャフトに固定されるときのみ、インプラント本体の適切な固定を可能にするように形成される。
いくつかの実施形態において、インプラント本体は、内部シャフトが外部シャフトに対し固定または解放されるときに、それが内部シャフト上に最初に装填されるときに、インプラント挿入装置に適切に固定可能である。
【０１４３】
キット：
ある実施形態において、本明細書に開示されるような、少なくとも１つの挿入装置、または少なくとも１つのインプラント本体を含み、滅菌容器に密閉されたキットが、本明細書に開示される。
いくつかの実施形態において、第１のキットカバーは、少なくとも１つのインプラント挿入装置および少なくとも１つのインプラント本体を囲む密閉カバーである。
いくつかの実施形態において、第１のキットカバーは、少なくとも１つのインプラント挿入装置および少なくとも２つのインプラント本体を囲む密封カバーである。
いくつかの実施形態において、囲まれたインプラント本体は、適切に固定されるように、またはキット内の囲まれたインプラント挿入装置に対し解放されるように構成される。
いくつかの実施形態において、第１のキットカバー内に保持される内容物は無菌である。
いくつかの実施形態において、第１のキットカバーは剥離可能に密閉される。
いくつかの実施形態において、第１のキットカバーは気密であるが、剥離可能に密閉される。
いくつかの実施形態において、第２のキットカバーは、第１のキットカバーで囲まれた密封カバーである。
いくつかの実施形態において、第２のキットカバー内に保持される内容物は無菌である。
いくつかの実施形態において、第２のカバーは剥離可能に密閉される。
いくつかの実施形態において、第２のキットカバーは気密であるが、剥離可能に密閉される。
いくつかの実施形態において、第１のキットカバーの適切な開封は、第２のキットカバーの密封性に影響しない。
【０１４４】
いくつかの実施形態において、キットは、装置トレー、装置保持具、または同じもの使用を含む。
いくつかの実施形態において、装置トレーまたは保持具は、少なくとも１つの区画を有する。
いくつかの実施形態において、少なくとも１つの区画は、インプラント挿入装置、インプラントまたは両方を確実に保持するように構成される。
いくつかの実施形態において、装置トレーは、インプラント挿入装置及び／又はインプラントを破損から確実に保護するように構成される。
いくつかの実施形態において、キットは、インプラント挿入装置及び／又はインプラントを個別にまたは一緒に、固定された形態で保持するための区画を有する。
いくつかの実施形態において、キットは、少なくとも１つのインプラント本体をその内部に囲む。
いくつかの実施形態において、キットは、少なくとも１つのインプラント挿入装置をその内部において囲む。
【０１４５】
いくつかの実施形態において、装置トレーおよびキットカバーは、１回限り使用される。
いくつかの実施形態において、装置トレーおよびキットカバーは、内部の大部分のキットカバーが開かれた後、再使用されない。
いくつかの実施形態において、内部の大部分のキットカバーは、第１または第２のキットカバーである。
【０１４６】
本明細書に開示されるのは、インプラント挿入装置及び／又はインプラント本体を囲む無菌のキットであり、本明細書に開示されるような、例えば、２つの異なるキットカバーを備えるキットであり、少なくとも最も奥のキットカバーは、無菌の内容物を囲む。
これらの内容物は、少なくともインプラント挿入装置、外部シャフトと、外部シャフトに対し挿入および固定が可能な内部シャフトとを有する各インプラント挿入装置、及び／又は、少なくとも、内部シャフト及び／又は外部シャフトに対し独立して固定するための少なくとも２つのインターフェースを有するインプラント本体を含む。
あるキットは、例えば最も奥のキットカバーような、個々のインプラント本体用の個々のキットカバーを含み、各インプラントは、内部シャフト及び／又は外部シャフトを独立して固定するための少なくとも２つのインターフェースを有し、個々の無菌のインプラント本体を囲むキットは、次いでキットカバーの外側層において梱包される。
【０１４７】
解剖面：
いくつかの実施形態において、長手方向の平面は、被処置者の左右の軸線および前後の軸線によって形成される。
いくつかの実施形態において、長手方向の軸線は、被処置者の頭からつま先方向の軸線である。
いくつかの実施形態において、冠状面は、被処置者の左右方向および頭からつま先方向の軸線によって形成される平面である。
いくつかの実施形態において、矢状面は、被処置者の前後方向の軸線および頭からつま先方向の軸線によって形成される平面である。
【０１４８】
いくつかの実施形態において、左右方向の軸線は、被処置者の左から被処置者の右によって規定される解剖学的軸線である。
いくつかの実施形態において、頭からつま先方向の軸線は、被験者の頭から被験者の足によって規定される解剖学的軸線である。
いくつかの実施形態において、前後方向の軸線は、被験者の腹部から被験者の背中によって規定される解剖学的軸線である。
【０１４９】
いくつかの実施形態において、対象物の高さは、対象物が被処置者に適切に配置されるときに、頭からつま先方向の軸線に沿うものである。
いくつかの実施形態において、対象物の幅は、対象物が被処置者に適切に配置されるときに、左右方向の軸線に沿うものである。
いくつかの実施形態において、対象物の長さは、対象物が被処置者に適切に配置されるときに、前後方向の軸線に沿うものである。
【０１５０】
いくつかの実施形態において、インプラント本体は、脊髄の脊柱前湾または後湾の角度を収容するための不均一高さを有する。
いくつかの場合において、長手方向の平面は、被処置者の左右軸線および前後軸線によって実質的に形成される平面である。
【０１５１】
インプラント挿入方向：
いくつかの実施形態において、インプラントは被処置者の前方から後方に挿入される。
いくつかの実施形態において、インプラントは被処置者の後方から前方に挿入される。
いくつかの実施形態において、インプラントは被処置者の左から右に挿入される。
いくつかの実施形態において、インプラントは被処置者の右から左に挿入される。
いくつかの実施形態において、インプラントは、被処置者の手術上の角度によって決定される方向から挿入され、次いで、適切な位置まで回転される。
【０１５２】
カム形状：
いくつかの実施形態において、挿入装置は、内部シャフトの回転を、外部シャフトに対する内部シャフトの直線運動に変換するカム形状を含む。
いくつかの場合において、カム形状はノブの最上部木口面に取り付けられる。
いくつかの場合において、カム形状は、外部シャフトの最低部木口面に面する。
いくつかの場合において、カム形状は、外部シャフトの基部に面する。
いくつかの場合において、外部シャフトは、外部シャフトの最低部木口面に取り付けられた少なくとも１つのカム形状を含む。
いくつかの場合において、ノブは、外部シャフトに進入しないノブの最上部木口面に取り付けられた少なくとも１つのカム形状を含む。
いくつかの場合において、カム形状は、外部シャフトの最上部木口面に面する。
いくつかの場合において、カム形状は、ノブの頂部に直面する。
【０１５３】
いくつかの実施形態において、カム形状は少なくとも１つの段部形状を含む。
いくつかの場合において、カム形状は少なくとも１つの段部形状を含み、段部は、ノブの最上部木口面から始まり、内部シャフトの挿入端部の方へ向かって立ち上がる。
いくつかの場合において、カム形状は、上向きの傾斜形状および下向きの傾斜形状を含み、上向きおよび下向きの傾斜形状は、ノブの最上部木口面に対し実質的に垂直である。
いくつかの場合において、カム形状は上向きの傾斜形状および下向きの傾斜機構を含み、上向きの傾斜部および下向きの傾斜部の各平面は、ノブの最上部木口面を含む鋭角を有する。
いくつかの場合において、上向きの傾斜部は、内部シャフトの挿入端部へ向かう最低部木口面に近接する木口面から伸びる。
いくつかの場合において、下向きの傾斜部は、内部シャフトの最低部木口面へ向かう最上部木口面に近接する木口面から伸びる。
いくつかの場合において、カム形状は、ノブの最上部木口面から内部シャフトの挿入端部へ向かって伸びる、均一高さを備える段部形状を有する。
いくつかの場合において、カム形状は、ノブの最上部木口面から内部シャフトの挿入端部へ向かって伸びる、均一深さ備える凹部形状を有する。
いくつかの場合において、カム形状は、上向きの傾斜部を備える平面を含む３次元形状である。
いくつかの場合において、カム形状は、下向きの傾斜部を備える平面を含む３次元形状である。
いくつかの場合において、カム形状は、上向き及び下向きの傾斜部を備える平面を含む３次元形状である。
いくつかの場合において、カム形状は柱状である。
いくつかの場合において、カム形状は扇形の木口面を備えた柱状である。
いくつかの場合において、カム形状は、扇形の一部の木口面を備えた柱状である。
いくつかの場合において、カム形状は三角形の木口面を備えた柱状である。
いくつかの場合において、カム形状は菱形の木口面を備えた柱状である。
いくつかの場合において、カム形状は台形の木口面を備えた柱状である。
いくつかの場合において、カム形状は五角形の木口面を備えた柱状である。
いくつかの場合において、カム形状は平行四辺形の木口面を備えた柱状である。
いくつかの場合において、カム形状は、外部シャフトの最低部木口面に取り付けられる、任意の３次元形状である。
他の場合において、カム形状は、ノブの最上部木口面に取り付けられる、任意の３次元形状である。
【０１５４】
いくつかの実施形態において、外部シャフトは、カム形状に面する外部シャフトの底部に位置する少なくとも２つの異なる表面部を含む。
いくつかの場合において、ノブは、カム形状に面する外部シャフトに進入しないノブの最上部木口面に位置する少なくとも２つの異なる表面部を含む。
いくつかの場合において、２つの異なる表面部は、カム形状がその上を摺動することを可能にする。
いくつかの場合において、２つの異なる表面部のうちの１つは、第１の位置、または内部シャフトの外部シャフトに対する解放位置を含む。
いくつかの場合において、２つの異なる表面部の他方は、第２の位置、または内部シャフトの外部シャフトに対する固定位置を含む。
いくつかの場合において、第１の位置、または内部シャフトの外部シャフトに対する解放位置を含む２つの異なる表面部のうちの１つは、挿入装置の基部に近接する。
いくつかの場合において、第２の位置、または内部シャフトの外部シャフトに対する固定位置を含む２つの異なる表面部の他方は、挿入装置の先端部に近接する。
２つの異なる表面部のオフセットは、内部シャフト先端部が外部シャフトに対して移動する直線変位を決定する。
【０１５５】
いくつかの実施形態において、２つの異なる表面部は、傾斜形状によって接続される。
いくつかの場合において、２つの異なる表面部のうちの１つは、ノブの基部に近接する傾斜部の端部に接続する。
さらにある場合には、２つの異なる表面部のうちの他方は、装置の挿入端部に近接する傾斜部の端部に接続する。
【０１５６】
いくつかの実施形態において、傾斜部の高さは、外部シャフトに対する内部シャフト先端部の直線変位を決定する。
他の場合において、２つの異なる表面部からの傾斜部の長さおよび鋭角の傾斜角度は、外部シャフトに対する内部シャフト先端部の直線変位を決定する。
いくつかの場合において、内部シャフトの変位は、挿入装置の基部から先端部へ向かう方向に沿う。
【０１５７】
図９を参照すると、いくつかの実施形態において、外部シャフトの基部は、ノブの頂部に直面する外部シャフトの底部に位置する少なくとも２つの異なる表面部を含む。
いくつかの場合において、外部シャフト２０は、ノブのカム形状がその上を摺動する、第１の表面部２２または２６、および、第２の表面部２４または２８を含む。
傾斜部要素２３または２７は、第１および第２の表面部と接続する。
外部シャフトは同様に、第１の位置から第２の位置への、または第２の位置から第１の位置へのカム形状の摺動を停止させるストッパ２５または２９を有する。
外部シャフトは同様に、ノブの隆起がそれに沿って摺動可能な外部シャフトの内表面に位置する溝２１１を含む。
外部シャフトは同様に、外部シャフトの外面部から内表面へ凹ませて形成された窓部２１０を有する。
窓部の端部は、隆起が溝２１１に沿って窓部２１０内へ摺動可能なように、溝に接続する。
第１の位置では、隆起は、溝２１１、および溝２１１に接続する窓部２１０の端部と位置合わせされる。
傾斜部は、表面部２２および２６の頂部に位置する。
内部シャフトが第２の位置へ約９０度を回転するときに、隆起は、窓部２１０の反対側端部に位置する。
隆起形状および窓部２１０は、内部シャフトがインプラント本体に対し解放される間に、内部シャフトが外部シャフトから離脱するのを防ぐ。
内部シャフトカムは、第２の位置で、表面部２８および２４の頂部に位置する。
【０１５８】
図１４を参照すると、特定の実施形態において、外部シャフトの基部は、ノブの頂部に面する外部シャフトの底部に位置する少なくとも２つの異なる表面部を含む。
いくつかの実施形態において、外部シャフト２０（右側面）は、ノブのカム形状がその上を摺動する、第１の表面部２２および第２の表面部２４を含む。
傾斜部要素２３は、第１の表面部２２および第２の表面部２４と接続する。
外部シャフトは同様に、第１の位置から第２の位置への、または第２の位置から第１の位置へのカム形状の摺動を停止させるストッパ２５を有する。
いくつかの場合において、内部シャフト３０のノブは、第１および第２の表面部の上を摺動するカム形状３５、および、内部シャフトの回転を内部シャフト先端部の直線変位に転換するための外部シャフトの傾斜形状を含む。
内部シャフト本体３２はノブ３６の頂部に接続される。
溝２１９は、内部シャフトの外部シャフトに対する固定または解放において、触覚フィードバックを提供するように構成される。
溝２１９は、いくつかの実施形態において任意である。
【０１５９】
図１５は、典型的な実施形態における内部シャフト本体３０を示す。
内部シャフト本体は、内部シャフト３０の基部のノブ３６を含み、内部シャフト本体３２は、ノブ３６の頂部に接続する。
ノブ３６は、内部シャフトを外部シャフトに対し固定解放するための、外部シャフト上の相補的窓部と相互作用するための隆起３７を含む。
ノブは同様に、内部シャフトが外部シャフトのキャビティ内で回転する間に、外部シャフトの基部の上を摺動する少なくとも１個のカム３５を含む。
随意に、ノブは、内部シャフトの外部シャフトに対する固定または解放において触覚フィードバックを提供するための隆起３８を含む。
隆起３８は、外部シャフトの内表面上の溝と相互に作用し、それによって、内部シャフトの外部シャフトに対する固定または解放において、ユーザに対しわずかな抵抗と嵌り合いの触覚とを提供する。
いくつかの場合において、隆起３７は、外部シャフト上の窓部から解放するために、それを押し込むことができるように、ばね力によって支持される。
いくつかの場合において、隆起３７は、それが外部シャフトに対し固定または解放するために変形するような、可撓性要素である。
いくつかの場合において、内部シャフトは射出成型可能である。
【０１６０】
図１６は、インプラント本体を内部シャフトに固定する際のカム形状の典型的な実施形態を示す。
カム形状は、外部シャフト２０の基部に面するノブの頂面上の内部シャフト３０のノブ上に配置される。
ノブ３０の回転は、内部シャフト先端部３１の回転を直線移動に転換するように、カム形状が、外部シャフトの傾斜形状上で摺動することを可能にする。
第２の位置（平面視）において、内部シャフト先端部３１はさらに外部シャフト２０から離れて伸び、インプラントは内部シャフト先端部３１に対し解放される。
第１の位置（底面視）において、内部シャフト先端部３１は、９０度回転し、同様に外部シャフト２０および挿入ストッパ２１に接近するように引っ張られ、したがって、インプラント本体が、外部シャフト２０と内部シャフト先端部３１との間に固定される。
【０１６１】
検知可能タグ：
いくつかの実施形態において、検知可能タグは、１つ以上の医療用の画像装置または検波装置で検知可能な化合物または組成物である。
医療用画像装置または検知装置の限定的ではない実施例は、次のものから選択される１つ以上である：
ＭＲＩ、ＭＲＩ−ＰＥＴ、ＣＴ、Ｘ線、超音波、ＯＣＴ、螢光、生物発光、ＰＥＴ、ＳＰＥＣＴ、ｍｉｃｒｏＰＥＴ、およびｍｉｃｒｏＳＰＥＣＴ。
いくつかの場合において、器具に対し放射線不透明度を提供するために、硫酸バリウムのような放射線不透過性材料が、射出成形工程の前に樹脂に添加される。
硫酸バリウム、または等価物の１％から４０％の範囲の濃度（重量／重量）が使用されてもよい。
【０１６２】
方法：
例えば、被処置者の椎間腔への移植組織の送達のための、本明細書で開示したインプラント挿入装置及び／又はインプラント本体の個々の構成要素または全体の使用に関連する方法が、同様に本明細書に開示される。
いくつかの方法は、インプラント本体をインプラント挿入装置へ固定する方法に関連し、例えば、
内部シャフトを回転させることによって、内部シャフトの基部の少なくとも１つのカムを、第１の位置から、インプラント本体を引っ張るのに十分な距離だけ移動した第２の位置まで動かし、これによって挿入装置の外面部に対しそれを適所に固定する。
同時に、内部シャフトを回転させることによって、内部シャフト先端部がインプラント本体のチャンバ内で回転し、それによって、インプラント本体を内部シャフトに第２の位置で固定する。
ある方法は反対に、インプラント本体が適切に送達された後の、インプラント本体の挿入装置からの解放に関し、例えば内部シャフトを逆回転させることによって、インプラント本体が、内部シャフトに対し解放され、挿入装置から容易に取外し可能になる。
【０１６３】
「約」について：
いくつかの実施形態において、「約」は、中心数に対し−１０％から１０％までの範囲を示す。
例えば、「約１００」は、少なくとも９０から１１０以下までの範囲を意味する。
【実施例】
【０１６４】
以下に例示する実施例は、本明細書に記載した装置および方法の実施形態の代表例であり、どのようにも限定する意図はない。
【０１６５】
実施例１
本明細書に開示されるような無菌パックされた１回使用限りのインプラント送達システムが、被処置者の椎間腔にインプラントおよび移植組織を送達するために使用される。
インプラント送達システムは、インプラント挿入装置およびインプラント本体を含む。
これらのインプラント挿入装置は射出成形される。
装置は１回使用後、に廃棄される。
この医療処置は、射出成型可能な１回使用の装置を使用して、脊椎インプラントを必要とする１００人の被処置者に、複数の病院で、反復実施される。
各処置は、１回使用後、廃棄される、新品の、単一の無菌パックされた射出成型可能な装置を用いて実行される。
機械加工され、再使用可能なインプラント送達装置が、被処置者の椎間腔へのインプラントを挿入するために使用される。
再使用可能な装置は、使用の間にその場で及び／又はその場以外で、洗浄され滅菌される。
医療処置は、再使用可能な装置を使用して、１００人の被処置者に対し、病院で反復実施される。
処置後感染が、２００人の被処置者すべてにおいてモニタされる。
１回使用の装置による被処置者に比べて、再使用可能な装置によって処置された被処置者において、実質的により多くの器具関連感染が発見される。
【０１６６】
実施例２
本明細書に開示されるような無菌パックされた１回限り使用のインプラント送達システムが、被処置者の椎間腔にインプラントおよび組織を送達するために使用される。
インプラント送達システムは、インプラント挿入装置およびインプラント本体を含む。
これらインプラント挿入装置は、射出成形され、１回使用後、廃棄される。
この医療処置は、射出成型可能な１回使用の装置を使用して、脊椎インプラントを必要とする８０人の被処置者について、複数の病院で反復実施される。
各処置は、１回使用後に廃棄される、新品の、単一の無菌パックされた射出成型可能な装置を用いて実施される。
比較として、機械加工された、再使用可能なインプラント送達装置が、被処置者の椎間腔へインプラントを挿入するために使用される。
再使用可能な装置は、使用の間に、洗浄され滅菌される。
医療処置は、再使用可能な装置を使用して、８０人の被処置者について病院で反復実施される。
処置後感染が、１６０人の被処置者すべてにおいてモニタされる。
１回使用の射出成型可能な装置と比較したとき、再使用可能な装置を用いて、１回使用当たりの著しくより高いコストが認められる。
再使用可能な装置のコストは、洗浄、滅菌、  現場外の専用洗浄設備への輸送、  洗浄後のパッキング、  洗浄後の病院への返送のコストおよび、器具関連感染に対する追加的処理コストを含む。
【０１６７】
実施例３
本明細書に開示されるような無菌パックされた１回限り使用のインプラント送達システムが、被処置者の脊椎骨間の腰部の空間にインプラントおよび組織を送達するために使用される。
インプラント送達システムはインプラント挿入装置およびインプラント本体を含む。
これらのインプラント挿入装置は射出成形される。
装置は１回使用後、廃棄される。
この医療処置は、射出成型可能である１回使用の装置を使用して、脊椎インプラントを必要とする８０人の被処置者について、複数の病院で反復示実施される。
各処置は、１回使用後に廃棄される、新品の、単一の無菌パックされた射出成型可能な装置を用いて実施される。
機械加工され、再使用可能なインプラント送達装置が、被処置者の椎間腔へのインプラントを挿入するために使用される。
再使用可能な装置は、使用の間にその場で及び／又はその場以外で、洗浄され滅菌される。
医療処置は、再使用可能な装置を使用して、８０人の被処置者について、病院で反復実施される。
処置後感染が、１６０人の被処置者すべてにおいてモニタされる。
１回使用の射出成型可能な装置と比較したとき、再使用可能な装置について、１回使用当たりの著しくより高いコストが認められる。
詳しくは、本発明の８０のインプラント送達装置が、脊髄の様々な位置に合致する１０の異なる大きさのインプラント本体と共に射出成形される。
異なる寸法のインプラント本体を備える８０の従来の再使用可能なインプラント挿入装置は、機械加工される。
同数のインプラント送達装置およびインプラント本体の射出成形と機械加工のコストが比較される。
２つの異なる製造方法に対する材料コストについても、比較される。
射出成形のコストは、同一の寸法を備えるインプラント送達装置またはインプラントの機械加工よりも著しく低い。
各インプラント送達装置のパッキングおよび滅菌のコストも同様に、従来の再使用可能な各インプラント挿入のコストと比べて、非常に低い。
【０１６８】
実施例４
本明細書で開示されるような無菌パックされた１回使用のインプラント送達システムは、被処置者の椎間腔にインプラントと組織を送達するために使用される。
インプラント送達システムはインプラント挿入装置およびインプラント本体を含む。
これらのインプラント挿入装置は射出成形される。
装置は１回使用後、廃棄される。
無線（ＲＦ）タグは、リアルタイムイメージングを用いる処置を案内するために、インプラントに装填される。
インプラント本体は、インプラント本体のチャンバ内での内部シャフトの回転によって、内部シャフト本体に確実に固定される。
さらに、インプラント本体も、外部シャフトの挿入端部において、インプラント本体のインターフェースを相補的インターフェースに確実に合致させることにより、外部シャフトに固定される。
インプラントは、インプラント挿入の処置の間に、不要の回転または破損からインプラントを保護するように、インプラント送達装置に確実に固定される。
その処置は１０回で反復される。
本明細書に開示されない、インプラント送達デバイスの内部シャフトまたは外部シャフトに対するインプラント本体の適切で確実な固定を伴わない異なるインプラント送達デバイスも、被処置者における脊柱挿入に使用される。
処置は、挿入装置が確実には固定されないで、１０人の被処置者に対して実施される。
インプラントの無線タグによって示されるように、インプラントを確実に固定した、１０人の被処置者すべてにおいて、インプラント挿入が成功する。
他の１０人の被処置者については、ＲＦタグによって示されるように、インプラント本体が組織から不均等な摩擦を被るときに、インプラント本体は、それらの処置のうちのいくつかにおいて、送達デバイス上でがたつき、回転する。
加えて、固定されていないインターフェースの小さな接続面のみに与えられる極度の押圧力をおそらくは原因として、固定されていないインターフェースでのインプラント本体の不要な破損は、確実に固定したインプラント本体よりも著しく多くなる。
【０１６９】
実施例５
本明細書に開示されるような無菌パックされた１回限り使用のインプラント送達システムが、被処置者の椎間腔にインプラントおよび組織を送達するために使用される。
インプラント送達システムはインプラント挿入装置およびインプラント本体を含む。
これらのインプラント挿入装置は射出成形される。
デバイスは１回使用後、廃棄される。
この医療処置は、射出成型可能な１回使用のデバイスを使用して、脊椎インプラントを必要とする１００人の被処置者について、複数の病院で反復実施される。
各処置は、１回使用後に廃棄される、新品の、単一の無菌パックされた射出成型可能なデバイスを用いて実施される。
機械加工され、再使用可能なインプラント送達デバイスが、被処置者の椎間腔へインプラントを挿入するために使用される。
再使用可能なデバイスが、使用の間にその場で及び／又はその場以外で、洗浄され滅菌される。
医療処置は、再使用可能なデバイスを使用して、１００人の被処置者について、病院で反復実施される。
インプラント送達デバイスおよびインプラント本体は、２つの剥離可能に密封されたキットカバーを備えるキットにパックされる。
第１のキットカバーは無菌ではない。
第１のキットカバー内に、各無菌キットカバーが含まれ、インプラント送達デバイスおよびインプラント本体が個々の無菌カバー内で固定される。
各第２のキットは、異なる外科的要求の処置のための異なるサイズのインプラント挿入装置およびインプラント本体を含んでいる、
随意に、インプラントは、処置におけるデバイスの取り扱いを軽減するように、インプラント送達デバイスに確実に固定される。
処置室内に到着するとき、第１のキットカバーは、処置室への到着前または到着後に、取り外される。
処置の直前に、正しいインプラント形状およびサイズを備える無菌キットが、その中のデバイスおよびインプラント本体を無菌に維持するために、開封のために選択される。
脊柱融合のために、インプラントの内部空間の中へのインプラント挿入の前後に、生体適合性材料が注入される。
インプラント挿入後、インプラント送達デバイスは処分される。
【０１７０】
実施例６
本明細書に開示されるような無菌パックされた１回限り使用のインプラント送達システムが、被処置者の椎間腔にインプラントおよび組織を送達するために使用される。
インプラント送達システムはインプラント挿入装置およびインプラント本体を含む。
これらのインプラント挿入装置は射出成形される。
デバイスは１回使用後、廃棄される。
各インプラント送達システムは、分割部分に射出成形され、
これらの部分は、内部シャフト、外部シャフトおよびインプラント本体を含む。
インプラント本体およびインプラント送達デバイスは、インプラント本体が、いずれの２つの隣接する脊髄の椎骨間の様々な椎間腔に合致するように、異なる寸法およびサイズで成型される。
【０１７１】
実施例７
本明細書に開示されるような無菌パックされた１回使用のインプラント送達システムは、被処置者の椎間腔にインプラントおよび組織を送達するために使用される。
インプラント送達システムはインプラント挿入装置およびインプラント本体を含む。
これらのインプラント挿入装置は射出成形される。
デバイスは１回使用後、廃棄される。
各インプラント送達システムは、内部シャフト、外部シャフトおよびインプラント本体を含む、分割部分に射出成形される。
内部シャフトは、内部シャフト先端部とともに、ノブおよび内部シャフト本体を含む２つの分割部分で成型される。
内部シャフト本体および内部シャフト先端部は、内部シャフト本体および先端部の耐久性を増加させるために、耐久性があり、医療用画像装置に適合可能な金属を使用して、一緒に成型される。
【０１７２】
実施例８
本明細書に開示されるような無菌パックされた１回限り使用のインプラント送達システムが、被処置者の椎間腔にインプラントおよび組織を送達するために使用される。
インプラント送達システムはインプラント挿入装置およびインプラント本体を含む。
これらのインプラント挿入装置は射出成形される。
デバイスは１回使用後、廃棄される。
無線（ＲＦ）タグが、リアルタイム画像診断を用いる処置を誘導するために、インプラントに装填される。
インプラント送達システムは、磁気共鳴画像（ＭＲＩ）に誘導されるインプラント挿入処置において使用される。
磁性金属で製作された従来の機械加工可能なインプラント挿入装置は、ＭＲＩと適合せず、有害な事故を引き起こす。
磁性金属で製作された従来の機械加工されたインプラントデバイスは、どのＭＲＩで誘導されるインプラント挿入においても使用できない。
非磁性のＭＲＩ適合性材料で製作された本発明の射出成型可能なインプラント送達デバイスは、ＭＲＩ誘導のインプラント挿入処置に使用するのが安全である。
無線タグは、適切かつ正確なインプラント挿入を保証するために、インプラント本体のリアルタイム位置がＭＲＩに対し可視であるように、処置前にインプラント本体の端部に取り付けられる。
【０１７３】
本明細書において、本発明の好ましい実施形態を示し記載したが、
そのような実施形態が、例示のみによって提供されるものであることは、当業者にとって明白であろう。多数の変更、変化および置換は、本発明から外れることなく、当業者が想到するであろう。本明細書に記載した本発明の実施形態の様々な代替が、本発明の実施に際し利用されてもよいことが、理解されるであろう。
【図１ａ】
2016538086.tif 000003
【図１ｂ】
2016538086.tif 000004
【図２】
2016538086.tif 000005
【図３】
2016538086.tif 000006
【図４】
2016538086.tif 000007
【図５】
2016538086.tif 000008
【図６】
2016538086.tif 000009
【図７】
2016538086.tif 000010
【図８】
2016538086.tif 000011
【図９】
2016538086.tif 000012
【図１０】
2016538086.tif 000013
【図１１】
2016538086.tif 000014
【図１２】
2016538086.tif 000015
【図１３】
2016538086.tif 000016
【図１４】
2016538086.tif 000017
【図１５】
2016538086.tif 000018
【図１６】
2016538086.tif 000019
【国際調査報告】
2016538086.tif 000020
2016538086.tif 000021
2016538086.tif 000022
2016538086.tif 000023
2016538086.tif 000024